(57)【要約】【課題】  コピー後やプリント後に定型用紙サイズや写真サイズやハガキサイズや名刺サイズやカードサイズやこれら以外の決められた各サイズやユーザーが設定した独自の各サイズ等に切断する必要性が多くあり、手動式カッター等の使用では手間であった。【解決手段】  予め収納した切断情報により、予め設置した切断具等を紙の供給サイズや紙の切断サイズに合わせて取り替える必要がなく、切断具等を切断位置に自動でセットする機能を備えた切断位置の制御装置、更に紙の切断を自動で行う為の自動切断の制御装置を設け、ユーザーが設定した各サイズに自動で切断する事が出来る事務用家庭用紙の切断装置の提供。【選択図】    図１２
2012143826.tif 000002
【特許請求の範囲】
【請求項１】
定型用紙サイズの各サイズを各等分に切断して出来る定型用紙サイズの各サイズや定型用紙サイズの各サイズの各等分サイズや定型用紙サイズの各サイズや写真サイズの決められた各サイズやハガキサイズの決められた各サイズや名刺サイズの決められた各サイズやカードサイズの決められた各サイズやこれら以外の決められた各サイズや決められた各サイズや切断情報の長さの情報や切断具等の区分の情報や加工順序の情報や同時加工の情報や情報の選択の情報等の情報の一部又は全てを組み合わせた各サイズやユーザーが設定した独自の各サイズを選択し取り出しができる様に、これらに関する情報を切断情報として予め格納し保持する事ができる情報の収納具と、情報の収納具からユーザーが選択した切断サイズに関する切断情報を取り出す事が出来る情報の選択具と、情報の選択具により情報の収納具から取り出した切断情報により切断具等を切断位置に自動でセットする機能を備えた切断位置の制御装置を設け、更に切断位置の制御装置を備え紙の切断を自動で行う為の自動切断の制御装置を設け、予め設置した切断具等を紙の供給サイズや紙の切断サイズに合わせて取り替える必要がなく、ユーザーが選択した定型用紙サイズの各サイズを各等分に切断して出来る定型用紙サイズの各サイズや定型用紙サイズの各サイズの各等分サイズや定型用紙サイズの各サイズや写真サイズの決められた各サイズやハガキサイズの決められた各サイズや名刺サイズの決められた各サイズやカードサイズの決められた各サイズやこれら以外の決められた各サイズや決められた各サイズや切断情報の長さの情報や切断具等の区分の情報や加工順序の情報や同時加工の情報や情報の選択の情報等の情報の一部又は全てを組み合わせた各サイズやユーザーが設定した独自の各サイズに自動で切断する事が出来、更に一枚から大量の紙を切断できる事務用家庭用紙の切断装置。
【請求項２】
定型用紙サイズの各サイズを各等分に切断して出来る定型用紙サイズの各サイズや定型用紙サイズの各サイズの各等分サイズや定型用紙サイズの各サイズや写真サイズの決められた各サイズやハガキサイズの決められた各サイズや名刺サイズの決められた各サイズやカードサイズの決められた各サイズやこれら以外の決められた各サイズや決められた各サイズや切断情報の長さの情報や切断具等の区分の情報や加工順序の情報や同時加工の情報や情報の選択の情報等の情報の一部又は全てを組み合わせた各サイズやユーザーが設定した独自の各サイズに係わる情報を予め設ける事が出来、この情報の中よりユーザーが希望する切断の情報を選択する事により予め設置した切断具等を紙の供給サイズや紙の切断サイズに合わせて取り替える必要がなく、ユーザーが選択した定型用紙サイズの各サイズを各等分に切断して出来る定型用紙サイズの各サイズや定型用紙サイズの各サイズの各等分サイズや定型用紙サイズの各サイズや写真サイズの決められた各サイズやハガキサイズの決められた各サイズや名刺サイズの決められた各サイズやカードサイズの決められた各サイズやこれら以外の決められた各サイズや決められた各サイズや切断情報の長さの情報や切断具等の区分の情報や加工順序の情報や同時加工の情報や情報の選択の情報等の情報の一部又は全てを組み合わせた各サイズやユーザーが設定した独自の各サイズに自動で切断する事が出来、更に一枚から大量の紙を切断できる事務用家庭用紙の切断装置。
【請求項３】
多種な切断サイズを選択し取り出しができる様に、これに関する情報を切断情報として予め格納し保持する事ができる情報の収納具と、情報の収納具からユーザーが選択した切断サイズに関する切断情報を取り出す事が出来る情報の選択具と、情報の選択具により情報の収納具から取り出した切断情報により切断具等を切断位置に自動でセットする機能を備えた切断位置の制御装置を設け、更に切断位置の制御装置を備え紙の切断を自動で行う為の紙の自動切断の制御装置を設け、予め設置した切断具等を紙の供給サイズや紙の切断サイズに合わせて取り替える必要がなく、ユーザーが選択した紙のサイズに自動で切断する事ができ、更に一枚から大量の紙を切断できる事務用家庭用紙の切断装置。
【請求項４】
多種な切断サイズを選択し取り出しができる様に、これに関する情報を切断情報として予め格納し保持する事ができる情報の収納具を備えた請求項１、２、３の紙の切断装置。
【請求項５】
情報の収納具からユーザーが選択した切断サイズに関する切断情報を取り出す事が出来る情報の選択具を備えた請求項１、２、３の紙の切断装置。
【請求項６】
情報の選択具により情報の収納具から取り出した切断情報により切断具等を切断位置に自動でセットする機能を備えた請求項１、２、３の紙の切断装置。
【請求項７】
多種な切断サイズを選択し取り出しができる様に、これに関する情報を切断情報として予め格納し保持する事ができる情報の収納具と、情報の収納具からユーザーが選択した切断サイズに関する切断情報を取り出す事が出来る情報の選択具と、情報の選択具により情報の収納具から取り出した切断情報により切断具等を切断位置に自動でセットする機能を備えた切断位置の制御装置を設けた請求項１、２、３の紙の切断装置。
【請求項８】
切断位置の制御装置を備え紙の切断を自動で行う自動切断の制御装置を設けた請求項１、２、３の紙の切断装置。
【請求項９】
予め設置した切断具等を紙の供給サイズや紙の切断サイズに合わせて取り替える必要がなく、ユーザーが選択した定型用紙サイズの各サイズを各等分に切断して出来る定型用紙サイズの各サイズに自動で切断する事ができる請求項１、２、３の紙の切断装置。
【請求項１０】
予め設置した切断具等を紙の供給サイズや紙の切断サイズに合わせて取り替える必要がなく、ユーザーが選択した定型用紙サイズの各サイズの各等分サイズに自動で切断する事ができる請求項１、２、３の紙の切断装置。
【請求項１１】
予め設置した切断具等を紙の供給サイズや紙の切断サイズに合わせて取り替える必要がなく、ユーザーが選択した定型用紙サイズの各サイズに自動で切断する事ができる請求項１、２、３の紙の切断装置。
【請求項１２】
予め設置した切断具等を紙の供給サイズや紙の切断サイズに合わせて取り替える必要がなく、ユーザーが選択した写真サイズの決められた各サイズに自動で切断する事ができる請求項１、２、３の紙の切断装置。
【請求項１３】
予め設置した切断具等を紙の供給サイズや紙の切断サイズに合わせて取り替える必要がなく、ユーザーが選択したハガキサイズの決められた各サイズに自動で切断する事ができる請求項１、２、３の紙の切断装置。
【請求項１４】
予め設置した切断具等を紙の供給サイズや紙の切断サイズに合わせて取り替える必要がなく、ユーザーが選択した名刺サイズの決められた各サイズに自動で切断する事ができる請求項１、２、３の紙の切断装置。
【請求項１５】
予め設置した切断具等を紙の供給サイズや紙の切断サイズに合わせて取り替える必要がなく、ユーザーが選択したカードサイズの決められた各サイズに自動で切断する事ができる請求項１、２、３の紙の切断装置。
【請求項１６】
予め設置した切断具等を紙の供給サイズや紙の切断サイズに合わせて取り替える必要がなく、ユーザーが選択した請求項９、１１、１２、１３、１４、１５以外の決められた各サイズに自動で切断する事ができる請求項１、２、３の紙の切断装置。
【請求項１７】
予め設置した切断具等を紙の供給サイズや紙の切断サイズに合わせて取り替える必要がなく、ユーザーが選択した決められた各サイズに自動で切断する事ができる請求項１、２、３の紙の切断装置。
【請求項１８】
予め設置した切断具等を紙の供給サイズや紙の切断サイズに合わせて取り替える必要がなく、ユーザーが選択した切断情報の長さの情報や切断具等の区分の情報や加工順序の情報や同時加工の情報や情報の選択の情報等の情報の一部又は全てを組み合わせた各サイズに自動で切断する事ができる請求項１、２、３の紙の切断装置。
【請求項１９】
予め設置した切断具等を紙の供給サイズや紙の切断サイズに合わせて取り替える必要がなく、ユーザーが設定した独自の各サイズに自動で切断する事ができる請求項１、２、３の紙の切断装置。
【請求項２０】
デジタル操作が可能であり点が連続的に並ぶ直線状の切断情報を備えた請求項１、２、３、４、５、６、７、８、９、１０、１１、１２、１３、１４、１５、１６、１７、１８、１９の紙の切断装置。
【請求項２１】
切断具等の位置を示す可動式の印の停止位置をデジタル表示する事が可能であり、デジタル操作が可能であり点が連続的に並ぶ直線状の切断情報を備えた請求項１、２、３、４、５、６、７、８、９、１０、１１、１２、１３、１４、１５、１６、１７、１８、１９、２０の紙の切断装置。
【請求項２２】
切断具等の位置を示す可動式の印と供給紙を示し、印を操作しユーザーの希望する切断位置に停止する事により、ユーザーの希望する切断サイズに関する切断情報を取り出す事ができる情報の選択具を備えた請求項１、２、３、４、５、６、７、８、９、１０、１１、１２、１３、１４、１５、１６、１７、１８、１９、２０、２１の紙の切断装置。
【請求項２３】
画面を設け、この画面は、縮小サイズで供給紙と切断具等の位置を示す可動式の印であるバーを表示し、バーを画面内のユーザーの希望する切断位置に停止する事により、ユーザーの希望する切断サイズに関する切断情報を取り出す事ができる情報の選択具を備えた請求項１、２、３、４、５、６、７、８、９、１０、１１、１２、１３、１４、１５、１６、１７、１８、１９、２０、２１、２２の紙の切断装置。
【請求項２４】
ｍｍ又はｃｍを単位とした目盛りを表示する事ができる情報の選択具を備えた請求項２０、２１、２２、２３の紙の切断装置。
【請求項２５】
定型用紙サイズの各サイズや定型用紙サイズの各サイズの各等分サイズや写真サイズの決められた各サイズやハガキサイズの決められた各サイズや名刺サイズの決められた各サイズやカードサイズの決められた各サイズやこれら以外の決められた各サイズや決められた各サイズ等の単体サイズの縦横のそれぞれの方向を一目盛りとした単位の目盛りを表示する事ができる情報の選択具を備えた請求項２０、２１、２２、２３の紙の切断装置。
【請求項２６】
請求項２４と請求項２５の目盛りを併設した情報の選択具を備えた請求項２０、２１、２２、２３の紙の切断装置。
【請求項２７】
切断に関するプログラム及びデータを格納し保持し取り出す事ができる記憶装置を備え、自動切断の制御装置がコンピュータシステムで成る請求項１、２、３、４、５、６、７、８、９、１０、１１、１２、１３、１４、１５、１６、１７、１８、１９、２０、２１、２２、２３、２４、２５、２６の紙の切断装置。
【請求項２８】
情報の収納具、情報の選択具の全て或いはいずれか或いは一部を切断装置の外部に移した請求項１、２、３、４、５、６、７、８、９、１０、１１、１２、１３、１４、１５、１６、１７、１８、１９、２０、２１、２２、２３、２４、２５、２６、２７の紙の切断装置。
【請求項２９】
片側端寄せの給紙方法で、各サイズの紙を作る事ができる請求項１、２、３、４、５、６、７、８、９、１０、１１、１２、１３、１４、１５、１６、１７、１８、１９、２０、２１、２２、２３、２４、２５、２６、２７、２８の紙の切断装置。
【請求項３０】
片側端寄せの給紙方法で、切断具等の設置を一組に限定して各サイズの紙を作る事ができる請求項１、２、３、４、５、６、７、８、９、１０、１１、１２、１３、１４、１５、１６、１７、１８、１９、２０、２１、２２、２３、２４、２５、２６、２７、２８の紙の切断装置。
【請求項３１】
片側端寄せの給紙方法で、切断具等の設置を縦方向の一組と横方向の一組に限定して、縦横の一方又は双方の方向を切断して各サイズの紙を作る事ができる請求項１、２、３、４、５、６、７、８、９、１０、１１、１２、１３、１４、１５、１６、１７、１８、１９、２０、２１、２２、２３、２４、２５、２６、２７、２８の紙の切断装置。
【請求項３２】
縦横のいずれか一方又は双方に複数の刃を設け、各サイズの紙を作る事ができる請求項１、２、３、４、５、６、７、８、９、１０、１１、１２、１３、１４、１５、１６、１７、１８、１９、２０、２１、２２、２３、２４、２５、２６、２７、２８の紙の切断装置。
【請求項３３】
縦横のいずれか一方又は双方に複数の刃を設け、複数刃の一部或いは全てを等間隔に連動させ、各サイズの紙を作る事ができる請求項３２の紙の切断装置。
【請求項３４】
切断位置の制御装置を用いて折り目を作る事が出来る加工具を備えた請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３の紙の切断装置。
【請求項３５】
切断位置の制御装置を用いてミシン目の切り取り線を作る事が出来る加工具を備えた請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３の紙の切断装置。
【請求項３６】
切断位置の制御装置を用いて紙以外の素材を切断できる切断具を備えた請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３の紙の切断装置。
【請求項３７】
事務用家庭用紙の切断装置に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置。
【請求項３８】
連続して送られる紙を切断具により供給方向に向けて切断する事ができる事務用家庭用紙の切断装置に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置。
【請求項３９】
連続して送られる紙を切断具により供給方向と直角に交差する方向に切断する事ができる事務用家庭用紙の切断装置に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置。
【請求項４０】
請求項３８の切断装置と請求項３９の切断装置を併設する事務用家庭用紙の切断装置に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３１、３２、３３、３４、３５、３６の紙の切断装置。
【請求項４１】
切断場所に大量に積まれた紙を切断する事ができる事務用家庭用紙の切断装置に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置。
【請求項４２】
事務用家庭用コピー機に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置。
【請求項４３】
事務用製版印刷機に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置。
【請求項４４】
事務用家庭用プリンタに備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置。
【請求項４５】
コピー機能を装備した事務用家庭用複合機に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置。
【請求項４６】
プリント機能を装備した事務用家庭用複合機に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置。
【請求項４７】
事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置。
【請求項４８】
ユニットシステムにして事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置。
【請求項４９】
事務用家庭用シュレッダーに備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置。
【請求項５０】
事務用家庭用紙の切断装置の全て或いは一部を備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置。
【請求項５１】
事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器の全て或いは一部を備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置。
【請求項５２】
事務用家庭用シュレッダーの全て或いは一部を備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置。
【請求項５３】
紙の切断のみを行なう事が出来る請求項４２、４３、４４、４５、４６、４７、４８の紙の切断装置。
【発明の詳細な説明】
【技術分野】
【０００１】
本発明は、事務用家庭用紙の切断装置に関する。
【０００２】
更に、前記段落の事務用家庭用紙の切断装置を備えた、事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器、及び事務用家庭用シュレッダー等に関する。
【背景技術】
【０００３】
（１）、非特許文献１の手動式紙の切断装置に関しては、次の欠陥がある。
手動操作の為、手間であり、正確性を欠く。
【０００４】
（２）、特許文献１、２の事務用家庭用コピー機や事務用家庭用プリンタ等の事務用家庭用の紙に情報を写す機器に装備した紙の切断装置に関しては、次の欠陥がある。
この技術の切断の目的は、小サイズの用紙切れ時に大サイズの用紙を切断して充てる事であり、コピー又はプリントを行なわなければ紙の切断が実施出来ない。
該当機器内にコピーサイズのコピー用紙又はプリントサイズのプリント用紙が有る時は紙の切断が実施出来ない。
四等分、八等分、十六等分等の切断はできない。
切断に依り作る事ができる紙は、一枚のコピー済み又はプリント済みの紙と一枚のコピー前又はプリント前の紙に限られる（二枚のコピー済み又はプリント済みの紙を作る事は出来ない。二枚のコピー前又はプリント前の紙を作る事は出来ない）。
即ち、この技術の分類は、コピー機やプリンタ等の事務用家庭用の紙に情報を写す機器に備え、コピー後又はプリント後に付帯して使用する事を前提とした技術である為、この様に、切断の実施には多種な制約があり、独立した紙の切断機器として使用する事が出ない欠陥を所有する。
【０００５】
（３）、特許文献３の技術は、前記（２）の特許文献１、特許文献２の紙の切断装置に対して、次の進歩性を示す事が出来る。
この特許文献３の技術は、一般的な紙の切断装置として使用する事が可能であり、前記  特許文献１、特許文献２で示す様な多種な制約がない。
即ち、コピー又はプリントを行なわなくても紙の切断が実施可能である。
該当機器内にコピーサイズのコピー用紙又はプリントサイズのプリント用紙が有る時も紙の切断の実施が可能である。
四等分、八等分、十六等分等の切断が可能である。
切断により作る事ができる紙は、コピー済み又はプリント済みの紙とコピー前又はプリント前の紙、コピー済み又はプリント済みの紙、コピー前又はプリント前の紙を作る事が可能である。
【０００６】
更に、前記技術により、この特許文献３の技術は、次の技術の効果を示す事ができる。
定型用紙サイズの紙を２、４、８、１６などの等分に切断することで定型用紙サイズの紙を作る事ができ、更に紙を切断する動作を自動で行い、大量に作る紙の切断装置であり、原稿、原画等のサイズに合った用紙サイズを作る事が出来る紙の切断装置であり、無駄の少ない（余白の少ない）適正サイズでの書類作りを容易に可能にし、紙資源の節約を容易に可能にする。
更に、廃紙の裏面部分を利用したメモ紙作りにより紙資源の再利用を容易に可能にする。
更に、コピー時やプリント時の小サイズの用紙切れ時に、大サイズの用紙を切断して充てる事が可能である。
更に、Ａ判Ｂ判の各最大サイズの供給紙を揃えれば、各サイズに充てる事が可能であり、供給紙の保管場所を小さくする事が可能である。
更に、保管書類等の切断により不要部分を廃棄する事が可能であり、保管書類等の保管場所を小さくする事が可能である。
【０００７】
反面、特許文献３の技術は、次の欠陥を所有する。
この切断装置の切断用途は、供給紙サイズを定型用紙サイズ限定し、切断サイズを等分に限定し、切断後の紙サイズを定型用紙サイズに限定している。
又、片側端寄せや、縦横の一方又は双方に複数の刃を設けた中央寄せの技術に係わる切断位置に切断具等を自動的にセットする為の切断位置の制御装置に関して、明確な技術が示されていない。
【０００８】
尚、前記段落に関して、供給紙の側面を押さえる為の側面紙押さえの技術（手動式紙の切断装置、片側端寄せ、中央寄せ）の特徴を図１で示す。
図１（１‐１）で示す手動式紙の切断装置は、切断時に側面紙押さえ２ａの無い方や台８３の無い方に紙９１がずれ易く、又、切断具１１と台８３の端部分の間に紙９１が食い込み易い欠点がある。
【０００９】
図１（１‐２）で示す片側端寄せの技術は、紙の切断場所の片側に設けた押し戻し可能な紙９１の側面を押さえる側面紙押さえ２ｂで他方側に固定した壁２１ａ等に、側面紙押さえ２ｃで他方側に固定した壁２１ｂ等に紙を寄せ固定する技術であり、切断具等を各用紙サイズの切断位置に合わせて、切断が行われる。
尚、本発明に関する片側端寄せの技術とは、切断場所で各サイズの供給紙の縦横方向の一方又は双方の片側の端を一定位置（例えば切断場所の端等）に揃える技術である。
【００１０】
図１（１‐３）で示す中央寄せの技術は、紙の切断場所の両端側に設けた押し戻し可能な紙の側面を押さえる為の側面紙押さえ２ｄと２ｆ、側面紙押さえ２ｅと２ｇで紙９１の中心を切断場所の中心に寄せ固定する技術であり、二等分、四等分の切断に於いては、紙の切断位置（紙の中心）を切断場所の中心に合わせる技術であり、切断時に切断場所の中心に設けた切断具等を用紙サイズに合わせて移動する必要性はない。
尚、本発明に関する二等分、四等分の切断の中央寄せの技術とは、切断場所で各サイズの供給紙の縦横方向の一方（二等分に関する）又は双方（四等分に関する）の切断線（紙の中心線）を一定位置（例えば切断場所の中心線）に揃える技術である。
【００１１】
反面、中央寄せの技術は、片側端寄せで給紙する事務用家庭用コピー機や事務用家庭用プリンタ等の事務用家庭用の紙に情報を写す機器及び事務用家庭用シュレッダーと給紙場所を兼用する場合は給紙様式（中央寄せと片側端寄せ）が異なる為構造を複雑にする必要がある、又、片側の端に寄せて排紙するコピー機やプリンタ等の事務用家庭用の紙に情報を写す機器より継続して切断する場合には、該当機器の排紙様式（片側端に寄せる様式）と切断装置の給紙様式（中央寄せる様式）が異なる為構造を複雑にする必要がある。
【００１２】
更に、中央寄せの技術は、図１の（１‐３）の例が示すように、給紙方向Ｄ２に側面紙押さえ２ｄがある場合は、側面紙押さえ２ｄが給紙の邪魔になり、側面紙押さえ２ｄが給紙作用により押され移動する事が懸念される。
【００１３】
尚、片側端寄せや中央寄せの技術において、給紙場所を垂直や傾斜にして給紙する方法の場合は、紙を重力の作用により下げる作用がある為、上方より押さえる側面紙押さえの設置を省略することが可能である。
尚、片側端寄せや中央寄せの技術は、図１の（１‐１）で示した非特許文献１（手動式紙の切断装置）の片側のみでの紙の側面を固定する技術と比較して確実に紙ずれ、紙食い込みを防止する。
【先行技術文献】
【特許文献】
【００１４】
【特許文献１】特開２００１−１３８５８７号公報
【特許文献２】特開２００６−５６０１６号公報
【特許文献３】特願２００９−１４１７７７号公報
【非特許文献】
【００１５】
【非特許文献１】「ＫＯＫＵＹＯ２００８ステーショナリー編」ペーパーカッターＤＮ−１Ｎ
【発明の概要】
【発明が解決しようとする課題】
【００１６】
総じては、特許文献３（特願２００９−１４１７７７号公報）の技術の改善にある。
即ち、総じては、次の四点にある。
（１）、従来技術の利点を受け継ぐ事ができる切断装置の提供。
（２）、広範囲用途の切断装置の提供。
（３）、切断位置に切断具等を自動的にセットし切断する為の制御装置等の提供。
（４）、その他の技術の提供。
【００１７】
前記（１）に関しては、主に、紙資源の節約や再利用を実行し、更に紙の切断の手間を減らし、これらに係わる仕事を便利に正確に行い、一枚から大量の切断を可能にする紙の切断装置の提供である。
例えば、適正な最小定型用紙サイズでのコピーやプリントなどの情報を紙に写す仕事を推し進め、莫大な量で消費や浪費が行われているコピー用紙やプリント用紙の無駄遣いを減らし、又コピー後やプリント後の用紙等の廃紙を即廃棄せず等分に切り揃えて、裏面部分をメモ用紙として再利用等を行なう為の切断装置の提供である。
【００１８】
前記（２）に関しては、主に、予め設置した切断具等を紙の供給サイズや紙の切断サイズに合わせて取り替える必要がなくユーザーが選択した定型用紙サイズの各サイズを各等分に切断して出来る定型用紙サイズの各サイズに自動で切断する事ができる紙の切断装置、予め設置した切断具等を紙の供給サイズや紙の切断サイズに合わせて取り替える必要がなくユーザーが選択した定型用紙サイズの各サイズの各等分サイズに自動で切断する事ができる紙の切断装置、予め設置した切断具等を紙の供給サイズや紙の切断サイズに合わせて取り替える必要がなくユーザーが選択した定型用紙サイズの各サイズに自動で切断する事ができる紙の切断装置、予め設置した切断具等を紙の供給サイズや紙の切断サイズに合わせて取り替える必要がなくユーザーが選択した写真サイズの決められた各サイズに自動で切断する事ができる紙の切断装置、予め設置した切断具等を紙の供給サイズや紙の切断サイズに合わせて取り替える必要がなくユーザーが選択したハガキサイズの決められた各サイズに自動で切断する事ができる紙の切断装置、予め設置した切断具等を紙の供給サイズや紙の切断サイズに合わせて取り替える必要がなくユーザーが選択した名刺サイズの決められた各サイズに自動で切断する事ができる紙の切断装置、予め設置した切断具等を紙の供給サイズや紙の切断サイズに合わせて取り替える必要がなくユーザーが選択したカードサイズの決められた各サイズに自動で切断する事ができる紙の切断装置、予め設置した切断具等を紙の供給サイズや紙の切断サイズに合わせて取り替える必要がなくユーザーが選択した前記以外の決められた各サイズに自動で切断する事ができる紙の切断装置、予め設置した切断具等を紙の供給サイズや紙の切断サイズに合わせて取り替える必要がなくユーザーが選択した決められた各サイズに自動で切断する事ができる紙の切断装置、予め設置した切断具等を紙の供給サイズや紙の切断サイズに合わせて取り替える必要がなくユーザーが選択した切断情報の長さの情報や切断具等の区分の情報や加工順序の情報や同時加工の情報や情報の選択の情報等の情報の一部又は全てを組み合わせた各サイズに自動で切断する事ができる紙の切断装置、予め設置した切断具等を紙の供給サイズや紙の切断サイズに合わせて取り替える必要がなくユーザーが設定した独自の各サイズに自動で切断する事ができる紙の切断装置の提供であり、これらの技術の提供により使用可能な切断用途や加工用途を広くし、これらに係わる作業を便利にする。
【００１９】
前記（３）に関しては、主に、多種な切断サイズを選択し取り出しができる様に、これに関する情報を切断情報として予め格納し保持する事ができる情報の収納具を備えた紙の切断装置、情報の収納具からユーザーが選択した切断サイズに関する切断情報を取り出す事が出来る情報の選択具を備えた紙の切断装置、情報の選択具により情報の収納具から取り出した切断情報により切断具等を切断位置に自動でセットする機能を備えた紙の切断装置、多種な切断サイズを選択し取り出しができる様にこれに関する情報を切断情報として予め格納し保持する事ができる情報の収納具と情報の収納具からユーザーが選択した切断サイズに関する切断情報を取り出す事が出来る情報の選択具と情報の選択具により情報の収納具から取り出した切断情報により切断具等を切断位置に自動でセットする機能を備えた切断位置の制御装置を設けた紙の切断装置、切断位置の制御装置を備え紙の切断を自動で行う自動切断の制御装置を設けた紙の切断装置の提供であり、目視により手動でこれを制御し切断する場合と比較して、紙の切断の手間を減らし、これらに係わる仕事を便利に正確に行い、更に一枚から大量の切断を可能にする。
【００２０】
更に、デジタル操作が可能であり点が連続的に並ぶ直線状の切断情報を備えた紙の切断装置、切断具等の位置を示す可動式の印の停止位置をデジタル表示する事が可能でありデジタル操作が可能であり点が連続的に並ぶ直線状の切断情報を備えた紙の切断装置、切断具等の位置を示す可動式の印と供給紙を示し印を操作しユーザーの希望する切断位置に停止する事によりユーザーの希望する切断サイズに関する切断情報を取り出す事ができる情報の選択具を備えた紙の切断装置、画面を設けこの画面は縮小サイズで供給紙と切断具等の位置を示す可動式の印であるバーを表示しバーを画面内のユーザーの希望する切断位置に停止する事によりユーザーの希望する切断サイズに関する切断情報を取り出す事ができる情報の選択具を備えた紙の切断装置、ｍｍ又はｃｍを単位とした目盛りを表示する事ができる情報の選択具を備えた紙の切断装置、定型用紙サイズの各サイズや定型用紙サイズの各サイズの各等分サイズや写真サイズの決められた各サイズやハガキサイズの決められた各サイズや名刺サイズの決められた各サイズやカードサイズの決められた各サイズやこれら以外の決められた各サイズや決められた各サイズ等の単体サイズの縦横のそれぞれの方向を一目盛りとした単位の目盛りを表示する事ができる情報の選択具を備えた紙の切断装置、請求項２４と請求項２５の目盛りを併設した情報の選択具を備えた紙の切断装置の提供により、請求項１、２、３、４、５、６、７、８、９、１０、１１、１２、１３、１４、１５、１６、１７、１８、１９等の発明装置の技術を、更に具体的で詳細な技術を用いて明確に示し、請求項１、２、３、４、５、６、７、８、９、１０、１１、１２、１３、１４、１５、１６、１７、１８、１９等の発明装置の技術を、更に確実に、便利にする。
【００２１】
切断に関するプログラム及びデータを格納し保持し取り出す事ができる記憶装置を備え、切断操作を制御し自動で切断できるコンピュータシステムで成る紙の切断装置の提供により、請求項１、２、３、４、５、６、７、８、９、１０、１１、１２、１３、１４、１５、１６、１７、１８、１９、２０、２１、２２、２３、２４、２５、２６の発明装置の技術を、更に具体的で詳細な技術を用いて明確に示し、請求項１、２、３、４、５、６、７、８、９、１０、１１、１２、１３、１４、１５、１６、１７、１８、１９、２０、２１、２２、２３、２４、２５、２６の発明装置の技術を、更に確実に、便利にする。
【００２２】
情報の収納具、情報の選択具の全て或いはいずれか或いは一部を切断装置の外部に移した紙の切断装置の提供により、請求項１、２、３、４、５、６、７、８、９、１０、１１、１２、１３、１４、１５、１６、１７、１８、１９、２０、２１、２２、２３、２４、２５、２６、２７の発明装置の技術を、更に具体的で詳細な技術を用いて明確に示し、請求項１、２、３、４、５、６、７、８、９、１０、１１、１２、１３、１４、１５、１６、１７、１８、１９、２０、２１、２２、２３、２４、２５、２６、２７の発明装置の技術を、更に確実に、便利にする。
【００２３】
更に、片側端寄せの給紙方法で各サイズの紙を作る事ができる紙の切断装置、片側端寄せの給紙方法で切断具等の設置を一組に限定して各サイズの紙を作る事ができる紙の切断装置、片側端寄せの給紙方法で切断具等の設置を縦方向の一組と横方向の一組に限定して縦横の一方又は双方の方向を切断して各サイズの紙を作る事ができる紙の切断装置、縦横のいずれか一方又は双方に複数の刃を設け各サイズの紙を作る事ができる紙の切断装置、縦横のいずれか一方又は双方に複数の刃を設け複数刃の一部或いは全てを等間隔に連動させ各サイズの紙を作る事ができる紙の切断装置の提供により、請求項１、２、３、４、５、６、７、８、９、１０、１１、１２、１３、１４、１５、１６、１７、１８、１９、２０、２１、２２、２３、２４、２５、２６、２７、２８の発明装置の技術を、更に具体的で詳細な技術を用いて明確に示し、請求項１、２、３、４、５、６、７、８、９、１０、１１、１２、１３、１４、１５、１６、１７、１８、１９、２０、２１、２２、２３、２４、２５、２６、２７、２８の発明装置の技術を、更に確実に、便利にする。
【００２４】
前記（４）に関しては、主に、切断位置の制御装置を用いて折り目を作る事が出来る加工具を備えた紙の切断装置、切断位置の制御装置を用いてミシン目の切り取り線を作る事が出来る加工具を備えた紙の切断装置の提供により使用可能な加工用途を広くし、これらに係わる作業を便利にする。
【００２５】
更に、切断位置の制御装置を用いて紙以外の素材を切断できる切断具を備えた紙の切断装置の提供により使用可能な切断用途を広くし、これらに係わる作業を便利にする。
【００２６】
更に、本発明の紙の切断装置が、事務用家庭用紙の切断装置に備える事が出来る事、連続して送られる紙を切断具により供給方向に切断する事ができる事務用家庭用紙の切断装置に備える事が出来る事、連続して送られる紙を切断具により供給方向と直角に交差する方向に切断する事ができる事務用家庭用紙の切断装置に備える事が出来る事、この二つの方向に切断する事ができる切断装置を併設する事務用家庭用紙の切断装置に備える事が出来る事、切断場所に大量に積まれた紙を一度に切断する事ができる事務用家庭用紙の切断装置に備える事が出来る事を示し、即ち、これらの切断装置が、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、又は請求項１、２、３、４、５、６、７、８、９、１０、１１、１２、１３、１４、１５、１６、１７、１８、１９、２０、２１、２２、２３、２４、２５、２６、２７、２８、２９、３１、３２、３３、３４、３５、３６の発明装置と適応する事を示し、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、又は請求項１、２、３、４、５、６、７、８、９、１０、１１、１２、１３、１４、１５、１６、１７、１８、１９、２０、２１、２２、２３、２４、２５、２６、２７、２８、２９、３１、３２、３３、３４、３５、３６の発明装置の技術を更に具体的で詳細な技術を用いて明確に示し、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、又は請求項１、２、３、４、５、６、７、８、９、１０、１１、１２、１３、１４、１５、１６、１７、１８、１９、２０、２１、２２、２３、２４、２５、２６、２７、２８、２９、３１、３２、３３、３４、３５、３６の発明装置の技術を、更に確実に、便利にする。
【００２７】
更に、本発明の紙の切断装置が、事務用家庭用コピー機に備える事が出来る事、事務用製版印刷機に備える事が出来る事、事務用家庭用プリンタに備える事が出来る事、コピー機能を装備した事務用家庭用複合機に備える事が出来る事、プリント機能を装備した事務用家庭用複合機に備える事が出来る事、事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器に備える事が出来る事、ユニットシステムにして事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器に備える事が出来る事、事務用家庭用シュレッダーに備える事が出来る事を示し、即ち、これらの機器が、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の発明と適応する事を示し、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の発明の技術を更に具体的で詳細な技術を用いて明確に示し、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の発明の技術を、更に確実に、便利にする。
【００２８】
更に、本発明の紙の切断装置が、事務用家庭用紙の切断装置の全て或いは一部を備える事が出来、事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器の全て或いは一部を備える事が出来、事務用家庭用シュレッダーの全て或いは一部を備える事が出来る事を示し、即ち、これらの装置や機器が、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の発明と適応する事を示し、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の発明の技術を更に具体的で詳細な技術を用いて明確に示し、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の発明の技術を、更に確実に、便利にする。
【課題を解決するための手段】
【００２９】
請求項１の発明は、定型用紙サイズの各サイズを各等分に切断して出来る定型用紙サイズの各サイズや定型用紙サイズの各サイズの各等分サイズや定型用紙サイズの各サイズや写真サイズの決められた各サイズやハガキサイズの決められた各サイズや名刺サイズの決められた各サイズやカードサイズの決められた各サイズやこれら以外の決められた各サイズや決められた各サイズや切断情報の長さの情報や切断具等の区分の情報や加工順序の情報や同時加工の情報や情報の選択の情報等の情報の一部又は全てを組み合わせた各サイズやユーザーが設定した独自の各サイズを選択し取り出しができる様に、これらに関する情報を切断情報として予め格納し保持する事ができる情報の収納具と、情報の収納具からユーザーが選択した切断サイズに関する切断情報を取り出す事が出来る情報の選択具と、情報の選択具により情報の収納具から取り出した切断情報により切断具等を切断位置に自動でセットする機能を備えた切断位置の制御装置を設け、更に切断位置の制御装置を備え紙の切断を自動で行う為の自動切断の制御装置を設け、予め設置した切断具等を紙の供給サイズや紙の切断サイズに合わせて取り替える必要がなく、ユーザーが選択した定型用紙サイズの各サイズを各等分に切断して出来る定型用紙サイズの各サイズや定型用紙サイズの各サイズの各等分サイズや定型用紙サイズの各サイズや写真サイズの決められた各サイズやハガキサイズの決められた各サイズや名刺サイズの決められた各サイズやカードサイズの決められた各サイズやこれら以外の決められた各サイズや決められた各サイズや切断情報の長さの情報や切断具等の区分の情報や加工順序の情報や同時加工の情報や情報の選択の情報等の情報の一部又は全てを組み合わせた各サイズやユーザーが設定した独自の各サイズに自動で切断する事が出来、更に一枚から大量の紙を切断できる事務用家庭用紙の切断装置である。
【００３０】
請求項２の発明は、定型用紙サイズの各サイズを各等分に切断して出来る定型用紙サイズの各サイズや定型用紙サイズの各サイズの各等分サイズや定型用紙サイズの各サイズや写真サイズの決められた各サイズやハガキサイズの決められた各サイズや名刺サイズの決められた各サイズやカードサイズの決められた各サイズやこれら以外の決められた各サイズや決められた各サイズや切断情報の長さの情報や切断具等の区分の情報や加工順序の情報や同時加工の情報や情報の選択の情報等の情報の一部又は全てを組み合わせた各サイズやユーザーが設定した独自の各サイズに係わる情報を予め設ける事が出来、この情報の中よりユーザーが希望する切断の情報を選択する事により予め設置した切断具等を紙の供給サイズや紙の切断サイズに合わせて取り替える必要がなく、ユーザーが選択した定型用紙サイズの各サイズを各等分に切断して出来る定型用紙サイズの各サイズや定型用紙サイズの各サイズの各等分サイズや定型用紙サイズの各サイズや写真サイズの決められた各サイズやハガキサイズの決められた各サイズや名刺サイズの決められた各サイズやカードサイズの決められた各サイズやこれら以外の決められた各サイズや決められた各サイズや切断情報の長さの情報や切断具等の区分の情報や加工順序の情報や同時加工の情報や情報の選択の情報等の情報の一部又は全てを組み合わせた各サイズやユーザーが設定した独自の各サイズに自動で切断する事が出来、更に一枚から大量の紙を切断できる事務用家庭用紙の切断装置である。
【００３１】
請求項３の発明は、多種な切断サイズを選択し取り出しができる様に、これに関する情報を切断情報として予め格納し保持する事ができる情報の収納具と、情報の収納具からユーザーが選択した切断サイズに関する切断情報を取り出す事が出来る情報の選択具と、情報の選択具により情報の収納具から取り出した切断情報により切断具等を切断位置に自動でセットする機能を備えた切断位置の制御装置を設け、更に切断位置の制御装置を備え紙の切断を自動で行う為の紙の自動切断の制御装置を設け、予め設置した切断具等を紙の供給サイズや紙の切断サイズに合わせて取り替える必要がなく、ユーザーが選択した紙のサイズに自動で切断する事ができ、更に一枚から大量の紙を切断できる事務用家庭用紙の切断装置である。
【００３２】
請求項４の発明は、多種な切断サイズを選択し取り出しができる様に、これに関する情報を切断情報として予め格納し保持する事ができる情報の収納具を備えた請求項１、２、３の紙の切断装置である。
【００３３】
請求項５の発明は、情報の収納具からユーザーが選択した切断サイズに関する切断情報を取り出す事が出来る情報の選択具を備えた請求項１、２、３の紙の切断装置である。
【００３４】
請求項６の発明は、情報の選択具により情報の収納具から取り出した切断情報により切断具等を切断位置に自動でセットする機能を備えた請求項１、２、３の紙の切断装置である。
【００３５】
請求項７の発明は、多種な切断サイズを選択し取り出しができる様に、これに関する情報を切断情報として予め格納し保持する事ができる情報の収納具と、情報の収納具からユーザーが選択した切断サイズに関する切断情報を取り出す事が出来る情報の選択具と、情報の選択具により情報の収納具から取り出した切断情報により切断具等を切断位置に自動でセットする機能を備えた切断位置の制御装置を設けた請求項１、２、３の紙の切断装置である。
【００３６】
請求項８の発明は、切断位置の制御装置を備え紙の切断を自動で行う自動切断の制御装置を設けた請求項１、２、３の紙の切断装置である。
【００３７】
請求項９の発明は、予め設置した切断具等を紙の供給サイズや紙の切断サイズに合わせて取り替える必要がなく、ユーザーが選択した定型用紙サイズの各サイズを各等分に切断して出来る定型用紙サイズの各サイズに自動で切断する事ができる請求項１、２、３の紙の切断装置である。
【００３８】
請求項１０の発明は、予め設置した切断具等を紙の供給サイズや紙の切断サイズに合わせて取り替える必要がなく、ユーザーが選択した定型用紙サイズの各サイズの各等分サイズに自動で切断する事ができる請求項１、２、３の紙の切断装置である。
【００３９】
請求項１１の発明は、予め設置した切断具等を紙の供給サイズや紙の切断サイズに合わせて取り替える必要がなく、ユーザーが選択した定型用紙サイズの各サイズに自動で切断する事ができる請求項１、２、３の紙の切断装置である。
【００４０】
請求項１２の発明は、予め設置した切断具等を紙の供給サイズや紙の切断サイズに合わせて取り替える必要がなく、ユーザーが選択した写真サイズの決められた各サイズに自動で切断する事ができる請求項１、２、３の紙の切断装置である。
【００４１】
請求項１３の発明は、予め設置した切断具等を紙の供給サイズや紙の切断サイズに合わせて取り替える必要がなく、ユーザーが選択したハガキサイズの決められた各サイズに自動で切断する事ができる請求項１、２、３の紙の切断装置である。
【００４２】
請求項１４の発明は、予め設置した切断具等を紙の供給サイズや紙の切断サイズに合わせて取り替える必要がなく、ユーザーが選択した名刺サイズの決められた各サイズに自動で切断する事ができる請求項１、２、３の紙の切断装置である。
【００４３】
請求項１５の発明は、予め設置した切断具等を紙の供給サイズや紙の切断サイズに合わせて取り替える必要がなく、ユーザーが選択したカードサイズの決められた各サイズに自動で切断する事ができる請求項１、２、３の紙の切断装置である。
【００４４】
請求項１６の発明は、予め設置した切断具等を紙の供給サイズや紙の切断サイズに合わせて取り替える必要がなく、ユーザーが選択した請求項９、１１、１２、１３、１４、１５以外の決められた各サイズに自動で切断する事ができる請求項１、２、３の紙の切断装置である。
【００４５】
請求項１７の発明は、予め設置した切断具等を紙の供給サイズや紙の切断サイズに合わせて取り替える必要がなく、ユーザーが選択した決められた各サイズに自動で切断する事ができる請求項１、２、３の紙の切断装置である。
【００４６】
請求項１８の発明は、予め設置した切断具等を紙の供給サイズや紙の切断サイズに合わせて取り替える必要がなく、ユーザーが選択した切断情報の長さの情報や切断具等の区分の情報や加工順序の情報や同時加工の情報や情報の選択の情報等の情報の一部又は全てを組み合わせた各サイズに自動で切断する事ができる請求項１、２、３の紙の切断装置である。
【００４７】
請求項１９の発明は、予め設置した切断具等を紙の供給サイズや紙の切断サイズに合わせて取り替える必要がなく、ユーザーが設定した独自の各サイズに自動で切断する事ができる請求項１、２、３の紙の切断装置である。
【００４８】
請求項２０の発明は、デジタル操作が可能であり点が連続的に並ぶ直線状の切断情報を備えた請求項１、２、３、４、５、６、７、８、９、１０、１１、１２、１３、１４、１５、１６、１７、１８、１９の紙の切断装置である。
【００４９】
請求項２１の発明は、切断具等の位置を示す可動式の印の停止位置をデジタル表示する事が可能であり、デジタル操作が可能であり点が連続的に並ぶ直線状の切断情報を備えた請求項１、２、３、４、５、６、７、８、９、１０、１１、１２、１３、１４、１５、１６、１７、１８、１９、２０の紙の切断装置である。
【００５０】
請求項２２の発明は、切断具等の位置を示す可動式の印と供給紙を示し、印を操作しユーザーの希望する切断位置に停止する事により、ユーザーの希望する切断サイズに関する切断情報を取り出す事ができる情報の選択具を備えた請求項１、２、３、４、５、６、７、８、９、１０、１１、１２、１３、１４、１５、１６、１７、１８、１９、２０、２１の紙の切断装置である。
【００５１】
請求項２３の発明は、画面を設け、この画面は、縮小サイズで供給紙と切断具等の位置を示す可動式の印であるバーを表示し、バーを画面内のユーザーの希望する切断位置に停止する事により、ユーザーの希望する切断サイズに関する切断情報を取り出す事ができる情報の選択具を備えた請求項１、２、３、４、５、６、７、８、９、１０、１１、１２、１３、１４、１５、１６、１７、１８、１９、２０、２１、２２の紙の切断装置である。
【００５２】
請求項２４の発明は、ｍｍ又はｃｍを単位とした目盛りを表示する事ができる情報の選択具を備えた請求項２０、２１、２２、２３の紙の切断装置である。
【００５３】
請求項２５の発明は、定型用紙サイズの各サイズや定型用紙サイズの各サイズの各等分サイズや写真サイズの決められた各サイズやハガキサイズの決められた各サイズや名刺サイズの決められた各サイズやカードサイズの決められた各サイズやこれら以外の決められた各サイズや決められた各サイズ等の単体サイズの縦横のそれぞれの方向を一目盛りとした単位の目盛りを表示する事ができる情報の選択具を備えた請求項２０、２１、２２、２３の紙の切断装置である。
【００５４】
請求項２６の発明は、請求項２４と請求項２５の目盛りを併設した情報の選択具を備えた請求項２０、２１、２２、２３の紙の切断装置である。
【００５５】
請求項２７の発明は、切断に関するプログラム及びデータを格納し保持し取り出す事ができる記憶装置を備え、自動切断の制御装置がコンピュータシステムで成る請求項１、２、３、４、５、６、７、８、９、１０、１１、１２、１３、１４、１５、１６、１７、１８、１９、２０、２１、２２、２３、２４、２５、２６の紙の切断装置である。
【００５６】
請求項２８の発明は、情報の収納具、情報の選択具の全て或いはいずれか或いは一部を切断装置の外部に移した請求項１、２、３、４、５、６、７、８、９、１０、１１、１２、１３、１４、１５、１６、１７、１８、１９、２０、２１、２２、２３、２４、２５、２６、２７の紙の切断装置である。
【００５７】
請求項２９の発明は、片側端寄せの給紙方法で、各サイズの紙を作る事ができる請求項１、２、３、４、５、６、７、８、９、１０、１１、１２、１３、１４、１５、１６、１７、１８、１９、２０、２１、２２、２３、２４、２５、２６、２７、２８の紙の切断装置である。
【００５８】
請求項３０の発明は、片側端寄せの給紙方法で、切断具等の設置を一組に限定して各サイズの紙を作る事ができる請求項１、２、３、４、５、６、７、８、９、１０、１１、１２、１３、１４、１５、１６、１７、１８、１９、２０、２１、２２、２３、２４、２５、２６、２７、２８の紙の切断装置である。
【００５９】
請求項３１の発明は、片側端寄せの給紙方法で、切断具等の設置を縦方向の一組と横方向の一組に限定して、縦横の一方又は双方の方向を切断して各サイズの紙を作る事ができる請求項１、２、３、４、５、６、７、８、９、１０、１１、１２、１３、１４、１５、１６、１７、１８、１９、２０、２１、２２、２３、２４、２５、２６、２７、２８の紙の切断装置である。
【００６０】
請求項３２の発明は、縦横のいずれか一方又は双方に複数の刃を設け、各サイズの紙を作る事ができる請求項１、２、３、４、５、６、７、８、９、１０、１１、１２、１３、１４、１５、１６、１７、１８、１９、２０、２１、２２、２３、２４、２５、２６、２７、２８の紙の切断装置である。
【００６１】
請求項３３の発明は、縦横のいずれか一方又は双方に複数の刃を設け、複数刃の一部或いは全てを等間隔に連動させ、各サイズの紙を作る事ができる請求項３２の紙の切断装置である。
【００６２】
請求項３４の発明は、切断位置の制御装置を用いて折り目を作る事が出来る加工具を備えた請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３の紙の切断装置である。
【００６３】
請求項３５の発明は、切断位置の制御装置を用いてミシン目の切り取り線を作る事が出来る加工具を備えた請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３の紙の切断装置である。
【００６４】
請求項３６の発明は、切断位置の制御装置を用いて紙以外の素材を切断できる切断具を備えた請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３の紙の切断装置である。
【００６５】
請求項３７の発明は、事務用家庭用紙の切断装置に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置である。
【００６６】
請求項３８の発明は、連続して送られる紙を切断具により供給方向に向けて切断する事ができる事務用家庭用紙の切断装置に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置である。
【００６７】
請求項３９の発明は、連続して送られる紙を切断具により供給方向と直角に交差する方向に切断する事ができる事務用家庭用紙の切断装置に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置である。
【００６８】
請求項４０の発明は、請求項３８の切断装置と請求項３９の切断装置を併設する事務用家庭用紙の切断装置に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３１、３２、３３、３４、３５、３６の紙の切断装置である。
【００６９】
請求項４１の発明は、切断場所に大量に積まれた紙を切断する事ができる事務用家庭用紙の切断装置に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置である。
【００７０】
請求項４２の発明は、事務用家庭用コピー機に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置である。
【００７１】
請求項４３の発明は、事務用製版印刷機に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置である。
【００７２】
請求項４４の発明は、事務用家庭用プリンタに備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置である。
【００７３】
請求項４５の発明は、コピー機能を装備した事務用家庭用複合機に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置である。
【００７４】
請求項４６の発明は、プリント機能を装備した事務用家庭用複合機に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置である。
【００７５】
請求項４７の発明は、事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置である。
【００７６】
請求項４８の発明は、ユニットシステムにして事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器に備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置である。
【００７７】
請求項４９の発明は、事務用家庭用シュレッダーに備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置である。
【００７８】
請求項５０の発明は、事務用家庭用紙の切断装置の全て或いは一部を備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置である。
【００７９】
請求項５１の発明は、事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器の全て或いは一部を備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置である。
【００８０】
請求項５２の発明は、事務用家庭用シュレッダーの全て或いは一部を備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置である。
【００８１】
請求項５３の発明は、紙の切断のみを行なう事が出来る請求項４２、４３、４４、４５、４６、４７、４８の紙の切断装置である。
【発明の効果】
【００８２】
先ず、本発明は、従来技術の優れた技術を受け継ぐ事が可能である。
｛尚、本発明の装置は、一般的な紙の切断装置として使用する事が可能であり、段落番号０００５の背景技術で示す特許文献１、特許文献２の多種な欠陥（制約）が無い技術である。｝
即ち、事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器により、日々、会社や商店、官庁や役場、学校や病院、町内や家庭等の「ほとんどの場所」で莫大な量で消費や浪費が行われている書類や用紙などの廃紙を、わずかな手間で等分に大量に切断する事により裏面利用のメモ用紙として再生し、又Ａ５やＢ６や更にこれに満たないサイズを含む適正最小定型用紙サイズでの書類作りや用紙作り等を容易にする事により紙資源の節約を可能にする。
又、コピー前後やプリント前後やその他の紙を切断する動作を自動で行うことにより紙の切断の仕事を軽減する。
【００８３】
これにより、いちいち各サイズ別に定型用紙を数多く備える必要がなく、Ａ判とＢ判の通常使用する最大サイズの各一種類の定型用紙があれば、これ以下の各定型用紙サイズのコピーやプリントやその他の書類作りや用紙作り等が適宜に可能になる。
又、コピー時やプリント時の小サイズの用紙切れに大サイズの切断で容易に対応が可能になる。
【００８４】
更に、「ほとんどの場所」では、Ａ判とＢ判の通常使用する最大サイズの各一種類の定型用紙があれば、各定型用紙サイズのコピー用紙やプリント用紙やその他の紙を常時備える必要性がなく、コピー用紙やプリント用紙やその他の紙の保管場所を小さくする。
又、コピー済みやプリント済みの書類や用紙等を切断して小さくする事、或いはコピー済みやプリント済みの書類や用紙等の必要部分を切断して小さくする事により、コピー済みやプリント済みの書類や用紙等の保管場所を小さくする。
【００８５】
又、請求項４２、４３、４４、４５、４６、４７の発明の事務用家庭用の紙に情報を写す機器に備えた紙の切断装置や請求項４８のユニットシステムにして事務用家庭用の紙に情報を写す機器に備えた紙の切断装置の提供により、先ずユーザーの執務面において意識面において、紙資源の節約や再利用を実施する為の最良な方法となり、本発明装置を該当機の作業のし易い身近な場所に配置する事が可能であり、本発明装置と該当機の動力や電力の共有、紙の供給場所や排出場所や軌道等のスペースの共有、用紙サイズや用紙枚数等の情報の共有、パネルやスイッチやボタン等の情報伝達手段の共有等が可能であり、作業効率の向上や設備の共有化や簡略化を可能にする。
【００８６】
又、本発明は、本発明装置を装備する該当機の用紙収納スペースを減らす事が可能であり、その分該当機を大型化する事無く、或いはさほど大型化する事なく本発明の装置を備える事が可能である。
【００８７】
更に、本発明装置をユニットシステムにして該当機に備える事により、数多い本発明装置の機種の中から数多い該当機へのユーザーによる用途に応じた選択が適宜に可能となる。
又、予算に応じて後日の取り付けが容易に可能となる。
又、該当機の生産（需要）と別管理が可能であり、本発明装置のみの都合で本発明装置の増産或いは減産或いは生産の中止が可能である。
更に、該当機との組み合わせでも単独でも使用できる様にする事が可能であり、用紙カセットユニットを備える機であれば、形状を用紙カセットユニットの形状に合わせる事が可能である。
【００８８】
請求項４９の発明に関しても、概して前記の請求項４２、４３、４４、４５、４６、４７、４８の発明に準ずる通りである。
加えて、シュレッダーに備える場合や本発明装置を独立した商品とした場合は、先の情報を紙に写す機器に最初から本発明装置を装備する場合と比較してはるかに低価格の商品の提供が可能であり、ユーザーにとっては容易な購入が可能である。
【００８９】
以上、従来技術の利点を受け継ぐ発明の効果の概要について示したが、次に本発明に関する独自の発明の効果の概要について示す。
即ち、請求項１、２、３、４、５、６、７、８の発明は、切断具等をユーザーが決定した切断位置に自動でセットし、紙の切断の自動化を可能にし、切断時の紙ずれや紙食い込みを防止し、目視により手動でこれを制御し切断する場合と比較して、紙の切断に関する人為的手間を減らし、これらに係わる仕事を便利に正確に行い、短時間に一枚から大量の切断を可能にする。
【００９０】
請求項１、２、３、９、１０、１１、１２、１３、１４、１５、１６、１７、１８、１９の発明は、予め設置した切断具等を紙の供給サイズや切断サイズに合わせて取り替える必要がなく、各用途に応じた切断を可能にして（切断用途を広くして）、これらに関する作業を便利にする。又、これらの切断行為自体が、大きなサイズを小さくして使用する事であり、紙資源の節約を行なう為の行為となる。
例えば、定型用紙サイズの各サイズの紙を各等分に切断して定型用紙サイズの各サイズの紙を作る事ができる紙の切断装置の提供により、切断後に無駄紙の発生の無い紙資源の節約ができる適正サイズの定型用紙サイズの紙を容易に作る（この発明の効果は、従来技術の利点を受け継ぐ）。
例えば、定型用紙サイズの各サイズの各等分に切断する事ができる紙の切断装置の提供により、自由なサイズの紙の給紙を可能にし（規格に合った供給紙や規格外の供給紙の使用を可能にし）、紙資源の節約ができる適正サイズの紙を容易に作る。更に、定型用紙サイズにする切断に加えて、短冊切りにして垂れを作る事を可能にする。
例えば、定型用紙サイズの各サイズに切断する事ができる紙の切断装置の提供により、自由なサイズの紙の給紙を可能にし（規格に合った供給紙や規格外の供給紙の使用を可能にし）、紙資源の節約ができる適正サイズの定型用紙サイズの紙を容易に作る。
例えば、写真サイズの決められた各サイズに切断する事ができる紙の切断装置の提供により、自由なサイズの紙の給紙を可能にし（規格に合った供給紙や規格外の供給紙の使用を可能にし）、例えば、標準的に使用するサイズをＬサイズに出来、集合写真やパネル写真は２Ｌサイズや四切りサイズや六切りサイズに出来、風景写真はパノラマサイズに出来、更に証明写真やシール写真等も容易に作り、時にこの作業を楽しくする。
例えば、ハガキサイズ、名刺サイズ、カードサイズの決められた各サイズに切断する事ができる紙の切断装置の提供により、自由なサイズの紙の給紙を可能にし（規格に合った供給紙や規格外の供給紙の使用を可能にし）例えば、オリジナルハガキ、オリジナル名刺、オリジナルカードを容易に作り、時にこの作業を楽しくする。
例えば、決められた各サイズに切断する事ができる紙の切断装置の提供により、自由なサイズの紙の給紙を可能にし（規格に合った供給紙や規格外の供給紙の使用を可能にし）、一般的に使用されているサイズ、一般的に市販されているサイズ、或いは一般的に使用されるサイズ、一般的に市販されるサイズ等を容易に作る。
例えば、切断情報の一部又は全てを組み合わせた各サイズに切断する事ができる紙の切断装置の提供により（規格に合った供給紙や規格外の供給紙の使用を可能にし）オリジナルサイズの紙を容易に作る。
例えば、ユーザーが設定した独自の各サイズに切断する事ができる紙の切断装置の提供により、自由なサイズの紙の給紙を可能にし（規格に合った供給紙や規格外の供給紙の使用を可能にし）、自由なサイズの紙を容易に作る。
【００９１】
請求項３４、３５の発明は、折り目や切り取り線を作る事ができる加工具を請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３の発明に備える事を可能にして、例えば、封書や返信用書類や返信用はがきやその他の折りたたみが必要な書類や切り取りが必要な書類の作成等、使用可能な作業用途を広くし、これらに係わる作業を便利にする。
【００９２】
請求項３６の発明は、例えば、合成樹脂材や金属材や木材や繊維材や複合材やその他の材料の切断ができる切断具を請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３の発明に備える事を可能にして、使用可能な切断用途を広くし、これらに係わる作業を便利にする。
【００９３】
請求項２９、３０、３１の発明は、片側端寄せの技術に関しており、更に請求項１、２、３、４、５、６、７、８、９、１０、１１、１２、１３、１４、１５、１６、１７、１８、１９、２０、２１、２２、２３、２４、２５、２６、２７、２８、３２、３３、３４、３５、３６、３７、３８、３９、４０、４１、４２、４３、４４、４５、４６、４７、４８、４９、５０、５１、５２、５３の発明は、片側端寄せの技術に関しており或いは関する事を可能にしており、片側端寄せで給紙する事務用家庭用コピー機や事務用家庭用プリンタ等の事務用家庭用の紙に情報を写す機器及び事務用家庭用シュレッダーと特別な装置を必要とせず給紙場所の兼用が可能であり、又片側の端に寄せて排紙する事務用家庭用コピー機や事務用家庭用プリンタ等の事務用家庭用の紙に情報を写す機器より排出した紙を、特別な装置を必要とせず継続して切断する事を可能にする等、構造を簡単にする。
又、片側端寄せで給紙する本発明装置の場合、及び片側端寄せで給紙する本発明装置と片側端寄せで給紙する事務用家庭用コピー機や事務用家庭用プリンタ等の事務用家庭用の紙に情報を写す機器及び事務用家庭用シュレッダーと給紙場所を兼用する場合は、給紙方向と反対側に側面紙押さえを設け、給紙作用の邪魔になる事を防止し、給紙作用で側面紙押さえが給紙方向にずれるのを防止する。
即ち、図１（１‐３）で示した中央寄せの欠陥を解決する技術を可能にする。
【００９４】
請求項１７の発明は、請求項９、１１、１２、１３、１４、１５、１６の発明を、一つに集約した技術であり、請求項９、１１、１２、１３、１４、１５、１６の発明の効果を所有する。
【００９５】
請求項２０、２１、２２、２３、２４、２５、２６の発明は、デジタルに関する技術を請求項１、２、３、４、５、６、７、８、９、１０、１１、１２、１３、１４、１５、１６、１７、１８、１９等の発明に備える事を可能にする。
即ち、デジタル操作が可能な本請求項の切断情報は、切断具等の位置を示す可動式の印を供給紙上をタイムリーに移動させる事ができ、目視によりこれを確認する事により、実際の切断後のサイズを容易に把握する事ができ、間違いを防止した正確な切断を可能にする。加えて、切断具等の位置を示す可動式の印の停止位置をデジタルに、即ちｃｍやｍｍや定型用紙サイズの各サイズや定型用紙サイズの各サイズの各等分サイズや写真サイズの決められた各サイズやハガキサイズの決められた各サイズや名刺サイズの決められた各サイズやカードサイズの決められた各サイズやこれら以外の決められた各サイズや決められた各サイズ等で表示する事により、切断位置を数値や各サイズの名称で確認する事ができ、更に間違いを防止した正確な切断を可能にする。
【００９６】
請求項２７の発明は、請求項１、２、３、４、５、６、７、８、９、１０、１１、１２、１３、１４、１５、１６、１７、１８、１９、２０、２１、２２、２３、２４、２５、２６の発明を具体的で詳細な技術を用いて明確に示した技術であり、コンピュータシステムで切断を制御する事により、請求項１、２、３、４、５、６、７、８、９、１０、１１、１２、１３、１４、１５、１６、１７、１８、１９、２０、２１、２２、２３、２４、２５、２６の発明を、更に便利に正確にする。
【００９７】
請求項２８の発明は、請求項１、２、３、４、５、６、７、８、９、１０、１１、１２、１３、１４、１５、１６、１７、１８、１９、２０、２１、２２、２３、２４、２５、２６、２７の発明を具体的で詳細な技術を用いて明確に示した技術であり、コピー時やプリント時に、或いはパソコンや手作業等で原稿や原画の作成時に、ユーザーの希望する切断の指示を発明装置に送る事を可能にし、請求項１、２、３、４、５、６、７、８、９、１０、１１、１２、１３、１４、１５、１６、１７、１８、１９、２０、２１、２２、２３、２４、２５、２６、２７の発明を、更に便利にする。
【００９８】
請求項３０、３１、３２の発明は、請求項１、２、３、４、５、６、７、８、９、１０、１１、１２、１３、１４、１５、１６、１７、１８、１９、２０、２１、２２、２３、２４、２５、２６、２７、２８、２９の発明を具体的で詳細な技術を用いて明確に示した技術であり、請求項１、２、３、４、５、６、７、８、９、１０、１１、１２、１３、１４、１５、１６、１７、１８、１９、２０、２１、２２、２３、２４、２５、２６、２７、２８、２９の発明装置の技術を、更に確実、便利にする。
例えば、切断具等の設置を一組及び二組に限定する紙の切断装置の提供により、構造を簡素にして低価格の商品の提供を可能にする。
例えば、複数の刃に関する紙の切断の装置の提供により、一度に複数個所を、手間を掛けずに短時間の切断を可能にする。
【００９９】
請求項３３の発明は、請求項３２の発明を具体的で詳細な技術を用いて明確に示した技術であり、請求項３２の発明装置の技術を、更に確実、便利にする。
例えば、複数刃の一部或いは全てを等間隔に連動させる紙の切断装置の提供により、一度に複数個所の切断具等を制御する事が可能であり、更に紙の左右又は上下の両端或いは左右上下の四端にある余白等の必要の無い部分を除いた必要部分の等分の切断を可能し、更に手間を掛けずに短時間の切断を可能にする。
【０１００】
請求項３７、３８、３９、４０、４１の発明は、事務用家庭用紙の切断装置、連続して送られる紙を切断具により供給方向に切断する事ができる事務用家庭用紙の切断装置、連続して送られる紙を切断具により供給方向と直角に交差する方向に切断する事ができる事務用家庭用紙の切断装置、請求項３８の切断装置と請求項３９の切断装置を併設する事務用家庭用紙の切断装置、切断場所に大量に積まれた紙を切断する事ができる事務用家庭用紙の切断装置に備える技術であり、該当する発明装置に請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６或いは請求項１、２、３、４、５、６、７、８、９、１０、１１、１２、１３、１４、１５、１６、１７、１８、１９、２０、２１、２２、２３、２４、２５、２６、２７、２８、２９、３１、３２、３３、３４、３５、３６の発明の効果を付与する事を可能にする。
【０１０１】
請求項４２、４３、４４、４５、４６、４７、４８、４９の発明は、事務用家庭用コピー機、事務用製版印刷機、事務用家庭用プリンタ、コピー機能を装備した事務用家庭用複合機、プリント機能を装備した事務用家庭用複合機、更に事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器、更にユニットシステムにした事務用家庭用コピー機や事務用製版印刷機や事務用家庭用プリンタやコピー機能を装備した事務用家庭用複合機やプリント機能を装備した事務用家庭用複合機、更にユニットシステムにした事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器、更に事務用家庭用シュレッダーに備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の発明装置の技術であり、該当する機器に請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の発明の効果を付与する事を可能にする。
【０１０２】
請求項５０、５１、５２の発明は、事務用家庭用紙の切断装置の全て或いは一部を、事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器の全て或いは一部を、事務用家庭用シュレッダーの全て或いは一部を備える事が出来る請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の発明の技術であり、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の発明に該当装置や該当機器の技術の効果の全て或いは一部を付与する事を可能にする。
【０１０３】
請求項５３の発明は、特許文献１、特許文献２の欠陥（段落番号０００５）を解消した特許文献３の発明に関する事を明確にする。
【図面の簡単な説明】
【０１０４】
【図１】側面紙押さえの技術を示す概略図
【図２】情報の収納具に収めた切断情報に関する図（表）
【図３】供給紙と切断位置（切断番号）を示す概略図
【図４】切断手順の概要を示す概略図
【図５】情報の収納具に収めた切断情報に関する図（表）
【図６】供給紙と切断位置（切断番号）を示す概略図
【図７】切断手順の概要を示す概略図
【図８】情報の収納具に収めた切断情報に関する図（表）
【図９】供給紙と切断位置（切断番号）を示す概略図
【図１０】情報の収納具に収めた切断情報に関する図（表）
【図１１】供給紙と切断位置（切断番号）を示す概略図
【図１２】切断手順の概要を示す概略図
【図１３】切断手順の概要を示す概略図
【図１４】切断の種類を示す概略図
【図１５】情報の収納具に収めた切断情報に関する図（表）
【図１６】供給紙と切断位置（切断番号）を示す概略図
【図１７】切断手順の概要を示す概略図
【図１８】情報の収納具に収めた切断情報に関する図（表）
【図１９】供給紙と切断位置（切断番号）を示す概略図
【図２０】切断の種類を示す概略図
【図２１】情報の収納具に収めた切断情報に関する図（表）
【図２２】情報の収納具に収めた切断情報に関する図（表）
【図２３】情報の収納具に収めた切断情報に関する図（表）
【図２４】情報の収納具に収めた切断情報に関する図（表）
【図２５】情報の収納具に収めた切断情報に関する図（表）
【図２６】供給紙と切断位置（切断番号）を示す概略図
【図２７】供給紙と切断位置（切断番号）を示す概略図
【図２８】供給紙と切断位置（切断番号）を示す概略図
【図２９】供給紙と切断位置（切断番号）を示す概略図
【図３０】供給紙と切断位置（切断番号）を示す概略図
【図３１】切断手順の概要を示す概略図
【図３２】切断手順の概要を示す概略図
【図３３】請求項１、２、３、４、５、６、７、８、２７等に関するその他の実施例を示す概略図
【図３４】起点位置と長さの情報の関係を示すその他の実施例の概略図
【図３５】起点位置と長さの情報の関係を示すその他の実施例の概略図
【図３６】長さの情報の実施例を示す概略図
【図３７】切断具の駆動の開始位置を示す実施例を示す概略図
【図３８】複数の切断具等と起点位置に関するその他の実施例に関する概略図
【図３９】事務用家庭用紙の切断装置に備えた本発明の紙の切断装置に関する概略図
【図４０】事務用家庭用紙の切断装置に備えた本発明の紙の切断装置に関する概略図
【図４１】事務用家庭用紙の切断装置に備えた本発明の紙の切断装置に関する概略図
【図４２】事務用家庭用紙の切断装置に備えた本発明の紙の切断装置に関する概略図
【図４３】事務用家庭用紙の切断装置に備えた本発明の紙の切断装置に関する概略図
【発明を実施するための形態】
【実施例１】
【０１０５】
図２、３、４は、請求項１、２、３、４、５、６、７、８、９、１０、１１、１７、２７、２９、３０、３７、３８、４１、その他に関する形態を示す代表例であり、図２は、請求項４を説明の軸として、その他の請求項に関する形態を示す代表例であり、切断位置の制御装置に設けた情報の収納具の切断情報に関して示している。
【０１０６】
図２には、この切断情報と、この切断内容と、この切断番号が示されている。
図２のこの切断内容は、Ａ３、Ｂ４、Ａ４、Ｂ５、Ａ５、Ｂ６の定型用紙サイズの各サイズの紙を、片側端寄せで給紙し二等分に切断してＡ４、Ｂ５、Ａ５、Ｂ６、Ａ６、Ｂ７の定型用紙サイズの各サイズの紙を作る切断について示している（請求項１、２、３、４、９、１０、１１、１７、２７、２９、３０、その他に関する）。
この切断情報は、この切断内容を実施する為の情報であり、多種な切断後のサイズを選択し取り出しができる様に、これに関する情報を予め記憶装置である情報の収納具に収納したものであり、切断具等を各サイズに応じた切断位置にセットする為の制御情報である。
この切断番号は、各切断情報に番号を付したものであり、各切断情報の切断位置を称する為や他に用いる。
【０１０７】
この切断情報の中には、長さの情報（数字ｍｍ）、切断具等の区分の情報（英字）が保管されている
長さの情報は、図例では、切断具等を駐具する位置を起点として、起点から各切断位置までの切断具等が移動する長さを管理する為の情報で示している。
具体的には、図３、４で壁際等にある紙端を切断の起点Ｐ１として設け、長さの情報＝各用紙サイズの長辺の長さ（ｍｍ）×１／２の概数を規格に合わせた数で設けている。
切断具等の区分の情報は、切断位置を切断する為の切断具等の種類の情報である。
具体的には、図２、３、４の切断情報や切断番号の英字Ｔが切断具等の区分の情報であり、図４の切断具１ｔ等に関する切断情報や切断番号である事を示す。
【０１０８】
即ち、具体的に図２を示せば、切断具１ｔ等に関する切断位置を示す各切断番号をＴ１、Ｔ２、Ｔ３、Ｔ４、Ｔ５、Ｔ６として設け、この切断を実施する為の各切断情報を、Ｔ２１０ｍｍ、Ｔ１８２ｍｍ、Ｔ１４８ｍｍ、Ｔ１２８ｍｍ、Ｔ１０５ｍｍ、Ｔ９１ｍｍとして設けている。
【０１０９】
図３は図２の定型用紙サイズの各サイズの供給紙と各切断位置を縮小サイズの概略図で示し、起点Ｐ１と各切断位置に該当する切断番号を示している。
【０１１０】
図４の概略図は、請求項４、５、６、７、８、２７を説明の軸として、その他の請求項に関する形態を示す代表例であり、電源を入れ、紙を供給し、図２の切断情報を収めた情報の収納具を備えた紙の切断装置により自動で紙の切断を開始し、完了するまでの手順の概要を示す代表例である。
【０１１１】
図４（４‐１）は発明装置に電源を入れる事を示す。
【０１１２】
図４（４‐２）は紙の供給を示す。
図例は、Ａ４サイズの定型用紙を給紙している。
詳しくは、給紙トレイや給紙カセット等の切断場所又は供給場所にＡ４サイズの定型用紙９１を縦方向（図例では上下方向）と横方向（図例では左右方向）を一定方向に揃えて、縦方向を片側端寄せで（図の下方にある側面紙押さえ２ｈにより図の上方にある壁２１ｃ等に寄せて）給紙している。
【０１１３】
図４（４‐３）は、図２の切断情報を備えた切断位置の制御装置（請求項１、２、３、７等に関する）及び切断位置の制御装置を備えた紙の自動切断の制御装置（請求項８、２７等に関する）により紙の切断が開始される事を示しており、図４（４‐３）、（４‐４Ａ）、（４‐４Ｂ）は、請求項１、２、３、５等に関して示しており、ユーザーが希望する切断サイズに関する切断情報を情報の選択具により、情報の収納具から選択する事を示す。
【０１１４】
図４（４‐３）は、Ａ５サイズに切断したい事を伝達している。
詳しくは、例えばタッチパネルやボタン等の情報を伝達する為の情報の選択具により、取り出し可能な切断後の定型用紙サイズの中からＡ５サイズを選択した事を示す。
即ち、図例は本発明が定型サイズの紙を二等分に切断する事に限定した発明である為、「何サイズを」又は「何サイズに」のいずれかを伝達する事により切断が可能となる。
【０１１５】
尚、供給した用紙サイズを自動的に認識する機能を備える用紙サイズの自動認識装置を設ける場合は、この用紙サイズの自動認識装置が情報の選択具を兼ねる事が可能であり、この場合は手動で「何サイズを」を伝達する必要はない。
尚、自動認識のボタンの図示は省略しているが、自動認識の選択は、例えば、スキャナー等のセンサーにより供給紙のサイズを感知し供給紙のサイズを自動で認識する事を示す。或いは、側面紙押さえの紙押さえ時の停止位置の情報やその他により供給紙のサイズを自動で認識する事を示す。
又、供給紙サイズの自動認識装置を備えるコピー機やプリンタ等の紙に情報を写す機器に設ける場合は、この装置を兼用可能にしてこの情報を共有する事が可能である。
【０１１６】
図４（４‐４Ａ）は、情報の選択具により図２で示した記憶装置である情報の収納具に収納されている切断情報の中からユーザーが希望する切断に関する情報が取り出された事を示す。
図例では、切断位置を示す切断番号Т３の切断情報＝Ｔ１４８ｍｍ（切断具等の区分の情報＝切断に使用する切断具等の種類＝１ｔ等、長さの情報＝起点Ｐ１から切断番号Т３までの長さ＝１４８ｍｍ）が取り出された事を示す。
【０１１７】
図４（４‐４Ｂ）は、切断装置の概略図（部分図）であり、図２の中から取り出した切断情報により、（起点Ｐ１の位置にある切断具１ｔ等を切断番号Ｔ３の切断位置に移動させることにより、）ユーザーが希望する切断サイズに切断する事が出来る事を示す。
【０１１８】
図４（４‐５）は、請求項１、２、３、６等に関して示しており、情報の収納具から取り出した切断情報により切断具等を切断番号Ｔ３の切断位置に移動させる為の動力を制御して切断具１ｔ等を切断位置に移動した事を示す。
【０１１９】
尚、切断具１ｔ等とは、紙を切断する為の切断具１ｔに加えて、切断時の紙ずれを防止する為に紙面を押さえる為の紙面押さえや、切断時に切断具が入る為の切断具が入る為の溝或いは隙間や、紙を供給する為の給紙ローラーや、紙を排出する為の排紙ローラーや、その他の内、必要に応じて切断具と一体となり切断具の移動に合わせて切断個所や切断個所付近に移動する必要がある具である。
又、切断具の切断時の設定位置を一定位置に固定して、ユーザーが選択し取り出した用紙サイズに応じて切断場所（紙や側面紙押さえ等）を移動させる場合は、切断場所（紙や側面紙押さえ）等を制御する。即ち、「切断場所」が「切断具等」に該当する。
【０１２０】
図４（４‐６）、（４‐７）は、（４‐５）の作業により、切断位置の制御装置の稼働が完了し、自動切断の制御装置（請求項８、２７等）の稼働が継続される事を示す。
図例では、切断位置の制御装置の働きにより切断位置に移動しセットされた切断具１ｔ等は、予め設けられた切断の為のコンピューター等の制御によるプログラム等に従い、前記の作業に継続して切断具である丸刃が回転を開始し、（供給紙上方にある）切断具等が下降し、丸刃が供給紙を横断して、或いは供給紙が丸刃を横断して、紙を切断して、丸刃が回転を停止し、切断具等が上昇し、切断具等が駐具されていた元の位置（起点Ｐ１）に戻り、自動切断の制御装置の稼働が完了する事を示している。
図４（４‐６）は、切断番号Ｔ３の切断位置に移動した切断具である丸刃が回転を開始し、紙の設置位置まで下降し、切断を開始した事を示す。
図４（４‐７）は、切断が終了し、丸刃が回転を停止し、切断具等が上昇し、この後切断具等は次の切断の邪魔にならない様に、次の紙の切断時の軌道から外れた場所にある駐具場所（起点Ｐ１）に戻る事を示している。
【０１２１】
尚、切断具は、例えば、刃先に歯の有る丸刃、刃先に歯の無い丸刃、上下動する刃先に歯の有る直刃、上下動する刃先に歯の無い直刃、移動刃である上刃を固定刃である下刃と交差させる方法（ギロチン式）、支点を基にして移動刃である上刃を固定刃である下刃と交差させる方法、切り出し（先の鋭利な刃）で引く方法、その他の方法が可能である。
【０１２２】
図４（４‐８）は、用紙の取り出しを示す。
図４（４‐９）は、電源を切る事を示す。
【０１２３】
この実施例１の代表例以外の切断情報を設ける場合は、前記の代表例の要領に準じた要領で設ける。
この実施例１の代表例以外のサイズの切断を行なう場合は、前記の代表例の要領に準じた作業手順で行なう。
【実施例２】
【０１２４】
図５、６、７は、請求項１、２、３、４、５、６、７、８、９、１０、１１、１７、２７、２９、３０、３７、３９、４１、その他に関する形態を示す代表例であり、図５は、請求項４を説明の軸として、その他の請求項に関する形態を示す代表例であり、切断位置の制御装置に設けた情報の収納具の切断情報に関して示している。
【０１２５】
図５には、この切断情報と、この切断内容と、この切断番号が示されている。
図５のこの切断内容は、図２の紙の供給方法を、縦横の方向を９０度方向転換し、切断方向を変えて、Ａ３、Ｂ４、Ａ４、Ｂ５、Ａ５、Ｂ６の定型用紙サイズの各サイズの紙を、片側端寄せで給紙し二等分に切断してＡ４、Ｂ５、Ａ５、Ｂ６、Ａ６、Ｂ７の定型用紙サイズの各サイズの紙を作る切断について示している（請求項１、２、３、４、９、１０、１１、１７、２７、２９、３０、その他に関する）。
この切断情報は、この切断内容を実施する為の情報であり、多種な切断後のサイズを選択し取り出しができる様に、これに関する情報を予め記憶装置である情報の収納具に収納したものであり、切断具等を各サイズに応じた切断位置にセットする為の制御情報である。
この切断番号は、各切断情報に番号を付したものであり、各切断情報の切断位置を称する為や他に用いる。
【０１２６】
この切断情報の中には、長さの情報（数字ｍｍ）、切断具等の区分の情報（英字）が保管されている
長さの情報は、図例では、切断具等を駐具する位置を起点として、起点から各切断位置までの切断具等が移動する長さを管理する為の情報で示している。
具体的には、図６、７で壁際等にある紙端を切断の起点Ｐ２として設け、長さの情報＝各用紙サイズの長辺の長さ（ｍｍ）×１／２の概数を規格に合わせた数で設けている。
切断具等の区分の情報は、切断位置を切断する為の切断具等の種類の情報である。
具体的には、図５、６、７の切断情報や切断番号の英字Ｓが切断具等の区分の情報であり、図７の切断具１ｓ等に関する切断情報や切断番号である事を示す。
【０１２７】
即ち、具体的に図５を示せば、切断具１ｓ等に関する切断位置を示す各切断番号をＳ３１、Ｓ３２、Ｓ３３、Ｓ３４、Ｓ３５、Ｓ３６として設け、この切断を実施する為の各切断情報を、Ｓ２１０ｍｍ、Ｓ１８２ｍｍ、Ｓ１４８ｍｍ、Ｓ１２８ｍｍ、Ｓ１０５ｍｍ、Ｓ９１ｍｍとして設けている。
【０１２８】
図６は図５の定型用紙サイズの各サイズの供給紙と各切断位置を縮小サイズの概略図で示し、起点Ｐ２と各切断位置に該当する切断番号を示している。
【０１２９】
尚、図５の切断番号のかっこ内は、図２の切断番号である。
即ち、図５の切断内容は、図２の紙の供給方法を縦横の方向を９０度方向転換し、切断方向を変えたものであり、図２と図５の切断情報の長さの情報（数字ｍｍ）は同じ数値である。
即ち、長さの情報が同一の場合には、この長さの情報に図２と図５の双方の切断具等の区分の情報（英字＝Ｔ、Ｓ）を設け、この切断具等の区分の情報を選択可能にする事により、図２と図５の長さの情報を一つの共通の切断情報として管理する事が可能となる。
【０１３０】
図７の概略図は、請求項４、５、６、７、８、２７を説明の軸として、その他の請求項に関する形態を示す代表例であり、電源を入れ、紙を供給し、図５の切断情報を収めた情報の収納具を備えた紙の切断装置により自動で紙の切断を開始し、完了するまでの手順の概要を示す代表例である。
【０１３１】
図７（７‐１）は発明装置に電源を入れる事を示す。
【０１３２】
図７（７‐２）は紙の供給を示す。
図例は、Ａ４サイズの定型用紙を給紙している。
詳しくは、給紙トレイや給紙カセット等の切断場所又は供給場所にＡ４サイズの定型用紙９１を縦方向（図例では左右方向）と横方向（図例では上下方向）を一定方向に揃えて、用紙の縦方向を片側端寄せで（図の左方にある側面紙押さえ２ｉにより図の右方にある壁２１ｄ等に寄せて）給紙している。
【０１３３】
図７（７‐３）は、図５の切断情報を備えた切断位置の制御装置（請求項１、２、３、７等に関する）及び切断位置の制御装置を備えた紙の自動切断の制御装置（請求項８、２７等に関する）により紙の切断が開始される事を示しており、図７（７‐３）、（７‐４Ａ）、（７‐４Ｂ）は、請求項１、２、３、５等に関して示しており、ユーザーが希望する切断サイズに関する切断情報を情報の選択具により、情報の収納具から選択する事を示す。
【０１３４】
図７（７‐３）は、Ａ５サイズに切断したい事を伝達している。
詳しくは、例えばタッチパネルやボタン等の情報を伝達する為の情報の選択具により、取り出し可能な切断後の定型用紙サイズの中からＡ５サイズを選択した事を示す。
即ち、図例は本発明が定型サイズの紙を二等分に切断する事に限定した発明である為、「何サイズを」又は「何サイズに」のいずれかを伝達する事により切断が可能となる。
【０１３５】
尚、供給した用紙サイズを自動的に認識する機能を備える用紙サイズの自動認識装置を、段落番号０１１５の要領に準じて設ける事が可能であり、段落番号０１１５の要領に準じて行なう事が可能である。
【０１３６】
図７（７‐４Ａ）は、情報の選択具により図５で示した記憶装置である情報の収納具に収納されている切断情報の中からユーザーが希望する切断に関する情報が取り出された事を示す。
図例では、切断位置を示す切断番号Ｓ３３の切断情報＝Ｓ１４８ｍｍ（切断具等の区分の情報＝切断に使用する切断具等の種類＝１ｓ等、長さの情報＝起点Ｐ２から切断番号Ｓ３３までの長さ＝１４８ｍｍ）が取り出された事を示す。
【０１３７】
図７（７‐４Ｂ）は、切断装置の概略図（部分図）であり、図５の中より取り出した切断情報により、（起点Ｐ２の位置にある切断具１ｓ等を切断番号Ｓ３３の切断位置に移動させることにより、）ユーザーが希望する切断サイズに切断する事が出来る事を示す。
【０１３８】
図７（７‐５）は、請求項１、２、３、６等に関して示しており、情報の収納具から取り出した切断情報により切断具等を切断番号Ｓ３３の切断位置に移動させる為の動力を制御して切断具１ｓ等を切断位置に移動した事を示す。
【０１３９】
尚、切断具１ｓ等は、段落番号０１１９に準じる。
【０１４０】
図７（７‐６）、（７‐７）は、（７‐５）の作業により、切断位置の制御装置の稼働が完了し、自動切断の制御装置（請求項８、２７等）の稼働が継続される事を示す。
図例では、切断位置の制御装置の働きにより切断位置に移動しセットされた切断具１ｓ等は、予め設けられた切断の為のコンピューター等の制御によるプログラム等に従い、前記の作業に継続して切断具である丸刃が回転を開始し、（供給紙上方にある）切断具等が下降し、丸刃が供給紙を横断して、或いは供給紙が丸刃を横断して、紙を切断して、丸刃が回転を停止し、切断具等が上昇し、切断具等が駐具されていた元の位置（起点Ｐ２）に戻り、自動切断の制御装置の稼働が完了する事を示している。
図７（７‐６）は、切断番号Ｓ３３の切断位置に移動した切断具である丸刃が回転を開始し、紙の設置位置まで下降し、切断を開始した事を示す。
図７（７‐７）は、切断が終了し、丸刃が回転を停止し、切断具等が上昇し、この後切断具等は次の切断の邪魔にならない様に、次の紙の切断時の軌道から外れた場所にある駐具場所（起点Ｐ２）に戻る事を示している。
【０１４１】
尚、切断具とは、段落番号０１２１で示す通りである。
【０１４２】
図７（７‐８）は、用紙の取り出しを示す。
図７（７‐９）は、電源を切る事を示す。
【０１４３】
この実施例２の代表例以外の切断情報を設ける場合は、前記の代表例の要領に準じた要領で設ける。
この実施例２の代表例以外のサイズの切断を行なう場合は、前記の代表例の要領に準じた作業手順で行なう。
【実施例３】
【０１４４】
図８、９は、請求項１、２、３、４、９、１０、１１、１７、２７、２９、３１、３７、３８、３９、４０、４１、その他に関する形態を示す代表例であり、図８は、請求項４を説明の軸として、その他の請求項に関する形態を示す代表例であり、切断位置の制御装置に設けた情報の収納具の切断情報に関して示している。
【０１４５】
図８には、この切断情報と、この切断内容と、この切断番号が示されている。
図８のこの切断内容は、Ａ３、Ｂ４、Ａ４、Ｂ５、Ａ５、Ｂ６の定型用紙サイズの各サイズの紙を、縦方向と横方向のそれぞれを片側端寄せで給紙し二等分に切断してＡ４、Ｂ５、Ａ５、Ｂ６、Ａ６、Ｂ７の定型用紙サイズの各サイズの紙を作り、更に二等分に切断し、四等分にして、Ａ５、Ｂ６、Ａ６、Ｂ７、Ａ７、Ｂ８の定型用紙サイズの各サイズの紙を作る切断について示している（請求項１、２、３、４、９、１０、１１、１７、２７、２９、３１、その他に関する）。
この切断情報は、この切断内容を実施する為の情報であり、多種な切断後のサイズを選択し取り出しができる様に、これに関する情報を予め記憶装置である情報の収納具に収納したものであり、縦横のそれぞれの方向の切断具等を各サイズに応じた縦横のそれぞれの方向の各切断位置にセットする為の制御情報である。
この切断番号は、各切断情報に番号を付したものであり、各切断情報の切断位置を称する為や他に用いる。
【０１４６】
この切断情報の中には、長さの情報（数字ｍｍ）、切断具等の区分の情報（英字）、加工順序の情報（矢印）が保管されている
長さの情報は、図例では、縦横のそれぞれの方向の切断具等を駐具する位置を縦横のそれぞれの方向の起点として、縦横のそれぞれの方向の各起点から縦横のそれぞれの方向の各切断位置までの切断具等が移動する長さを管理する為の情報で示している。
具体的には、図９で壁際等にある縦横のそれぞれの片紙端を切断の起点Ｐ１、Ｐ２として設け、二等分の切断の為の長さの情報＝起点Ｐ１より各切断番号の切断位置までの長さ＝各用紙サイズの長辺の長さ（ｍｍ）×１／２の概数を規格に合わせた数で設け、更に四等分の切断の為の長さの情報＝起点Ｐ２より各切断番号の切断位置までの長さ＝二等分の切断前の各用紙サイズの短辺の長さ（ｍｍ）×１／２の概数を規格に合わせた数で設けている。
切断具等の区分の情報は、切断位置を切断する為の切断具等の種類の情報である。
具体的には、図８、９の切断情報や切断番号の英字Ｔ、Ｓが切断具等の区分の情報であり、図４、７の切断具１ｔ等、１ｓ等に関する切断情報や切断番号である事を示す。
加工順序の情報は、工程の流れを示し、縦横の方向の切断順位を決定する為の情報である。
具体的には、図の矢印（⇒）が加工順序の情報であり、Ｔの切断後にＳの切断が行われる事を示す。
【０１４７】
即ち、具体的に図８を示せば、二等分を行なう為の切断具１ｔ等に関する切断位置を示す各切断番号をＴ１、Ｔ２、Ｔ３、Ｔ４、Ｔ５、Ｔ６として設け、この切断を実施する為の各切断情報を、Ｔ２１０ｍｍ、Ｔ１８２ｍｍ、Ｔ１４８ｍｍ、Ｔ１２８ｍｍ、Ｔ１０５ｍｍ、Ｔ９１ｍｍとして設けている。
更に、二等分を行ない四等分にする為の切断具１ｓ等に関する切断位置を示す各切断番号をＳ３、Ｓ４、Ｓ５、Ｓ６、Ｓ７、Ｓ８として設け、この切断を実施する為の各切断情報を、⇒Ｓ１４８ｍｍ、⇒Ｓ１２８ｍｍ、⇒Ｓ１０５ｍｍ、⇒Ｓ９１ｍｍ、⇒Ｓ７４ｍｍ、⇒Ｓ６４ｍｍとして設けている。
【０１４８】
図９は、図８の定型用紙サイズの各サイズの供給紙と各切断位置を縮小サイズの概略図で示し、図９（９‐１）は、起点Ｐ１と各切断位置に該当する切断番号を示し、図９（９‐２）は、起点Ｐ２と各切断位置に該当する切断番号を示している。更に（９‐１）の切断後に、（９‐２）の切断が行われる事を示している。
【０１４９】
尚、図８の切断内容は、図２の切断後に図５に関する切断を行なうものであり、図２と図５と図８の切断番号の一部が同じ切断情報の長さの情報である（Ｔ３＝Ｓ３＝Ｓ３３＝１４８ｍｍ、Ｔ４＝Ｓ４＝Ｓ３４＝１２８ｍｍ、Ｔ５＝Ｓ５＝Ｓ３５＝１０５ｍｍ、Ｔ６＝Ｓ６＝Ｓ３６＝９１ｍｍ、Ｔ１＝Ｓ３１＝２１０ｍｍ、Ｔ２＝Ｓ３２＝１８２ｍｍ）。
即ち、長さの情報が同一の場合には、この長さの情報にその他の異なる情報｛図例では、切断具等の区分の情報（英字＝Ｔ、Ｓ）や加工順序の情報（矢印）｝を設け、この異なる情報を選択可能にする事により、それぞれの長さの情報を一つの共通の切断情報として管理する事が可能となる。
【０１５０】
図８の切断情報を用いた切断手順の概要は、図４、図７の切断手順の要領に準じて実施可能である。
即ち、図８の切断情報を用いた切断手順の概要は、図４（４‐１）、（４‐２）、＜自動切断の制御の開始＞＜切断位置の制御の開始＞（４‐３）、＜横方向に向けての切断位置の制御の開始＞（４‐４Ａ）、（４‐４Ｂ）、（４‐５）、＜横方向に向けての切断位置の制御の完了＞（４‐６）、（４‐７）、＜横方向に向けての自動切断の制御の完了＞＜縦方向に向けての自動切断の制御の開始＞＜縦方向に向けての切断位置の制御の開始＞図７（７‐４Ａ）、（７‐４Ｂ）、（７‐５）、＜縦方向に向けての切断位置の制御の完了＞（７‐６）、（７‐７）、＜自動切断の制御の完了＞（７‐８）、（７‐９）の順の要領に準じて行われる。
尚、この切断の実施は、図４（４‐７）の横方向に向けての二等分の切断の終了の情報を受け、縦方向に向けての二等分の切断情報を自動で選択し、図７（７‐４Ａ）が開始される。
【０１５１】
或いは、この切断手順のその他の実施例として、図４（４‐８）、図７（７‐２）、（７‐３）を、前記の段落の工程に加える事が可能である。
即ち、横方向に向けての二等分の切断後に、手動による用紙等の取り出し、手動による用紙等の供給、手動による縦方向に向けての二等分の切断情報の伝達を行なう事が可能である。
【０１５２】
尚、前記と同じ要領で図７の切断後に図４の切断が可能である。
（尚、この実施は、これを実施する為の切断情報を前記の要領に準じて設ける事により可能となる）
【０１５３】
尚、切断具１ｔ等、切断具１ｓ等は、段落番号０１１９に準じる。
【０１５４】
この実施例３の代表例以外の切断情報を設ける場合は、前記の代表例の要領に準じた要領で設ける。
この実施例３の代表例以外のサイズの切断を行なう場合は、前記の代表例の要領に準じた作業手順で行なう。
【実施例４】
【０１５５】
図１０、１１、１２、１３、１４は、請求項１、２、３、４、５、６、７、８、９、１０、１１、１７、１８、２７、２９、３２、３３、３７、３８、３９、４０、４１、その他の形態を示す代表例であり、図１０は、請求項４を説明の軸として、その他の請求項に関する形態を示す代表例であり、切断位置の制御装置に設けた情報の収納具の切断情報に関して示している。
【０１５６】
図１０には、この切断情報と、この切断内容と、この切断番号が示されている。
図１０のこの切断内容は、Ａ３、Ｂ４、Ａ４、Ｂ５、Ａ５、Ｂ６の定型用紙サイズの各サイズの紙を、縦方向と横方向のそれぞれを片側端寄せで給紙し、横方向に向けて３枚（複数）の切断具の刃を設け、縦方向に向けて一枚の切断具の刃を設け、横方向に向けて四等分に切断後、更に縦方向に向けて二等分に切断して（即ち、八等分にして）Ａ６、Ｂ７、Ａ７、Ｂ８、Ａ８、Ｂ９の定型用紙サイズの紙を作る切断について示している（請求項１、２、３、４、９、１０、１１、１７、２７、２９、３２、３３、その他に関する）。
この切断情報は、この切断内容を実施する為の情報であり、多種な切断後のサイズを選択し取り出しができる様に、これに関する情報を予め記憶装置である情報の収納具に収納したものであり、縦横のいずれか一方又は双方に複数の切断具等を設け、縦横のそれぞれの方向の切断具等を各サイズに応じた縦横のそれぞれの方向の各切断位置にセットする為の制御情報である。
この切断番号は、各切断情報に番号を付したものであり、各切断情報の切断位置を称する為や他に用いる。
【０１５７】
この切断情報の中には、長さの情報（数字ｍｍ）、切断具等の区分の情報（英字）、同時加工の情報（星印）、加工順序の情報（矢印）が保管されている
長さの情報は、図例では、縦横のそれぞれの方向の切断具等を駐具する位置を縦横のそれぞれの方向の起点として、縦横のそれぞれの方向の各起点から縦横のそれぞれの方向の各切断位置までの切断具等が移動する長さを管理する為の情報で示している。
具体的には、図１１、１２、１３で壁際等にある紙端を切断の起点Ｐ１、Ｐ２として設け、四等分の切断の為の長さの情報＝起点Ｐ１より各切断番号の切断位置までの長さ＝各用紙サイズの長辺の長さ（ｍｍ）×１／４の概数を規格に合わせた数、及び各用紙サイズの長辺の長さ（ｍｍ）×２／４の概数を規格に合わせた数、及び各用紙サイズの長辺の長さ（ｍｍ）×３／４の概数を規格に合わせた数で設け、更に二等分の切断をして八等分にする為の長さの情報＝起点Ｐ２より各切断番号の切断位置までの長さ＝四等分の切断前の各用紙サイズの短辺の長さ（ｍｍ）×１／２の概数を規格に合わせた数で設けている。
【０１５８】
切断具等の区分の情報は、切断位置を切断する為の切断具等の種類の情報である。
具体的には、図１０、１１、１２、１３の切断情報や切断番号の英字Ｗ、Ｕ、Ｔ、Ｓが切断具等の区分の情報であり、図１２の切断具１ｗ等、１ｕ等、１ｔ等、図１３の切断具１ｓ等に関する切断情報や切断番号である事を示す。
同時加工の情報は、複数の切断具等を同時に稼働する為の情報である。
具体的には、図の星印（＊）が同時加工の情報であり、同時に切断する事を示し、図例ではＷ、Ｕ、Ｔが同時に切断する事を示す。
加工順序の情報は、工程の流れを示し、縦横の方向の切断順位を決定する為の情報である。
具体的には、図の矢印（⇒）が加工順序の情報であり、図例ではＷ、Ｕ、Ｔの後にＳの切断が行なわれる事を示す。
【０１５９】
即ち、具体的に図１０を示せば、図１２が示す横方向に向けた３組（複数）の切断具１ｗ等、切断具１ｕ等、切断具１ｔ等と図１３が示す縦方向に向けた１組の切断具１ｓ等に関する切断情報を、先図２、５、８に準じた要領で設けている。
即ち、切断具１ｗ等に関する切断位置を示す各切断番号をＷ１、Ｗ２、Ｗ３、Ｗ４、Ｗ５、Ｗ６として設け、この切断を実施する為の各切断情報を、＊Ｗ１０５ｍｍ、＊Ｗ９１ｍｍ、＊Ｗ７４ｍｍ、＊Ｗ６４ｍｍ、＊Ｗ５２ｍｍ、＊Ｗ４５ｍｍとして設けている。
更に、切断具１ｕ等に関する切断位置を示す各切断番号をＵ１、Ｕ２、Ｕ３、Ｕ４、Ｕ５、Ｕ６として設け、この切断を実施する為の各切断情報を、＊Ｕ２１０ｍｍ、＊Ｕ１８２ｍｍ、＊Ｕ１４８ｍｍ、＊Ｕ１２８ｍｍ、＊Ｕ１０５ｍｍ、＊Ｕ９１ｍｍとして設けている。
更に、切断具１ｔ等に関する切断位置を示す各切断番号をＴ４１、Ｔ４２、Ｔ４３、Ｔ４４、Ｔ４５、Ｔ４６として設け、この切断を実施する為の各切断情報を、＊Ｔ３１５ｍｍ、＊Ｔ２７３ｍｍ、＊Ｔ２２２ｍｍ、＊Ｔ１９２ｍｍ、＊Ｔ１５８ｍｍ、＊Ｔ１３７ｍｍとして設けている。
更に、切断具１ｓ等に関する切断位置を示す各切断番号をＳ３、Ｓ４、Ｓ５、Ｓ６、Ｓ７、Ｓ８として設け、この切断を実施する為の各切断情報を、⇒Ｓ１４８ｍｍ、⇒Ｓ１２８ｍｍ、⇒Ｓ１０５ｍｍ、⇒Ｓ９１ｍｍ、⇒Ｓ７４ｍｍ、⇒Ｓ６４ｍｍを各切断情報として設けている。
【０１６０】
尚、図２、５、８、１０の切断番号の一部が同じ切断情報の長さの情報である（Ｕ１＝Ｔ１＝Ｓ３１＝２１０ｍｍ、Ｕ２＝Ｔ２＝Ｓ３２＝１８２ｍｍ、Ｕ３＝Ｓ３＝Ｔ３＝Ｓ３３＝１４８ｍｍ、Ｕ４＝Ｓ４＝Ｔ４＝Ｓ３４＝１２８ｍｍ、Ｗ１＝Ｕ５＝Ｓ５＝Ｔ５＝Ｓ３５＝１０５ｍｍ、Ｗ２＝Ｕ６＝Ｓ６＝Ｔ６＝Ｓ３６＝９１ｍｍ、Ｗ３＝Ｓ７＝７４ｍｍ、Ｗ４＝Ｓ８＝６４ｍｍ）。
即ち、長さの情報が同一の場合には、この長さの情報にその他の異なる情報｛図例では、切断具等の区分の情報（英字＝Ｕ、Ｔ、Ｓ、Ｗ）や同時加工の情報（星印）や加工順序の情報（矢印）｝を設け、この異なる情報を選択可能にする事により、それぞれの長さの情報を一つの共通の切断情報として管理する事が可能となる。
【０１６１】
図１１は、図１０の定型用紙サイズの各サイズの供給紙と各切断位置を縮小サイズの概略図で示し、図１１（１１‐１）は、起点Ｐ１と各切断位置に該当する切断番号を示し、図１１（１１‐２）は、起点Ｐ２と各切断位置に該当する切断番号を示している。更に（１１‐１）の切断後に、（１１‐２）の切断が行われる事を示している。
【０１６２】
図１２、図１３の概略図は、請求項４、５、６、７、８、２７を説明の軸として、その他の請求項に関する形態を示す代表例であり、電源を入れ、紙を供給し、図１０の切断情報を収めた情報の収納具を備えた紙の切断装置により自動で八等分の切断を開始し、完了するまでの手順の概要を示す代表例である。
【０１６３】
図１２（１２‐１）は発明装置に電源を入れる事を示す。
【０１６４】
図１２（１２‐２）は紙の供給を示す。
図例は、Ａ４サイズの定型用紙を給紙している。
詳しくは、給紙トレイや給紙カセット等の切断場所又は供給場所にＡ４サイズの定型用紙９１を縦方向（図例では上下方向）と横方向（図例では左右方向）を一定方向に揃えて、縦方向に片側端寄せで（図の下方側にある側面紙押さえ２ｊにより図の上方側にある壁２１ｅ等に寄せ）、更に横方向に片側端寄せで（図の左方側にある側面紙押さえ２ｋにより図の右方側にある壁２１ｆ等に寄せて）給紙している。
【０１６５】
図１２（１２‐３）は、図１０の切断情報を備えた切断位置の制御装置（請求項１、２、３、７等に関する）及び切断位置の制御装置を備えた紙の自動切断の制御装置（請求項８、２７等に関する）により紙の切断が開始される事を示しており、図１２（１２‐３）、（１２‐４Ａ）、（１３‐４Ｂ）は、請求項１、２、３、５等に関して示しており、ユーザーが希望する切断サイズに関する切断情報を情報の選択具により、情報の収納具から選択する事を示す。
【０１６６】
図１２（１２‐３）は、供給紙がＡ４サイズである事を伝達し、更に切断後の等分を八等分に（即ち切断後の用紙サイズをＡ７サイズに）切断したい事を伝達している。
詳しくは、例えばタッチパネルやボタン等の情報を伝達する為の情報の選択具により、供給紙サイズと切断後の等分（サイズ）を選択した事を示す。
即ち、本発明は、「何サイズを」と、「何等分に」又は「何サイズに」の双方の情報を伝達する事により切断が可能となる。
【０１６７】
尚、供給した用紙サイズを自動的に認識する機能を備える用紙サイズの自動認識装置を、段落番号０１１５の要領に準じて設ける事が可能であり、段落番号０１１５の要領に準じて行なう事が可能である。
【０１６８】
図１２（１２‐４Ａ）は、情報の選択具により図１０で示した記憶装置である情報の収納具に収納されている切断情報の中からユーザーが希望する切断に関する情報が取り出された事を示す。
即ち、図例では、Ａ４サイズの定型サイズ用紙を八等分にしてＡ７サイズの定型用紙を作る為に、先ず横方向に向けて四等分の切断を行なう為の情報が取り出された事を示す。
【０１６９】
詳しくは、切断位置を示す切断番号Ｗ３の切断情報＝＊Ｗ７４ｍｍ（切断具等の区分の情報＝切断に使用する切断具等の種類＝切断具１ｗ等、長さの情報＝起点Ｐ１から切断番号Ｗ３までの長さ＝７４ｍｍ、同時加工の情報＝Ｗ３、Ｕ３、Ｔ４３を同時加工）、切断位置を示す切断番号Ｕ３の切断情報＝＊Ｕ１４８ｍｍ（切断具等の区分の情報＝切断に使用する切断具等の種類＝切断具１ｕ等、長さの情報＝起点Ｐ１から切断番号Ｕ３までの長さ＝１４８ｍｍ、同時加工の情報＝Ｗ３、Ｕ３、Ｔ４３を同時加工）、切断位置を示す切断番号Ｔ４３の切断情報＝＊Ｔ２２２ｍｍ（切断具等の区分の情報＝切断に使用する切断具等の種類＝切断具１ｔ等、長さの情報＝起点Ｐ１から切断番号Ｔ４３までの長さ＝２２２ｍｍ、同時加工の情報＝Ｗ３、Ｕ３、Ｔ４３を同時加工）が取り出された事を示す。
【０１７０】
図１２（１２‐４Ｂ）は、切断装置の概略図（部分図）であり、図１０の中より取り出した切断情報により、（切断具１ｗ等、切断具１ｕ等、切断具１ｔ等を切断番号Ｗ３、Ｕ３、Ｔ４３の切断位置に移動させることにより、）ユーザーが希望する切断サイズを切断する事が出来る事を示す。
【０１７１】
図１２（１２‐５）は、請求項１、２、３、６等に関して示しており、情報の収納具から取り出した切断情報により切断具等を切断番号Ｗ３、Ｕ３、Ｔ４３の切断位置に移動させる為の動力を制御して切断具１ｗ等、切断具１ｕ等、切断具１ｔ等を切断位置に移動した事を示す。
【０１７２】
図１２（１２‐６）、（１２‐７）は、（１２‐５）の作業により、横方向に向けての切断に関する切断位置の制御装置の稼働が完了し、自動切断の制御装置（請求項８、２７等）の稼働が継続される事を示す。
図例では、切断位置の制御装置の働きにより切断位置に移動しセットされた切断具１ｗ等、切断具１ｕ等、切断具１ｔ等は、予め設けられた切断の為のコンピューター等の制御によるプログラム等に従い、前記の作業に継続して切断具である丸刃が回転を開始し、（供給紙上方にある）切断具等が下降し、丸刃が供給紙を横断して、或いは供給紙が丸刃を横断して、紙を切断して、丸刃が回転を停止し、切断具等が上昇し、切断具等が駐具されていた元の位置（起点Ｐ１）に戻る事を示し、横方向に向けての四等分の自動切断の制御装置の稼働が完了する事を示している。
図１２（１２‐６）は、切断番号Ｗ３、Ｕ３、Ｔ４３の切断位置に移動した切断具である丸刃が回転を開始し、紙の設置位置まで下降し、切断を開始した事を示す。
図１２（１２‐７）は、切断が終了し丸刃の回転が停止し、切断具等が上昇し、この後切断具等は次の切断の邪魔にならない様に、次の紙の切断時の軌道から外れた場所にある駐具場所（起点Ｐ１）に戻る事を示している。
【０１７３】
図１３（１３‐４Ａ）は、図１２（１２‐７）の横方向に向けての切断の終了により、縦方向に向けての２等分の切断に関する切断位置の制御（請求項１、２、３、７等に関する）及び自動切断の制御（請求項８、２７等に関する）の稼働が開始される事を示しており、図１３（１３‐４Ａ）、（１３‐４Ｂ）は請求項１、２、３、５、等に関して示しており、図１２（１２‐３）で予め伝達してある８等分に切断する為の縦方向に向けての二等分の切断の情報が、横方向に向けての切断の終了の情報の伝達により、自動で取り出された事を示す。
詳しくは、切断位置を示す切断番号Ｓ５の切断情報＝⇒Ｓ１０５ｍｍ（切断具等の区分の情報＝切断に使用する切断具等の種類＝切断具１ｓ等、長さの情報＝起点Ｐ２から切断番号Ｓ５の切断位置までの長さ＝１０５ｍｍ、加工順序の情報＝Ｗ３、Ｕ３、Ｔ４３の切断後に切断を行なう）が取り出された事を示す。
【０１７４】
図１３（１３‐４Ｂ）は、切断装置の概略図（部分図）であり、図１２（１２‐７）の横方向に向けての切断の終了により、起点Ｐ２の位置にある切断具１ｓ等を切断番号Ｓ５の切断位置に移動させることにより、ユーザーが希望する切断後の等分を八等分、即ち切断サイズをＡ７サイズに切断する事が出来る事を示す。
【０１７５】
図１３（１３‐５）は、請求項１、２、３、６等に関して示しており、情報の収納具から取り出した切断情報により切断具１ｓ等を切断番号Ｓ５の切断位置に移動させる為の動力を制御して切断位置に移動した事を示す。
【０１７６】
図１３（１３‐６）、（１３‐７）は、（１３‐５）の作業により、縦方向に向けての二等分の切断に関する切断位置の制御装置の稼働が完了し、自動切断の制御装置（請求項８、２７等）の稼働が継続される事を示す。
図例では、切断位置の制御装置の働きにより切断位置に移動しセットされた切断具１ｓ等は、予め設けられた切断の為のコンピューター等の制御によるプログラム等に従い、前記の作業に継続して切断具である丸刃が回転を開始し、（供給紙上方にある）切断具等が下降し、丸刃が供給紙を横断して、或いは供給紙が丸刃を横断して、紙を切断して、丸刃が回転を停止し、切断具等が上昇し、切断具等が駐具されていた元の位置（起点Ｐ２）に戻る事を示し、自動切断の制御装置の縦方向に向けての二等分の切断に関する稼働が完了し、Ａ４サイズを八等分にしてＡ７サイズを作る為の自動切断の制御装置の稼働が完了する事を示している。
図１３（１３‐６）は、切断番号Ｓ５の切断位置に移動した切断具である丸刃が回転を開始し、紙の設置位置まで下降し、切断を開始した事を示す。
図１３（１３‐７）は、切断が終了し、丸刃の回転が停止し、切断具等が上昇し、この後切断具等は次の切断の邪魔にならない様に、次の紙の切断時の切断具等の軌道から外れた場所にある駐具場所（起点Ｐ２）に戻る事を示している。
【０１７７】
尚、切断具とは、段落番号０１２１示す通りである。
【０１７８】
図１３（１３‐８）は、用紙の取り出しを示す。
図１３（１３‐９）は、電源を切る事を示す。
【０１７９】
尚、この切断手順のその他の実施例として、図１２（１２‐３）での情報の伝達後に、（１２‐４）で、この切断に関する全ての情報を一度に取り出すプログラムを設ける事が可能である。（即ち、切断情報＊Ｗ７４ｍｍ、＊Ｕ１４８ｍｍ、＊Ｔ２２２ｍｍ、⇒Ｓ１０５ｍｍを一度に取り出す事が可能である。）
【０１８０】
更に、この切断手順のその他の実施例として、図１３（１３‐４Ａ）で示す、自動による縦方向に向けての二等分の切断情報の取り出しを行なわず、横方向に向けての四等分の切断後に、手動による用紙等の取り出し、手動による供給、手動による縦方向に向けての二等分の切断情報の伝達を行なう事が可能である。
即ち、本発明の切断装置を、本発明以外の紙の切断装置に備える場合は、本発明の切断装置を、本発明以外の紙の切断装置の形態に合わせて設ける事が可能である事を示す。
【０１８１】
図１４は、請求項１８を説明の軸として、その他の請求項に関する形態を示す代表例であり、図１０の切断情報の長さの情報や切断具等の区分の情報や加工順序の情報や同時加工の情報等の情報の一部又は全てを組み合わせる事により多種なサイズの切断が可能である事を示している。
図１４（１４‐１）は、定型用紙サイズの紙を二等分に切断して定型用紙サイズの紙を作る事を示している。
図１４（１４‐２）は、定型用紙サイズの紙を四等分に切断して定型用紙サイズの紙を作る事を示している。
【０１８２】
図１４（１４‐１）の切断方法は、切断具１ｔ等を単独で切断位置（図１０のＵ１からＵ６のいずれか）に移動させる為の切断情報をＴ２１０ｍｍ、Ｔ１８２ｍｍ、Ｔ１４８ｍｍ、Ｔ１２８ｍｍ、Ｔ１０５ｍｍ、Ｔ９１ｍｍとして設ける。
或いは、切断具１ｗ等、切断具１ｕ等、切断具１ｔ等の三組の切断具等を図１０の切断情報を用いて図１２（１２‐５）に移動後に切断位置（図１０のＵ１からＵ６のいずれか）にある切断具１ｕ等のみを下降させ切断する切断情報を設ける。
図１４（１４‐２）の切断方法（手順）は、図１４（１４‐１）の切断後、図１３（１３‐４Ａ）、（１３‐４Ｂ）、（１３‐５）、（１３‐６）、（１３‐７）、（１３‐８）、（１３‐９）の工程で行なう。
【０１８３】
即ち、請求項１８の発明は、図１０の八等分の切断情報により、四等分や二等分の切断が可能であり、図８の四等分の切断情報により、二等分の切断が可能である事を示す。
【０１８４】
尚、図１０の切断情報を用いて八等分の切断を行なう場合のその他の実施例として、前記と同じ要領で、縦方向に向けての二等分の切断後に、横方向に向けての四等分の切断を行なう事が可能である。
（尚、この実施は、これを実施する為の切断情報を前記の要領に準じて設ける事により可能となる）
尚、図１４（１４‐１）、（１４‐２）、（１４‐３）以外の切断に関しては、のちほどに示す。
【０１８５】
尚、切断具１ｗ等、切断具１ｕ等、切断具１ｔ等、切断具１ｓ等は、段落番号０１１９に準じる。
【０１８６】
この実施例４の代表例以外の切断情報を設ける場合は、前記の代表例の要領に準じた要領で設ける。
この実施例４の代表例以外のサイズの切断を行なう場合は、前記の代表例の要領に準じた作業手順で行なう。
【実施例５】
【０１８７】
図１５、１６、１７は、請求項１、２、３、４、５、６、７、８、９、１０、１１、１７、２７、３２、３３、３７、３８、３９、４０、４１、その他に関する形態を示す代表例であり、図１５は、請求項４を説明の軸として、その他の請求項に関する形態を示す代表例であり、切断位置の制御装置に設けた情報の収納具の切断情報に関して示している。
【０１８８】
図１５には、この切断情報と、この切断内容と、この切断番号が示されている。
図１５のこの切断内容は、Ａ３、Ｂ４、Ａ４、Ｂ５、Ａ５、Ｂ６の定型用紙サイズの各サイズの紙を、縦方向と横方向のそれぞれを中央寄せで給紙し、横方向に向けて３枚（複数）の切断具の刃を設け、縦方向に向けて一枚の切断具の刃を設け、横方向に向けて四等分に切断後、更に縦方向に向けて二等分に切断して（即ち、八等分にして）Ａ６、Ｂ７、Ａ７、Ｂ８、Ａ８、Ｂ９の定型用紙サイズの紙を作る切断について示している（請求項１、２、３、４、９、１０、１１、１７、２７、３２、３３、その他に関する）。
この切断情報は、この切断内容を実施する為の情報であり、多種な切断後のサイズを選択し取り出しができる様に、これに関する情報を予めが記憶装置である情報の収納具に収納したものであり、縦横のいずれか一方又は双方に複数の切断具等を設け、縦横のそれぞれの方向の切断具等を各サイズに応じた縦横のそれぞれの方向の各切断位置にセットする為の制御情報である。
この切断番号は、各切断情報に番号を付したものであり、各切断情報の切断位置を称する為や他に用いる。
【０１８９】
この切断情報の中には、長さの情報（数字ｍｍ）、切断具等の区分の情報（英字）、同時加工の情報（星印）、加工順序の情報（矢印）が保管されている
長さの情報は、図例では、切断場所に供給できる最大用紙サイズの縦横のそれぞれの方向の片紙端を縦横のそれぞれの方向の起点として、縦横のそれぞれの方向の各起点から縦横のそれぞれの方向の各切断位置までの切断具等が移動する長さを管理する為の情報で示している。
具体的には、図１６、１７で切断場所に供給できる最大用紙サイズの紙端を切断の起点Ｐ３、Ｐ４として設け、四等分の切断の為の長さの情報＝起点Ｐ３より各切断番号の切断位置までの長さ＝最大用紙サイズの長辺の長さ（ｍｍ）×１／２−各用紙サイズの長辺の長さ（ｍｍ）×１／４の概数を規格に合わせた数、及び最大用紙サイズの長辺の長さ（ｍｍ）×１／２の概数を規格に合わせた数、及び最大用紙サイズの長辺の長さ（ｍｍ）×１／２＋各用紙サイズの長辺の長さ（ｍｍ）１／４の概数を規格に合わせた数で設け、更に二等分の切断をして八等分にする為の長さの情報＝起点Ｐ４より各切断番号の切断位置までの長さ＝四等分の切断前の最大用紙サイズの短辺の長さ（ｍｍ）×１／２の概数を規格に合わせた数で設けている。
【０１９０】
切断具等の区分の情報は、切断位置を切断する為の切断具等の種類の情報である。
具体的には、図１５、１６、１７の切断情報や切断番号の英字Ｗ、Ｕ、Ｔ、Ｓが切断具等の区分の情報であり、図１７の切断具１ｗ等、１ｕ等、１ｔ等、１ｓ等に関する切断情報や切断番号である事を示す。
同時加工の情報は、複数の切断具等を同時に稼働する為の情報である。
具体的には、図の星印（＊）が同時加工の情報であり、同時に切断する事を示し、図例ではＷ、Ｕ、Ｔが同時に切断する事を示す。
加工順序の情報は、工程の流れを示し、縦横の方向の切断順位を決定する為の情報である。
具体的には、図の矢印（⇒）が加工順序の情報であり、図例ではＷ、Ｕ、Ｔの後にＳの切断が行われる事を示す。
【０１９１】
即ち、具体的に図１５を示せば、図１７が示す横方向に向けた３組（複数）の切断具１ｗ等、切断具１ｕ等、切断具１ｔ等と縦方向に向けた１組の切断具１ｓ等に関する切断情報を、図２、５、８、１０に準じた要領で設けている。
即ち、切断具１ｗ等に関する切断位置を示す各切断番号をＷ１１、Ｗ１２、Ｗ１３、Ｗ１４、Ｗ１５、Ｗ１６として設け、この切断を実施する為の各切断情報を、＊Ｗ１０５ｍｍ、＊Ｗ１１９ｍｍ、＊Ｗ１３６ｍｍ、＊Ｗ１４６ｍｍ、＊Ｗ１５７ｍｍ、＊Ｗ１６４ｍｍとして設けている。
更に、切断具１ｕ等に関する切断位置を示す各切断番号をＵ１１、Ｕ１２、Ｕ１３、Ｕ１４、Ｕ１５、Ｕ１６として設け、この切断を実施する為の各切断情報を、＊Ｕ２１０ｍｍ、＊Ｕ２１０ｍｍ、＊Ｕ２１０ｍｍ、＊Ｕ２１０ｍｍ、＊Ｕ２１０ｍｍ、＊Ｕ２１０ｍｍとして設けている。
更に、切断具１ｔ等に関する切断位置を示す各切断番号をＴ１１、Ｔ１２、Ｔ１３、Ｔ１４、Ｔ１５、Ｔ１６として設け、この切断を実施する為の各切断情報を、＊Ｔ３１５ｍｍ、＊Ｔ３０１ｍｍ、＊Ｔ２８４ｍｍ、＊Ｔ２７４ｍｍ、＊Ｔ２６２ｍｍ、＊Ｔ２５５ｍｍとして設けている。
更に、切断具１ｓ等に関する切断位置を示す各切断番号をＳ１３、Ｓ１４、Ｓ１５、Ｓ１６、Ｓ１７、Ｓ１８として設け、この切断を実施する為の各切断情報を、⇒Ｓ１４８ｍｍ、⇒Ｓ１４８ｍｍ、⇒Ｓ１４８ｍｍ、⇒Ｓ１４８ｍｍ、⇒Ｓ１４８ｍｍ、⇒Ｓ１４８ｍｍとして設けている。
【０１９２】
切断具１ｕ等に関する切断番号は、全て同一の切断情報（Ｕ１１＝Ｕ１２＝Ｕ１３＝Ｕ１４＝Ｕ１５＝Ｕ１６＝＊Ｕ２１０ｍｍ）であり、共通の切断番号としていずれかの１つの切断番号を代表として使用する事が可能である。
更に、切断具１ｓ等に関する切断番号は、全て同一の切断情報（Ｓ１３＝Ｓ１４＝Ｓ１５＝Ｓ１６＝Ｓ１７＝Ｓ１８＝⇒Ｓ１４８ｍｍ）であり、共通の切断番号としていずれかの１つの切断番号を代表として使用する事が可能である。
【０１９３】
図１６は、図１５の定型用紙サイズの各サイズの供給紙と各切断位置を縮小サイズの概略図で示し、図１６（１６‐１）は、起点Ｐ３と各切断位置に該当する切断番号を示し、図１６（１６‐２）は、起点Ｐ４と各切断位置に該当する切断番号を示している。更に（１６‐１）の切断後に、（１６‐２）の切断が行われる事を示している。
【０１９４】
図１７の概略図は、請求項４、５、６、７、８、２７を説明の軸として、その他の請求項に関する形態を示す代表例であり、電源を入れ、紙を供給し、図１５の切断情報を収めた情報の収納具を備えた紙の切断装置により自動で八等分の切断を開始し、完了するまでの手順の概要の一部を示す代表例である。
【０１９５】
図１７（１７‐１）は発明装置に電源を入れる事を示す。
【０１９６】
図１７（１７‐２）は紙の供給を示す。
図例は、Ａ４サイズの定型用紙を給紙している。
詳しくは、給紙トレイや給紙カセット等の切断場所又は供給場所にＡ４サイズの定型用紙９１を縦方向（図例では上下方向）と横方向（図例では左右方向）を一定方向に揃えて、縦方向に中央寄せで（図の上下方向にある側面紙押さえ２ｌと側面紙押さえ２ｍで定型用紙９１を切断場所又は供給場所の上下方向の中央に寄せ）、更に横方向に中央寄せで（図の左右方向にある側面紙押さえ２ｎと側面紙押さえ２ｏで定型用紙９１を切断場所又は供給場所の左右方向の中央に寄せ）給紙している。
【０１９７】
図１７（１７‐３）は、図１５の切断情報を備えた切断位置の制御装置（請求項１、２、３、７等に関する）及び切断位置の制御装置を備えた紙の自動切断の制御装置（請求項８、２７等に関する）により紙の切断が開始される事を示しており、図１７（１７‐３）、（１７‐４Ａ）、（１７‐４Ｂ）は、請求項１、２、３、５等に関して示しており、ユーザーが希望する切断サイズに関する切断情報を情報の選択具により、情報の収納具から選択する事を示す。
【０１９８】
図１７（１７‐３）は、供給紙がＡ４サイズである事を伝達し、更に切断後の等分を八等分に（即ち用紙サイズをＡ７サイズに）切断したい事を伝達している。
詳しくは、例えばタッチパネルやボタン等の情報を伝達する為の情報の選択具により供給紙サイズと切断後の等分（サイズ）を選択した事を示す。
即ち、本発明は、「何サイズを」と、「何等分に」又は「何サイズに」の双方の情報を伝達する事により切断が可能となる。
【０１９９】
尚、供給した用紙サイズを自動的に認識する機能を備える用紙サイズの自動認識装置を、段落番号０１１５の要領に準じて設ける事が可能であり、段落番号０１１５の要領に準じて行なう事が可能である。
【０２００】
図１７（１７‐４Ａ）は、情報の選択具により図１５で示した記憶装置である情報の収納具に収納されている切断情報の中からユーザーが希望する切断に関する情報が取り出された事を示す。
即ち、図例では、Ａ４サイズの定型サイズ用紙を八等分にしてＡ７サイズの定型用紙を作る為に、先ず横方向に向けて四等分の切断を行なう為の情報が取り出された事を示す。
【０２０１】
詳しくは、切断位置を示す切断番号Ｗ１３の切断情報＝＊Ｗ１３６ｍｍ（切断具等の区分の情報＝切断に使用する切断具等の種類＝切断具１ｗ等、長さの情報＝起点Ｐ３から切断番号Ｗ１３までの長さ＝１３６ｍｍ、同時加工の情報＝Ｗ１３、Ｕ１３、Ｔ１３を同時加工）、切断位置を示す切断番号Ｕ１３の切断情報＝＊Ｕ２１０ｍｍ（切断具等の区分の情報＝切断に使用する切断具等の種類＝切断具１ｕ等、長さの情報＝起点Ｐ３から切断番号Ｕ１３までの長さ＝２１０ｍｍ、同時加工の情報＝Ｗ１３、Ｕ１３、Ｔ１３を同時加工）、切断位置を示す切断番号Ｔ１３の切断情報＝＊Ｔ２８４ｍｍ（切断具等の区分の情報＝切断に使用する切断具等の種類＝切断具１ｔ等、長さの情報＝起点Ｐ３から切断番号Ｔ１３までの長さ＝２８４ｍｍ、同時加工の情報＝Ｗ１３、Ｕ１３、Ｔ１３を同時加工）が取り出された事を示す。
【０２０２】
図１７（１７‐４Ｂ）は、切断装置の概略図（部分図）であり、図１５の中より取り出した切断情報により、（切断具１ｗ等、切断具１ｕ等、切断具１ｔ等を切断番号Ｗ１３、Ｕ１３、Ｔ１３の切断位置に移動させることにより、）ユーザーが希望する切断サイズを切断する事が出来る事を示す。
【０２０３】
尚、これ以後の作業手順の概要は図１２、１３等に準じて行なう事が可能であり、この図示及びこの説明を省略する。
【０２０４】
尚、切断具は、段落番号０１２１で示す通りである。
【０２０５】
尚、図１５の切断情報を用いて八等分の切断を行なう場合のその他の実施例として、前記と同じ要領で、縦方向に向けての二等分の切断後に、横方向に向けての四等分の切断を行なう事が可能である。
（尚、この実施は、これを実施する為の切断情報を前記の要領に準じて設ける事により可能となる）
【０２０６】
尚、切断具１ｗ等、切断具１ｕ等、切断具１ｔ等、切断具１ｓ等は、段落番号０１１９に準じる。
【０２０７】
この実施例５の代表例以外の切断情報を設ける場合は、前記の代表例の要領に準じた要領で設ける。
この実施例５の代表例以外のサイズの切断を行なう場合は、前記の代表例の要領に準じた作業手順で行なう。
【実施例６】
【０２０８】
図１８、１９、２０は、請求項１、２、３、４、１０、１８、２７、２９、３２、３３、３７、３８、３９、４０、４１、その他に関する形態を示す代表例であり、図１８は、請求項４を説明の軸として、その他の請求項に関する形態を示す代表例であり、切断位置の制御装置に設けた情報の収納具の切断情報に関して示している。
【０２０９】
図１８には、この切断情報と、この切断内容と、この切断番号が示されている。
図１８のこの切断内容は、Ａ３、Ｂ４、Ａ４、Ｂ５、Ａ５、Ｂ６の定型用紙サイズの各サイズの紙を、縦方向と横方向のそれぞれを片側端寄せで給紙し、横方向に向けて２枚（複数）の切断具の刃を設け、縦方向に向けて２枚（複数）の切断具の刃を設け、横方向に向けて三等分に切断後、更に縦方向に向けて三等分に切断して九等分の紙を作る切断について示している。（請求項１、２、３、４、１０、２７、２９、３２、３３、その他に関する）
この切断情報は、この切断内容を実施する為の情報であり、多種な切断後のサイズを選択し取り出しができる様に、これに関する情報を予め記憶装置である情報の収納具に収納したものであり、縦横のいずれか一方又は双方に複数の切断具等を設け、縦横のそれぞれの方向の切断具等を各サイズに応じた縦横のそれぞれの方向の各切断位置にセットする為の制御情報である。
この切断番号は、各切断情報に番号を付したものであり、各切断情報の切断位置を称する為や他に用いる。
【０２１０】
この切断情報の中には、長さの情報（数字ｍｍ）、切断具等の区分の情報（英字）、同時加工の情報（星印）、加工順序の情報（矢印）が保管されている
長さの情報は、図例では、縦横のそれぞれの方向の切断具等を駐具する位置を縦横のそれぞれの方向の起点として、縦横のそれぞれの方向の各起点から縦横のそれぞれの方向の各切断位置までの切断具等が移動する長さを管理する為の情報で示している。
具体的には、図１９で壁際等にある紙端を切断の起点Ｐ１、Ｐ２として設け、横方向に向けての三等分の切断の為の長さの情報＝起点Ｐ１より各切断番号の各切断位置までの長さ＝各用紙サイズの長辺の長さ（ｍｍ）×１／３の概数を規格に合わせた数、及び各用紙サイズの長辺の長さ（ｍｍ）×２／３の概数を規格に合わせた数で設け、更に縦方向に向けての三等分の切断をして九等分にする為の長さの情報＝起点Ｐ２より各切断番号の各切断位置までの長さ＝横方向に向けての三等分の切断前の各用紙サイズの短辺の長さ（ｍｍ）×１／３の概数を規格に合わせた数、及び横方向に向けての三等分の切断前の各用紙サイズの短辺の長さ（ｍｍ）×２／３の概数を規格に合わせた数で設けている。
【０２１１】
切断具等の区分の情報は、切断位置を切断する為の切断具等の種類の情報である。
具体的には、図１８、１９の切断情報や切断番号の英字Ｕ、Ｔ、Ｖ、Ｓが切断具等の区分の情報であり、切断具１ｕ等、１ｔ等、１ｖ等、１ｓ等に関する切断情報や切断番号である事を示す。
尚、切断具１ｕ等、１ｔ等、１ｖ等、１ｓ等に関する設置概要は、図４、７、１２、１３、１７等に準じて行なう事が可能であり、この図示及びこの説明を省略する。
同時加工の情報は、複数の切断具等を同時に稼働する為の情報である。
具体的には、図の星印（＊）が同時加工の情報であり、同時に切断する事を示し、図例ではＵとＴが、更にＶとＳが同時に切断する事を示す。
加工順序の情報は、工程の流れを示し、縦横の方向の切断順位を決定する為の情報である。
具体的には、図の矢印（⇒）が加工順序の情報であり、図例ではＵやＴの後にＶやＳの切断が行われる事を示す。
【０２１２】
即ち、具体的に図１８を示せば、図２、５、８、１０、１５に準じた要領で、横方向に向けた２組（複数）の切断具１ｕ等、１ｔ等と縦方向に向けた２組（複数）の切断具１ｖ等、１ｓ等に関する切断情報を設けている。
即ち、切断具１ｕ等に関する切断位置を示す各切断番号をＵ２１、Ｕ２２、Ｕ２３、Ｕ２４、Ｕ２５、Ｕ２６として設け、この切断を実施する為の各切断情報を、＊Ｕ１４０ｍｍ、＊Ｕ１２１ｍｍ、＊Ｕ９９ｍｍ、＊Ｕ８５ｍｍ、＊Ｕ７０ｍｍ、＊Ｕ６０ｍｍとして設けている。
更に、切断具１ｔ等に関する切断位置を示す各切断番号をＴ２１、Ｔ２２、Ｔ２３、Ｔ２４、Ｔ２５、Ｔ２６として設け、この切断を実施する為の各切断情報を、＊Ｔ２８０ｍｍ、＊Ｔ２４３ｍｍ、＊Ｔ１９８ｍｍ、＊Ｔ１７１ｍｍ、＊Ｔ１４０ｍｍ、＊Ｔ１２１ｍｍとして設けている。
更に、切断具１ｖ等に関する切断位置を示す各切断番号をＶ２３、Ｖ２４、Ｖ２５、Ｖ２６、Ｖ２７、Ｖ２８として設け、この切断を実施する為の各切断情報を、⇒＊Ｖ９９ｍｍ、⇒＊Ｖ８５ｍｍ、⇒＊Ｖ７０ｍｍ、⇒＊Ｖ６０ｍｍ、⇒＊Ｖ４９ｍｍ、⇒＊Ｖ４２ｍｍとして設けている。
更に、切断具１ｓ等に関する切断位置を示す各切断番号をＳ２３、Ｓ２４、Ｓ２５、Ｓ２６、Ｓ２７、Ｓ２８として設け、この切断を実施する為の各切断情報を、⇒＊Ｓ１９８ｍｍ、⇒＊Ｓ１７１ｍｍ、⇒＊Ｓ１４０ｍｍ、⇒＊Ｓ１２１ｍｍ、⇒＊Ｓ９９ｍｍ、⇒＊Ｓ８５ｍｍとして設けている。
【０２１３】
尚、次のカッコ（（））内に示す様に、切断番号の一部が同じ切断情報の長さの情報であり、この長さの情報にその他の異なる情報｛図例では、切断具等の区分の情報（英字＝Ｕ、Ｔ、Ｖ、Ｓ）や同時加工の情報（星印）や加工順序の情報（矢印）｝を設け、この異なる情報を選択可能にする事により、それぞれの長さの情報を一つの共通の切断情報として管理する事が可能となる。
（Ｕ２３＝Ｖ２３＝Ｓ２７＝９９ｍｍ、Ｕ２４＝Ｖ２４＝Ｓ２８＝８５ｍｍ、Ｕ２５＝Ｖ２５＝７０ｍｍ、Ｕ２６＝Ｖ２６＝６０ｍｍ、Ｔ２３＝Ｓ２３＝１９８ｍｍ、Ｔ２４＝Ｓ２４＝１７１ｍｍ、Ｕ２１＝Ｔ２５＝Ｓ２５＝１４０ｍｍ、Ｕ２２＝Ｔ２６＝Ｓ２６＝１２１ｍｍ）
【０２１４】
図１９は図１８の定型用紙サイズの各サイズの供給紙と各切断位置を縮小サイズの概略図で示し、図１９（１９‐１）は、起点Ｐ１と各切断位置に該当する切断番号を示し、図１９（１９‐２）は、起点Ｐ２と各切断位置に該当する切断番号を示している。更に（１９‐１）の切断後に、（１９‐２）の切断が行われる事を示している。
【０２１５】
図１８に関する切断手順の概要は、図１２、１３等に準じて行なう事が可能であり、この図示及びこの説明を省略する。
【０２１６】
図２０は、請求項４、１８を説明の軸として、その他の請求項に関する形態を示す代表例であり、図１８の切断情報の長さの情報や切断具等の区分の情報や加工の順序の情報や同時加工の情報等の情報の一部或いは全てを組み合わせる事により多種なサイズの切断が可能である事を示している。
図２０（２０‐１）は、定型用紙サイズの紙を横方向に向けて三等分に切断する事を示す。
図２０（２０‐２）は、定型用紙サイズの紙を縦方向に向けて三等分に切断する事を示す。
更に、先に示した図１４（１４‐４）は、定型用紙サイズの紙を縦方向に向けて二等分に切断する事を示す。
更に、先に示した図１４（１４‐５）は、定型用紙サイズの紙を横方向に向けて四等分に切断する事を示す。
【０２１７】
又、図２０（２０‐４）、（２０‐５）、（２０‐６）、（２０‐７）、（２０‐８）、（２０‐９）、（２０‐１０）、（２０‐１１）、（２０‐１２）、（２０‐１３）、更に図１４（１４‐６）、（１４‐７）、（１４‐８）、（１４‐９）、（１４‐１０）、（１４‐１１）、（１４‐１２）、（１４‐１３）、（１４‐１４）、（１４‐１５）は、切断情報の各情報の一部或いは全てを組み合わせる事により出来るその他の切断例を示す。
【０２１８】
図２０（２０‐１）の切断方法は切断具１ｕ等及び切断具１ｔ等を用いて切断位置（図１８の切断番号Ｕ２１からＵ２６のいずれか及び切断番号Ｔ２１からＴ２６のいずれか）を切断する。
即ち、切断情報＊Ｕ１４０ｍｍ、＊Ｕ１２１ｍｍ、＊Ｕ９９ｍｍ、＊Ｕ８５ｍｍ、＊Ｕ７０ｍｍ、＊Ｕ６０ｍｍ、及び＊Ｔ２８０ｍｍ、＊Ｔ２４３ｍｍ、＊Ｔ１９８ｍｍ、＊Ｔ１７１ｍｍ、＊Ｔ１４０ｍｍ、＊Ｔ１２１ｍｍｍを設ける。
【０２１９】
図２０（２０‐２）の切断方法は切断具１ｖ等及び切断具１ｓ等を用いて切断位置（図１８の切断番号Ｖ２３からＶ２８のいずれか及び切断番号Ｓ２３からＳ２８のいずれか）を切断する。
即ち、切断情報＊Ｖ９９ｍｍ、＊Ｖ８５ｍｍ、＊Ｖ７０ｍｍ、＊Ｖ６０ｍｍ、＊Ｖ４９ｍｍ、＊Ｖ４２ｍｍ、及び＊Ｓ１９８ｍｍ、＊Ｓ１７１ｍｍ、＊Ｓ１４０ｍｍ、＊Ｓ１２１ｍｍ、＊Ｓ９９ｍｍ、＊Ｓ８５ｍｍを設ける。
【０２２０】
図２０（２０‐４）の切断方法は切断具１ｔ等を用いて切断位置（図１８の切断番号Ｕ２１からＵ２６のいずれか）を切断する。
即ち、切断情報Ｔ１４０ｍｍ、Ｔ１２１ｍｍ、Ｔ９９ｍｍ、Ｔ８５ｍｍ、Ｔ７０ｍｍ、Ｔ６０ｍｍを設ける。
或いは、切断具１ｕ等及び切断具１ｔ等を図１８の切断情報（切断番号Ｕ２１からＵ２６のいずれか及び切断番号Ｔ２１からＴ２６のいずれか）を用いて移動後、切断位置にある切断具１ｕ等のみを下降させ切断し、切断に関係の無い切断具１ｔ等には、切断を行なわない為の情報＝罰印（×）を設ける。
即ち、＊Ｕ１４０ｍｍ、＊Ｕ１２１ｍｍ、＊Ｕ９９ｍｍ、＊Ｕ８５ｍｍ、＊Ｕ７０ｍｍ、＊Ｕ６０ｍｍ、及び＊×Ｔ２８０ｍｍ、＊×Ｔ２４３ｍｍ、＊×Ｔ１９８ｍｍ、＊×Ｔ１７１ｍｍ、＊×Ｔ１４０ｍｍ、＊×Ｔ１２１ｍｍを設ける。
【０２２１】
図２０（２０‐８）の切断方法は図２０（２０‐４）の切断後、切断具１ｓ等を用いて切断位置（図１８の切断番号Ｓ２３からＳ２８）を切断する。
即ち、Ｔ１４０ｍｍ、Ｔ１２１ｍｍ、Ｔ９９ｍｍ、Ｔ８５ｍｍ、Ｔ７０ｍｍ、Ｔ６０ｍｍ、及び⇒Ｓ１９８ｍｍ、⇒Ｓ１７１ｍｍ、⇒Ｓ１４０ｍｍ、⇒Ｓ１２１ｍｍ、⇒Ｓ９９ｍｍ、⇒Ｓ８５ｍｍを設ける。
或いは、＊Ｕ１４０ｍｍ、＊Ｕ１２１ｍｍ、＊Ｕ９９ｍｍ、＊Ｕ８５ｍｍ、＊Ｕ７０ｍｍ、＊Ｕ６０ｍｍ、及び＊×Ｔ２８０ｍｍ、＊×Ｔ２４３ｍｍ、＊×Ｔ１９８ｍｍ、＊×Ｔ１７１ｍｍ、＊×Ｔ１４０ｍｍ、＊×Ｔ１２１ｍｍ、及び⇒Ｓ１９８ｍｍ、⇒Ｓ１７１ｍｍ、⇒Ｓ１４０ｍｍ、⇒Ｓ１２１ｍｍ、⇒Ｓ９９ｍｍ、⇒Ｓ８５ｍｍを設ける。
【０２２２】
図２０（２０‐５）、（２０‐６）、（２０‐７）（２０‐９）、（２０‐１０）、（２０‐１１）、（２０‐１２）、（２０‐１３）、図１４（１４‐４）、（１４‐５）、（１４‐６）、（１４‐７）、（１４‐８）、（１４‐９）、（１４‐１０）、（１４‐１１）、（１４‐１２）、（１４‐１３）、（１４‐１４）、（１４‐１５）、更に、請求項１８等の切断方法の概要は、段落番号０２１８、０２１９、０２２０、０２２１や段落番号０１８２の要領に準じて行う事が可能である。
【０２２３】
尚、図１９の切断情報を用いて九等分の切断を行なう場合のその他の実施例として、前記と同じ要領で、縦方向に向けての三等分の切断後に、横方向に向けての三等分の切断を行なう事が可能である。
（尚、この実施は、これを実施する為の切断情報を前記の要領に準じて設ける事により可能となる）
【０２２４】
尚、切断具１ｕ等、切断具１ｔ等、切断具１ｖ等、切断具１ｓ等は、段落番号０１１９に準じる。
【０２２５】
この実施例６の代表例以外の切断情報を設ける場合は、前記の代表例の要領に準じた要領で設ける。
この実施例６の代表例以外のサイズの切断を行なう場合は、前記の代表例の要領に準じた作業手順で行なう。
【実施例７】
【０２２６】
本発明を総じて言えば、ユーザーが指定する切断後の一枚分の紙の大きさを単体サイズとして、供給紙を切断して必要枚数の単体サイズを取得する為の技術であり、この段落以前で示してきた形態例は、供給紙を定型用紙サイズに限定し、供給紙内に単体サイズが丁度に収まる技術を代表例として示してきたが、請求項１０、１１、１２、１３、１４、１５、１６、１７、１８、１９、２９、３０、３１、３２、３３等に関する発明は、供給紙を自由なサイズにする事が可能であり、供給紙内に単体サイズの紙が丁度に収まらない可能性がある技術である。（尚、請求項９の発明の定型用紙サイズの各サイズの紙を各等分に切断して定型用紙サイズの各サイズの紙を作る技術は、供給紙内に各単体サイズの紙が丁度に収まり切断後に無駄紙が発生しない技術である。）
【０２２７】
即ち、図２１、２２、２３、２４、２５、２６、２７、２８、２９、３０、３１は、自由なサイズの給紙が可能な技術を示す形態の代表例であり、供給紙内に単体サイズの紙が丁度に収まらない可能性がある技術を示す形態の代表例であり、請求項１、２、３、４、５、６、７、８、１０、１１、１２、１３、１４、１５、１６、１７、１８、２７、２９、３２、３３、３７、３８、３９、４０、４１、その他の形態を示す代表例である。
図２１は、請求項４、１１、１７を説明の軸として、その他の請求項に関する形態を示す代表例であり、定型用紙サイズの各サイズに切断する為の切断情報に関する形態を示す代表例であり、切断位置の制御装置に設けた情報の収納具の切断情報に関して示している。
更に、図２２は、請求項４、１２、１７を説明の軸として、その他の請求項に関する形態を示す代表例であり、写真サイズの決められた各サイズに切断する為の切断情報に関する形態を示す代表例であり、切断位置の制御装置に設けた情報の収納具の切断情報に関して示している。
更に、図２３は、請求項４、１３、１７を説明の軸として、その他の請求項に関する形態を示す代表例であり、ハガキサイズの決められた各サイズに切断する為の切断情報に関する形態を示す代表例であり、切断位置の制御装置に設けた情報の収納具の切断情報に関して示している。
更に、図２４は、請求項４、１４、１７を説明の軸として、その他の請求項に関する形態を示す代表例であり、名刺サイズの決められた各サイズに切断する為の切断情報に関する形態を示す代表例であり、切断位置の制御装置に設けた情報の収納具の切断情報に関して示している。
更に、図２５は、請求項４、１５、１７を説明の軸として、その他の請求項に関する形態を示す代表例であり、カードサイズの決められた各サイズに切断する為の切断情報に関する形態を示す代表例であり、切断位置の制御装置に設けた情報の収納具の切断情報に関して示している。
【０２２８】
図２１から図２５には、この切断情報と、この切断内容と、この切断番号が示されている。
図２１、２２、２３のこの切断内容は、定型用紙サイズのＡ３サイズを供給可能な最大サイズとして、これ以下の任意の紙を、縦方向と横方向のそれぞれの方向を片側端寄せで給紙し、縦横のそれぞれの方向に向けて複数の刃を設け、図中で示すサイズの紙を作る切断について示している。
又、図２４、２５のこの切断内容は、定型用紙サイズのＡ４サイズを供給可能な最大サイズとして、これ以下の任意の紙を、縦方向と横方向のそれぞれの方向を片側端寄せで給紙し、縦横のそれぞれの方向に向けて複数の刃を設け、図中で示すサイズの紙を作る切断について示している。
【０２２９】
この切断情報は、この切断内容を実施する為の情報であり、多種な切断後のサイズを選択し取り出しができる様に、これに関する情報を予め記憶装置である情報の収納具に収納したものであり、自由なサイズの給紙を可能にして、各切断サイズ毎に、紙を縦長に切断する方法と、横長に切断する方法を示し、この二つの方法から、切断後の紙の使用効率の良い一方或いは原稿や絵柄に合った一方等を選択する事を可能にし、縦横の双方に複数の切断具等を設け、縦横のそれぞれの方向の切断具等を各サイズに応じた縦横のそれぞれの方向の各切断位置にセットし切断する為の制御情報である。
この切断番号は、各切断情報に番号を付したものであり、各切断情報の切断位置を称する為や他に用いる。
【０２３０】
この切断情報の中には、情報の選択の情報（ア案、イ案）、長さの情報（数字ｍｍ）、切断具等の区分の情報（英字）、加工順序の情報（矢印）、同時加工の情報（星印）が保管されている。
情報の選択の情報は、二つに示された切断方法を、いずれかの一つに選択し取り出す為の情報である。
具体的には、図例では、ア案の情報は単体サイズを縦長に、イ案の情報は単体サイズを横長に切断する事を表示し、いずれかの一方を選択する事を可能にしている。
【０２３１】
長さの情報は、図例では、供給可能な最大サイズ以下の紙を切断の対象として、縦横のそれぞれの方向の切断具等を駐具する位置を縦横のそれぞれの方向の起点として、縦横のそれぞれの方向の各起点から縦横のそれぞれの方向の各切断位置までの切断具等が移動する長さを管理する為の情報で示している。
具体的には、図２６、２７、２８、２９、３０、３１のア案とイ案のそれぞれで壁際等にある紙端を切断の起点Ｐ１、Ｐ２として設け、ア案の横方向に向けての切断の為の長さの情報＝ア案の起点Ｐ１より各切断番号の切断位置までの長さ＝各単体サイズの長辺の長さ（ｍｍ）×１、各単体サイズの長辺の長さ（ｍｍ）×２の概数を規格に合わせた数、各単体サイズの長辺の長さ（ｍｍ）×３の概数を規格に合わせた数、‥‥で設け、更にア案の縦方向に向けての切断の為の長さの情報＝ア案の起点Ｐ２より各切断番号の切断位置までの長さ＝各単体サイズの短辺の長さ（ｍｍ）×１、各単体サイズの短辺の長さ（ｍｍ）×２の概数を規格に合わせた数、各単体サイズの短辺の長さ（ｍｍ）×３の概数を規格に合わせた数、‥‥で設け、更にイ案の横方向に向けての切断の為の長さの情報＝イ案の起点Ｐ１より各切断番号の切断位置までの長さ＝各単体サイズの短辺の長さ（ｍｍ）×１、各単体サイズの短辺の長さ（ｍｍ）×２の概数を規格に合わせた数、各単体サイズの短辺の長さ（ｍｍ）×３の概数を規格に合わせた数、‥‥で設け、更にイ案の縦方向に向けての切断の為の長さの情報＝イ案の起点Ｐ２より各切断番号の切断位置までの長さ＝各単体サイズの長辺の長さ（ｍｍ）×１、各単体サイズの長辺の長さ（ｍｍ）×２の概数を規格に合わせた数、各単体サイズの長辺の長さ（ｍｍ）×３の概数を規格に合わせた数、‥‥で設けている。
（但し、いずれも、切断は供給可能な最大サイズ以下の紙を対象とする。）
【０２３２】
尚、図２１の切断内容のア案の「任意の紙を縦長でＢ４サイズにする。」に対するイ案に関する切断の切断情報（切断番号）に関しては、供給可能な紙の寸法が切断サイズに足らず、Ｂ４サイズの取得が出来ない為、これを設置していない。
又、図２１の切断内容の「又は、任意の紙を横長でＡ４サイズにする。」のイ案ＳＡ４に関する切断情報（切断番号）に関しては、切断位置が許容最大給紙サイズの紙端位置（２９７ｍｍ）と同じの為、これを設置していない。
【０２３３】
切断具等の区分の情報は、切断位置を切断する為の切断具等の種類の情報である。
具体的には、図２１、２２、２３、２４、２５、２６、２７、２８、２９、３０、３１の切断情報や切断番号の英字Ｚ、Ｘ、Ｗ、Ｕ、Ｔ、Ｙ、Ｖ、Ｓが切断具等の区分の情報であり、図２、５、８、１０等の要領に準じて設けている。（即ち、英字Ｚは切断具１ｚ等、英字Ｘは切断具１ｘ等、英字Ｗは切断具１ｗ等、英字Ｕは切断具１ｕ等、英字Ｔは切断具１ｔ等、英字Ｙは切断具１ｙ等、英字Ｖは切断具１ｖ等、英字Ｓは切断具１ｓ等に関しており、Ｕ、Ｔ、Ｓに関しては、図３１で示す。）
同時加工の情報は、複数の切断具等を同時に稼働する為の情報である。
具体的には、図の星印（＊）が同時加工の情報であり、同時に切断する事を示し、図１０、１５、１８等の要領に準じて設けている。（図３１のイ案では、イ案ＵＢ５とイ案ＴＢ５が同時に切断する事を示す。）
加工順序の情報は、工程の流れを示し、縦横の方向の切断順位を決定する為の情報である。
具体的には、図の矢印（⇒）が加工順序の情報であり、図１０、１５、１８等の要領に準じて設けている。（図３１のイ案では、イ案ＵＢ５とイ案ＴＢ５の後にイ案ＳＢ５の切断が行なわれる事を示す。）
【０２３４】
尚、請求項１０の定型用紙サイズの各サイズの各等分サイズに切断する為の切断情報に関しては、図を省略しているが、前記の図２１、２２、２３、２４、２５（請求項１１、１２、１３、１４、１５）の要領に準じて設ける事が可能である。
【０２３５】
尚、請求項１６、１７の図を省略している切断情報に関しては、前記の要領に準じて設ける事が可能であり、図２１、２２、２３、２４、２５（請求項１１、１２、１３、１４、１５）の要領に準じて設ける事が可能である。
【０２３６】
尚、請求項１６、１７の決められたサイズとは、一般的に使用されているサイズ、一般的に市販されているサイズ、或いは一般的に使用されるサイズ、一般的に市販されるサイズ等である。
例えば、定型用紙サイズのＡ列、Ｂ列の各サイズは、広く一般的に使用されているサイズや一般的に市販されているサイズであり、決められたサイズに該当する。
例えば、写真サイズの、マスターズ、Ｅ、サービス、ＤＥＣ、真四角、Ｌ、ＬＣ、ＫＧ、キング、２Ｅ、２Ｌ、ＬＬ、２ＬＣ、六切り、Ｓ６、６Ｗ、四切り、４Ｗ、ワイド、２Ｌワイド、ハイビジョン、パノラマ、ＬＰ、ハガキ、ＫＣ、キャビネ、大キャビネ、八切り、大四切り、写真四切、写真六切、写真八切、ＨＶ、ＬＨ、２ＬＨ、２ＬＰ、ビッグパノラマ、その他等のサイズは、取扱店やメーカーでサイズが多少異なったり、呼称が異なったりするケースがあるが、これらが、一般的に使用されているサイズや一般的に市販されているサイズであれば、いずれも決められたサイズに該当する。
例えば、写真サイズの証明写真は、提出先によりサイズが異なるが、これらが、広く一般的に使用されているサイズであれば、いずれも決められたサイズに該当する。
例えば、ハガキサイズの官製ハガキ、往復ハガキ、私製ハガキ、大判ハガキ、最小ハガキ、最大ハガキ等は、広く一般的に使用されているサイズや一般的に市販されているサイズであり、決められたサイズに該当する。
例えば、名刺サイズの普通型五号、普通型四号（一般名刺）、普通型三号（女性用名刺）、小型四号、小型三号、小型二号、小型一号等は、一般的に使用されているサイズや一般的に市販されているサイズであり、決められたサイズに該当する。
例えば、カードサイズの８６ｍｍ×５４ｍｍ、５インチ×３インチ、６インチ×４インチ、８インチ×５インチ、紙幣等のサイズは、一般的に使用されているサイズや一般的に市販されているサイズであり、決められたサイズに該当する。
例えば、封筒サイズの角型の各号や長型の各号や洋型の各号の定型郵便や定型外郵便のサイズは、一般的に使用されているサイズや一般的に市販されているサイズであり、決められたサイズに該当する。
例えば、バーコードやＱＲコードの各サイズは、広く一般的に使用されているサイズであり、決められたサイズに該当する。
例えば、その他の一般的に使用されているサイズ、その他の一般的に市販されているサイズ、或いは将来に一般的に使用されるサイズ、将来に一般的に市販されるサイズは、決められたサイズに該当する。
【０２３７】
尚、図２１、２２、２３、２４、２５のア案とイ案は、縦横の方向を９０度転換した情報であり、切断番号の一部が同じ切断情報の長さの情報であり、更に、その他の切断番号の一部が同じ切断情報の長さの情報になるケースがある。
即ち、長さの情報が同一の場合には、既に図８、１０、１８等を用いた形態例で示す様に、この長さの情報にその他の異なる情報｛図例では、情報の選択の情報（ア案、イ案）、切断具等の区分の情報（英字）や同時加工の情報（星印）や加工順序の情報（矢印）｝を設け、この異なる情報を選択可能にする事により、それぞれの長さの情報を一つの共通の切断情報として管理する事が可能となる。
【０２３８】
図２６、２７、２８、２９、３０は、図２１、２２、２３、２４、２５をア案とイ案別に各サイズの供給紙と各切断位置を縮小サイズの概略図で示し、起点Ｐ１と起点Ｐ２と各切断位置に該当する切断番号を示している。
【０２３９】
図３１の概略図は、請求項４、５、６、７、８、２７を説明の軸として、その他の請求項に関する形態を示す代表例であり、電源を入れ、紙を供給し、図２１の切断情報を収めた情報の収納具を備えた紙の切断装置により、自動で切断を開始し、完了するまでの手順の概要の一部を示す形態の代表例であり、図２１、２２、２３、２４、２５に関する形態の代表例として示す。
【０２４０】
図３１（３１‐１）は発明装置に電源を入れる事を示す。
【０２４１】
図３１（３１‐２）は紙の供給を示す。
図例は、任意のサイズの紙を給紙している。
詳しくは、給紙トレイや給紙カセット等の切断場所又は供給場所にＡ３サイズ以下の任意のサイズの紙９２を縦方向（図例では上下方向）と横方向（図例では左右方向）を一定方向に揃えて、縦方向に片側端寄せで（図の下方側にある側面紙押さえ２ｊにより図の上方側にある壁２１ｅ等に寄せ）、更に横方向に片側端寄せで（図の左方側にある側面紙押さえ２ｋにより図の右方側にある壁２１ｆ等に寄せて）給紙している。
【０２４２】
図３１（３１‐３）は、図２１の切断情報を備えた切断位置の制御装置（請求項１、２、３、７等に関する）及び切断位置の制御装置を備えた紙の自動切断の制御装置（請求項８、２７等に関する）により紙の切断が開始される事を示しており、図３１（３１‐３）、（３１‐４Ａ）、（３１‐４Ｂ）、（３１‐４Ｃ）は、請求項１、２、３、５等に関して示しており、ユーザーが希望する切断サイズに関する切断情報を情報の選択具により情報の収納具から選択する事を示す。
【０２４３】
図３１（３１‐３）は、例えばタッチパネルやボタン等の情報を伝達する為の情報の選択具により、供給紙が任意のサイズである事を（図例では自動認識のボタンで）伝達し、切断後の用紙サイズをＢ５サイズに切断したい事を伝達している。
【０２４４】
尚、自動認識のボタンの選択は、例えば、スキャナー等のセンサーにより供給紙のサイズを感知し、供給紙のサイズを自動で認識する事を示す。或いは側面紙押さえの紙押さえ時の停止位置の情報やその他により供給紙のサイズを自動で認識する事を示す。更に、図例では、画面に供給紙と切断位置の縮小図の表示を可能にして、ユーザーが目視でこれを認識可能にして、間違いを防止する事を可能にする。
尚、この画面表示を必要としない場合は、自動認識装置をオフにするボタン（図例では任意のボタン）を設け選択する。或いは、自動認識装置の設置を省略する。
又、用紙サイズの自動認識装置を備えるコピー機やプリンタ等の紙に情報を写す機器に設ける場合は、この装置を兼用可能にしてこの情報を共有する事が可能である。
又、供給紙が定型サイズの場合は、定型サイズを伝達するボタン（‥‥Ｂ４、Ａ５、Ｂ５、Ａ６‥‥）を設け、これを選択する事により画面表示を可能にし、画面に供給紙と切断位置の縮小図の表示を可能にし、ユーザーが目視でこれを認識可能にして、間違いを防止する事を可能にする。
【０２４５】
図３１（３１‐４Ａ）は、情報の選択具により図２１で示した記憶装置である情報の収納具に収納されている切断情報の中からユーザーが希望する切断に関する情報が表示された事を示す。
即ち、図例では、Ａ３サイズ以下の任意の紙からＢ５サイズの定型用紙を作る為に、先ず、ア案とイ案の切断情報が表示された事を示す。
【０２４６】
詳しくは、ア案に関する切断情報として、切断位置を示す切断番号ア案ＴＢ５の切断情報＝ア案Ｔ２５７ｍｍ（情報の選択の情報＝単体サイズを縦長に切断する＝ア案、切断具等の区分の情報＝切断に使用する切断具等の種類＝切断具１ｔ等、長さの情報＝起点Ｐ１から切断番号ア案ＴＢ５の切断位置までの長さ＝２５７ｍｍ）、更に切断位置を示す切断番号ア案ＳＢ５の切断情報＝ア案⇒Ｓ１８２ｍｍ（情報の選択の情報＝単体サイズを縦長に切断する＝ア案、切断具等の区分の情報＝切断に使用する切断具等の種類＝切断具１ｓ等、長さの情報＝起点Ｐ２から切断番号ア案ＳＢ５の切断位置までの長さ＝１８２ｍｍ、加工順序の情報＝ア案ＴＢ５の切断後に切断）、更に、イ案に関する切断情報として、切断位置を示す切断番号イ案ＵＢ５の切断情報＝イ案＊Ｕ１８２ｍｍ（情報の選択の情報＝単体サイズを横長に切断する＝イ案、切断具等の区分の情報＝切断に使用する切断具等の種類＝切断具１ｕ等、長さの情報＝起点Ｐ１から切断番号イ案ＵＢ５の切断位置までの長さ＝１８２ｍｍ、同時加工の情報＝イ案ＵＢ５とイ案ＴＢ５を同時加工）、更に切断位置を示す切断番号イ案ＴＢ５の切断情報＝イ案＊Ｔ３６４ｍｍ（情報の選択の情報＝単体サイズを横長に切断する＝イ案、切断具等の区分の情報＝切断に使用する切断具等の種類＝切断具１ｔ等、長さの情報＝起点Ｐ１から切断番号イ案ＴＢ５の切断位置までの長さ＝３６４ｍｍ、同時加工の情報＝イ案ＵＢ５とイ案ＴＢ５を同時加工）、更に切断位置を示す切断番号イ案ＳＢ５の切断情報＝イ案⇒Ｓ２５７ｍｍ（情報の選択の情報＝単体サイズを横長に切断する＝イ案、切断具等の区分の情報＝切断に使用する切断具等の種類＝切断具１ｓ等、長さの情報＝起点Ｐ２から切断番号イ案ＳＢ５の切断位置までの長さ＝２５７ｍｍ、加工順序の情報＝イ案ＵＢ５とイ案ＴＢ５の切断後に切断）が表示された事を示す。
【０２４７】
図３１（３１‐４Ｂ）は、切断装置の概略図（部分図）であり、切断内容を示し、図２１の中より取り出した切断情報、（ア案の切断情報として、切断具１ｔ等、切断具１ｓ等をア案ＴＢ５、ア案ＳＢ５の切断位置に移動させ切断する方法と、イ案の切断情報として、切断具１ｕ等、切断具１ｔ等、切断具１ｓ等を切断番号イ案ＵＢ５、イ案ＴＢ５、イ案ＳＢ５の切断位置に移動させ切断する方法）を示す。
【０２４８】
更に、図３１（３１‐４Ｂ）は、情報を入力できる画面でもあり、二つの案を表示後、二つの案の中より、切断後の紙の使用効率の良いア案が、例えばタッチパネルにより選択された事を示す。
或いはボタン等の情報の選択具によりア案が選択された事を示す。（尚、図例では、イ案はユーザーの希望する切断サイズが取得出来ない事を示している。）
【０２４９】
図３１（３１‐４Ｃ）は、横方向に向けての切断位置の制御装置の制御が開始された事を示す。即ち、ア案の選択により、任意のサイズの紙からＢ５サイズの定型用紙を作る為に、先ず横方向に向けての切断を行なう為の切断情報＝ア案Ｔ２５７ｍｍ（情報の選択の情報＝ア案、切断具等の区分＝切断具１ｔ等、長さの情報＝起点Ｐ１から切断番号ア案ＴＢ５の切断位置までの長さ＝２５７ｍｍ）が取り出された事を示す。
【０２５０】
図３１（３１‐５）は、請求項１、２、３、６等に関して示しており、情報の収納具から取り出した切断情報により切断具等を切断番号ア案ＴＢ５の切断位置に移動させる為の動力を制御して切断具１ｔ等を切断位置に移動した事を示す。
【０２５１】
図３１（３１‐６）、（３１‐７）は、（３１‐５）の作業により、横方向に向けての切断に関する切断位置の制御装置の稼働が完了し、自動切断の制御装置（請求項８、２７等）の稼働が継続される事を示す。
図例では、切断位置の制御装置の働きにより切断位置に移動しセットされた切断具１ｔ等は、予め設けられた切断の為のコンピューター等の制御によるプログラム等に従い、前記の作業に継続して切断具である丸刃が回転を開始し、（供給紙上方にある）切断具等が下降し、丸刃が供給紙を横断して、或いは供給紙が丸刃を横断して、紙を切断して、丸刃が回転を停止し、切断具等が上昇し、切断具等が駐具されていた元の位置（起点Ｐ１）に戻る事を示し、横方向に向けての切断に関する自動切断の制御装置の稼働が完了する事を示している。
図３１（３１‐６）は、切断番号ア案ＴＢ５の切断位置に移動した切断具１ｔである丸刃が回転を開始し、紙の設置位置まで下降し、切断を開始した事を示す。
図３１（３１‐７）は、切断が終了し、丸刃の回転が停止し、切断具等が上昇し、この後切断具等は次の切断の邪魔にならない様に、次の紙の切断時の切断具等の軌道から外れた場所にある駐具場所（起点Ｐ１）に戻る事を示し、横方向に向けての切断の終了を示している。
尚、切断具は、段落番号０１２１で示す通りである。
尚、切断具１ｔ等、切断具１ｓ等とは、段落番号０１１９で示す通りである。
尚、これ以後の切断手順の要領は、図１３等の要領に準ずる為、この図示を省略する。
【０２５２】
横方向に向けての切断の終了により、横方向に向けての切断の終了の情報が伝達され、縦方向に向けての切断に関する切断位置の制御（請求項１、２、３、７等に関する）及び縦方向に向けての切断に関する自動切断の制御（請求項８、２７等に関する）の稼働が自動で開始し、情報の収納具に収納されている縦方向に向けての切断に関しての切断情報が取り出される。
即ち、図３１（３１‐３）、（３１‐４Ａ）、（３１‐４Ｂ）の作用により、予め伝達してある任意のサイズからＢ５サイズを取得する為の縦方向に向けての切断の情報が、横方向に向けての切断の終了の情報の伝達により、自動で取り出される事を示す。
詳しくは、切断位置を示す切断番号ア案ＳＢ５の切断情報＝ア案⇒Ｓ１８２ｍｍ（情報の選択の情報＝ア案、切断具等の区分の情報＝切断具１ｓ等、長さの情報＝起点Ｐ２から切断番号ア案ＳＢ５の切断位置までの長さ＝１８２ｍｍ、加工順序の情報＝ア案ＴＢ５の切断後に切断）が取り出される。（請求項１、２、３、４、５等に関する）
【０２５３】
更に継続して、次の手順の概要で切断が行われる。
切断情報により切断具１ｓ等を切断番号ア案ＳＢ５の切断位置に移動させる為の動力を制御して切断位置に移動する（請求項１、２、３、６等に関する）。＜切断位置の制御装置の縦方向に向けての切断に関する稼働の完了＞＜自動切断の制御装置の稼働の継続＞予め設けられた切断の為のコンピューター等の制御によるプログラム等に従い、切断具である丸刃が回転を開始し、（供給紙上方にある）切断具等が下降。丸刃が供給紙を横断して、或いは供給紙が丸刃を横断して紙を切断。丸刃が回転を停止し、切断具等が上昇。切断具等が駐具されていた元の位置（起点Ｐ２）に戻る。＜縦方向に向けての切断に関する自動切断の制御装置の稼働が完了＞＜任意のサイズからＢ５サイズを作る為の自動切断の制御装置の稼働が完了＞更に、用紙の取り出し。電源を切る。
【０２５４】
尚、この切断手順のその他の実施例として、図３１（３１‐３）での情報の伝達後に、（３１‐４Ｂ）で、この切断に関する全ての情報を一度に取り出すプログラムを設ける事が可能である。（即ち、切断情報ア案Ｔ２５７ｍｍ、ア案⇒Ｓ１８２ｍｍを一度に取り出す事が可能である。）
更に、この切断手順のその他の実施例として、段落番号０２５２で示す横方向に向けての切断の終了の情報の伝達により、自動による縦方向に向けての切断に関しての切断情報の取り出しを行なわず、手動による横方向に向けての切断後の用紙等の取り出し、手動による切断後の用紙等の供給、手動による縦方向に向けての切断情報の伝達を行なう事が可能である。
即ち、本発明の切断装置を、本発明以外の紙の切断装置に備える場合は、本発明の切断装置を、本発明以外の紙の切断装置の形態に合わせて設ける事が可能である事を示す。
【０２５５】
尚、図２１の切断情報を用いた切断手順のその他の実施例として、図３１と同じ要領で、縦方向に向けての切断後に、横方向に向けての切断を行なう事が可能である。
（尚、この実施は、これを実施する為の切断情報を前記の要領に準じて設ける事により可能となる）
【０２５６】
代表例は、Ａ案の切断方法とＢ案の切断方法を示し、いずれか一方を選択する技術で示しているが、その他の実施例として、Ａ案の切断方法或いはＢ案の切断方法のいずれか一方を単独で設ける技術が可能である。
【０２５７】
この実施例７の代表例以外の切断情報を設ける場合は、前記の代表例の要領に準じた要領で設ける。
この実施例７の代表例以外のサイズの切断を行なう場合は、前記の代表例の要領に準じた作業手順で行なう。
【実施例８】
【０２５８】
前記までに著してきた発明は、決められた各サイズやこれに関するサイズに切断する為の切断情報の長さの情報を独立した点の情報として設けたが、請求項１９の発明のユーザーが設定する独自の各サイズに切断する事ができる紙の切断装置は、デジタル操作が可能な点が連続的に並ぶ直線状の情報の切断情報の長さの情報を備える。
【０２５９】
更に、請求項１９の発明を具体的に著せば、この切断情報に加えて、例えば、切断具等の位置を示す可動式の印と供給紙を示し、ｍｍ、ｃｍ等を単位とした目盛りを表示し、表示されている目盛りを参考にして切断位置を示す可動式の印を目視とボタン操作やタッチ操作やダイヤル操作やハンドル操作等の情報を伝達する操作により自在に調整し、ユーザーが設定したいと望む切断位置に移動させ停止する事により、ユーザーが設定した独自の切断位置に関する切断情報を情報の収納具から取り出し、取り出した切断情報により切断具等を切断位置に自動でセットし、ユーザーが希望する切断位置を自動で切断する事を可能にする。
【０２６０】
図３２の概略図は、請求項１９の発明を説明の軸として、請求項１、２、３、４、５、６、７、８、１９、２０、２１、２２、２３、２４、２７、２９、３２、３３、３７、３８、３９、４０、４１、その他の発明に関する形態を示す代表例であり、図例では、前記段落番号の０２５８の切断情報を備え、縦横のそれぞれの方向に各二組（複数）の切断具等を備え、ユーザーが設定する独自のサイズの切断を行なう手順の概要の一部を示す。
【０２６１】
この切断情報の中には、長さの情報（数字ｍｍ）、切断具等の区分の情報（英字）、加工順序の情報（矢印）、同時加工の情報（星印）が、記憶装置である情報の収納具に保管されている。（請求項４、その他に関する）
この切断情報の長さの情報は、給紙可能な最大サイズ内の縦横の双方の方向に、例えば１ｍｍの等間隔、或いはこれより広い等間隔や狭い等間隔の情報をデジタルの情報として設けている。
この切断情報の切断具等の区分の情報や加工順序の情報や同時加工の情報は、既に示した要領に準じて設けている。
切断番号は、各切断情報に番号を付したものであり、各切断情報の切断位置を称する為や他に用いる。
【０２６２】
情報の選択具は、画面を備え、この画面は、縮小サイズで供給紙と切断具等の位置を示す可動式の印であるバーを表示し、バーを画面内のユーザーの希望する切断位置に停止する事により、ユーザーの希望する切断位置の切断情報を取り出し可能にする。更に複数の切断具等を同時に使用して複数の個所を切断する場合は、縦横の交差部或いは縦横のいずれか一方の方向のバーを操作する事により、同一方向にある複数のバーを切断位置に合わせて等間隔に連動させ一度に移動する。（請求項５、２３、３３、その他に関する）
【０２６３】
図３２（３２‐１）は発明装置に電源を入れる事を示す。
【０２６４】
図３２（３２‐２）は紙の供給を示す。
図例は、任意のサイズの紙を給紙している。
詳しくは、給紙トレイや給紙カセット等の切断場所又は供給場所に任意のサイズの紙９２を縦方向（図例では左右方向）と横方向（図例では上下方向）を一定方向に揃えて、用紙の縦方向を片側端寄せで（図の左方側にある側面紙押さえ２ｋにより図の右方側にある壁２１ｆ等に寄せて）、更に用紙の横方向を片側端寄せで（図の下方側にある側面紙押さえ２ｊにより図の上方側にある壁２１ｅ等に寄せ）給紙している。
【０２６５】
図３２（３２‐３）は、前記の切断情報を備えた切断位置の制御装置（請求項１、２、３、７等に関する）及び切断位置の制御装置を備えた紙の自動切断の制御装置（請求項８、２７等に関する）により紙の切断が開始される事を示しており、図３２（３２‐３）、（３２‐４Ａ）、（３２‐４Ｂ）、（３２‐４Ｃ）、（３２‐５）は、請求項１、２、３、５等に関して示しており、ユーザーが希望する切断サイズに関する切断情報を、例えばタッチパネルやボタン等の情報を伝達する為の情報の選択具により情報の収納具から選択する事を示す。
【０２６６】
図３２（３２‐３）は、自動認識のボタンの選択により任意のサイズを給紙した事を伝達し、手動操作のボタンの選択により切断後の用紙サイズをユーザーが設定する独自のサイズに切断したい事を伝達している。
尚、自動認識のボタンの選択は、例えば、スキャナー等のセンサーにより供給紙のサイズを感知し供給紙のサイズを自動で認識する事を示す。或いは、側面紙押さえの紙押さえ時の停止位置の情報やその他により供給紙のサイズを自動で認識する事を示す。
又、供給紙サイズの自動認識装置を備えるコピー機やプリンタ等の紙に情報を写す機器に設ける場合は、この装置を兼用可能にしてこの情報を共有する事が可能である。
【０２６７】
図３２（３２‐４Ａ）は、（３２‐３）の情報の選択具の選択結果により、画面に表示される操作ボタン（切断具の数のボタン、等間隔に連動のボタン、送りボタン、余白ボタン、決定取消のボタン）を示す、或いは装置に設置されている操作ボタンを示す。
図例では、切断具の数の横を２、縦を２を選択し、更に等間隔に連動のボタンを選択している。
即ち、この切断内容は、横方向に二枚の切断具と縦方向に二枚の切断具を用いて任意の紙からユーザーが設定するサイズの紙を四枚取得する為の切断について示し、更にバーをユーザーの希望する切断位置に移動する為のボタンである送りボタンの一つの操作により、複数のバーを送りボタンの操作と同一方向に等間隔に連動移動し、ユーザーの希望する切断位置の切断情報を取り出す事ができる事を示す。
【０２６８】
図３２（３２‐４Ｂ）は、（３２‐３）、（３２‐４Ａ）の選択により表示された表示画面であり、表示された画面内に供給紙９２と縦横のそれぞれの方向の起点Ｐ１、Ｐ２に駐具されたそれぞれの二組の切断具１ｔ等、切断具１ｕ等及び切断具１ｓ等、切断具１ｖ等と切断位置（切断番号Ｔ手動、切断番号Ｕ手動及び切断番号Ｓ手動、切断番号Ｖ手動）を示すバーと目盛りＯが表示される。
【０２６９】
目盛りＯは、紙端が接する壁等の位置に設け、ｍｍ又はｃｍの単位で設け、例えば、１ｍｍ又は２ｍｍ又は５ｍｍ又は０、５ｃｍ又は１ｃｍ又は２ｃｍ又はその他の間隔で設け、ユーザーが切断位置を選択する時の目安となる。
【０２７０】
操作ボタンの送りボタンの上下方向の矢印（↑、↓）の選択により、表示画面の供給紙の縦方向の切断位置を示すバーを上下に自在に移動させる。
図例では、送りボタンで切断番号Ｔ手動又は切断番号Ｕ手動の切断位置を示すバーのいずれか一つを操作し、切断番号Ｔ手動及び切断番号Ｕ手動の切断位置を示すバーの双方を連動させ希望する切断位置に移動する事が可能である。
操作ボタンの送りボタンの左右方向の矢印（←、→）の選択により、表示画面の供給紙の横方向の切断位置を示すバーを左右に自在に移動させる。
図例では、送りボタンで切断番号Ｓ手動又は切断番号Ｖ手動の切断位置を示すバーのいずれか一つを操作し、切断番号Ｓ手動及び切断番号Ｖ手動の切断位置を示すバーの双方を連動させ希望する切断位置に移動する事が可能である。
操作ボタンの送りボタンの円内の斜め上下左右方向の選択により、表示画面の供給紙の縦方向の切断位置を示すバーと、供給紙の横方向の切断位置を示すバーの交差部を斜め上下左右に移動させる。
図例では、送りボタンで切断番号Ｔ手動と切断番号Ｓ手動の切断位置を示すバーの交差部又は切断番号Ｕ手動と切断番号Ｖ手動の切断位置を示すバーの交差部又は切断番号Ｔ手動と切断番号Ｖ手動の切断位置を示すバーの交差部又は切断番号Ｕ手動と切断番号Ｓ手動の切断位置を示すバーの交差部のいずれか一つを操作し、切断番号Ｔ手動と切断番号Ｕ手動と切断番号Ｓ手動と切断番号Ｖ手動の切断位置を示すバーを、或いは切断番号Ｔ手動と切断番号Ｕ手動の切断位置を示すバーを、或いは切断番号Ｓ手動と切断番号Ｖ手動の切断位置を示すバーを連動させ希望する切断位置に移動する事が可能である。
【０２７１】
この時、リアルタイムに画面内にバーの停止位置（起点から切断位置までの距離）をデジタル表示（数字）で表示する事を可能にする事で、バーの停止位置をより確実に認識する事を可能にする。
【０２７２】
尚、情報を伝達する為の情報の選択具のその他の実施例として、図例で示す操作ボタンを設けず、パネル上に情報の選択具を備えるタッチパネルを設ける事を可能にする。
即ち、表示画面の縦横の壁内に指を接触し供給紙内に向けて誘導を繰り返す事により縦横方向に必要な数の（誘導を繰り返した数の）バーを取り出し、縦横方向のバー上や縦横方向のバーの交差部上のタッチ操作により、タッチ部及びタッチ部と同一方向にある複数のバーを同時に移動する事を可能にする。或いは、縦横方向のバー上や縦横方向のバーの交差部上に接触せず、縦横方向のバー上や縦横方向のバーの交差部上より移動方向を誘導する事により、指定する方向及び指定する方向にある複数のバーを同時に移動する事を可能にする。
【０２７３】
尚、連動技術は、例えば、切断情報の長さの情報を、ユーザーが設定する一枚の紙のサイズを単体サイズとして、縦横のそれぞれの方向を単体サイズ×１、単体サイズ×２、単体サイズ×３‥‥で設ける事により、指定された複数の切断具等を一度に等間隔に移動する事を可能にする。
或いは、切断情報の長さの情報を、縦横のそれぞれの方向を一つの単体サイズ（×１）の情報で設け、情報の選択具により選択された切断情報（一つの単体サイズの情報）を基に、原動部よりの動力を複数の切断具等に伝達する為の動力の変換部を、（例えば、同軸に設けた各歯車或いは各円板或いは各カム等の外周を、）×１、×２、×３‥‥の関係で設け、動力の伝達時に複数の切断具等の移動長に応じたそれぞれの長さに変換する事により、指定された複数の切断具等を一度に等間隔に移動する事を可能にする。
（但し、いずれも切断は、供給可能な最大サイズ以下の紙を対象とする。）
【０２７４】
尚、この連動技術は、既に著してきた定型用紙サイズの各サイズや定型用紙サイズの各サイズの各等分サイズや写真サイズの決められた各サイズやハガキサイズの決められた各サイズや名刺サイズの決められた各サイズやカードサイズの決められた各サイズやこれら以外の決められた各サイズや決められた各サイズ等に切断する為の切断装置にも同じ要領で適用する事が可能である。（請求項３３等に関する）
【０２７５】
図３２（３２‐４Ｃ）は、前記の要領で、図３２（３２‐４Ａ）の送りボタンで切断位置を示すバーをユーザーの希望する切断位置に移動後、操作ボタンの決定ボタンの選定により確定した切断情報である。
詳しくは、切断位置を示す切断番号Ｕ手動の切断情報＝＊Ｕユーザーの設定位置（切断具等の区分の情報＝１ｕ等、長さの情報＝起点をＰ１としたユーザーが設定した独自の長さ、同時加工の情報＝Ｔ手動とＵ手動が同時加工）、切断位置を示す切断番号Ｔ手動の切断情報＝＊Ｔユーザーの設定位置（切断具等の区分の情報＝１ｔ等、長さの情報＝起点をＰ１としたユーザーが設定した独自の長さ＝切断番号Ｕ手動の長さの情報×２、同時加工の情報＝Ｔ手動とＵ手動が同時加工）、切断位置を示す切断番号Ｖ手動の切断情報＝⇒＊Ｖユーザーの設定位置（切断具等の区分の情報＝１ｖ等、長さの情報＝起点をＰ２としたユーザーが設定した独自の長さ、同時加工の情報＝Ｓ手動とＶ手動が同時加工、加工順序の情報＝Ｕ手動、Ｔ手動の切断後）、切断位置を示す切断番号Ｓ手動の切断情報＝⇒＊Ｓユーザーの設定位置（切断具等の区分の情報＝１ｓ等、長さの情報＝起点をＰ２としたユーザーが設定した独自の長さ＝切断番号Ｖ手動の長さの情報×２、同時加工の情報＝Ｓ手動とＶ手動が同時加工、加工順序の情報＝Ｕ手動、Ｔ手動の切断後）、が確定した事を示す。
【０２７６】
図３２（３２‐５）は、切断位置の制御装置の供給紙の縦方向に向けての制御が開始される事を示す。
即ち、図３２（３２‐４Ａ）の決定ボタンの選定により確定した切断番号（切断情報）の中より、先ず、供給紙の縦方向に向けての切断を行なう為の切断情報（＊Ｔユーザーの設定位置、＊Ｕユーザーの設定位置）が取り出された事を示す。
【０２７７】
図３２（３２‐６）は、請求項１、２、３、６等に関して示しており、情報の収納具から取り出した切断情報により切断番号Ｔ手動の切断位置に移動させる為の動力を制御して切断具１ｔ等を切断位置に移動した事を示し、切断番号Ｕ手動の切断位置に移動させる為の動力を制御して切断具１ｕ等を切断位置に移動した事を示す。
尚、これ以後の切断手順の図示は、図１２、１３等の要領に準ずる為、これを省略する。
【０２７８】
即ち、（３２‐６）の作業により供給紙の縦方向に向けての切断に関する切断位置の制御装置の稼働が完了し、自動切断の制御装置の稼働（請求項８、２７等）が継続される。
切断位置の制御装置の働きにより切断位置に移動しセットされた切断具１ｔ等、切断具１ｕ等は、予め設けられた切断の為のコンピューター等の制御によるプログラム等に従い、前記の作業に継続して切断具である丸刃が回転を開始し、（供給紙上方にある）切断具等が下降し、丸刃が供給紙を横断して、或いは供給紙が丸刃を横断して、紙を切断して、丸刃が回転を停止し、切断具等が上昇し、切断具等が駐具されていた元の位置（起点Ｐ１）に戻り、供給紙の縦方向に向けての切断に関する自動切断の制御装置の稼働が完了する。
【０２７９】
供給紙の縦方向に向けての切断の終了により、切断位置の制御装置の供給紙の横方向に向けての切断に関する稼働が自動的に開始される。
即ち、供給紙の縦方向に向けての切断の終了の情報の伝達により、情報の収納具に保管されている供給紙の横方向に向けての切断に関しての情報が取り出され、切断が行われる。
詳しくは、情報の収納具から取り出した切断情報（⇒＊Ｓユーザーの設定位置、⇒＊Ｖユーザーの設定位置）により切断具１ｓ等を切断番号Ｓ手動の切断位置に、切断具１ｖ等を切断番号Ｖ手動の切断位置に移動させる為の動力を制御して切断位置に移動する（請求項１、２、３、６等に関する）、切断位置の制御装置の供給紙の横方向に向けての切断に関する稼働が完了し、自動切断の制御装置の稼働が継続される、切断位置の制御装置の働きにより切断位置に移動しセットされた切断具１ｓ等、切断具１ｖ等は、予め設けられた切断の為のコンピューター等の制御によるプログラム等に従い、前記の作業に継続して切断具である丸刃が回転を開始し、（供給紙上方にある）切断具等が下降し、丸刃が供給紙を横断して、或いは供給紙が丸刃を横断し紙を切断して、丸刃が回転を停止し、切断具等が上昇し、切断具等が駐具されていた元の位置（起点Ｐ２）に戻り、自動切断の制御装置の供給紙の横方向に向けての切断に関する稼働が完了し、任意のサイズからユーザーの設定した独自のサイズを作る為の自動切断の制御装置の稼働が完了する。更に、用紙の取り出し、電源を切る。
【０２８０】
尚、この切断手順のその他の実施例として、図３２（３２‐４Ｃ）で確定した切断情報の全ての情報を一度に取り出すプログラムを設ける事が可能である。（即ち、＊Ｔユーザーの設定位置、＊Ｕユーザーの設定位置、⇒＊Ｓユーザーの設定位置、⇒＊Ｖユーザーの設定位置を一度に取り出す事が可能である。）
更に、この切断手順のその他の実施例として、前記段落番号０２７９で示す供給紙の縦方向に向けての切断の終了の情報の伝達により自動による供給紙の横方向に向けての切断に関しての切断情報の取り出しを行なわず、供給紙の縦方向に向けての切断後の手動による用紙の取り出し、手動による用紙の供給、手動による横方向に向けての切断情報の伝達を行なう事が可能である。
即ち、本発明の切断装置を、本発明以外の紙の切断装置に備える場合は、本発明の切断装置を、本発明以外の紙の切断装置の形態に合わせて設ける事が可能である事を示す。
【０２８１】
尚、図３２の切断情報を用いたその他の実施例として、前記と同じ要領で、供給紙の横方向に向けての切断後に、供給紙の縦方向に向けての切断を行なう事が可能である。
（尚、この実施は、これを実施する為の切断情報を前記の要領に準じて設ける事により可能となる）
【０２８２】
尚、切断具とは、段落番号０１２１で示す通りである。
尚、切断具１ｔ等、切断具１ｓ等とは、段落番号０１１９で示す通りである。
【０２８３】
この実施例８の代表例以外の切断情報を設ける場合は、前記の代表例の要領に準じた要領で設ける。
この実施例８の代表例以外のサイズの切断を行なう場合は、前記の代表例の要領に準じた作業手順で行なう。
【０２８４】
更に、請求項２５の発明は、定型用紙サイズの各サイズや定型用紙サイズの各サイズの各等分サイズや写真サイズの決められた各サイズやハガキサイズの決められた各サイズや名刺サイズの決められた各サイズやカードサイズの決められた各サイズやこれら以外の決められた各サイズや決められた各サイズ等の単体サイズの縦横のそれぞれの方向を一目盛りとした単位の目盛りを表示する事ができる情報の選択具を備えた請求項２０、２１、２２、２３の紙の切断装置である。
【０２８５】
前記の発明は、図２、５、８、１０、１５、１８、更に２１、２２、２３、２４、２５等で示す各切断情報の長さの情報を基にした各目盛りの全て或いは一部を自動で或いはタッチ操作やボタン操作等の情報を伝達する為の操作により、図３２の画面内で示す目盛りの設置位置等に表示する。
即ち、画面内には、図３２の要領に準じてこの目盛りと供給紙と切断位置を示す印であるバーを表示する事が可能であり、前記の要領に準じて、目視とタッチ操作やボタン操作等の情報を伝達する操作によりバーをこの請求項２５の目盛りの切断位置に移動して停止する事により、ユーザーの希望する決められたサイズの切断情報を取り出し、ユーザーの希望する決められたサイズに切断する事を可能にする。
更に、具体的に一例を示せば、タッチ操作やボタン操作等の情報を伝達する操作によりこの目盛りの一部を画面内に表示し切断する場合は、切断サイズを選択する為のボタン群を設け、この中から、例えば定型用紙サイズのボタンを選択する事によりＡ４、Ｂ４、Ａ５、Ｂ５、Ａ６、Ｂ６等の目盛りを画面内に表示し、画面内のバーを目視とタッチ操作やボタン操作等の情報を伝達する操作により、例えばＢ５の目盛り位置で停止する事により、Ｂ５サイズの切断情報を選択し取り出し、デジタル操作による切断を可能にする。
【０２８６】
更に、請求項２６の発明は、請求項２４、２５の設置要領に準じて併設する事を可能にし、請求項２４、２５の実施要領に準じて実施する事を可能にする。
【０２８７】
図３２（３２−４Ａ）で示す操作ボタンの余白を切断する為の余白ボタンは、供給紙の左右上下の余白の巾を指定し、余白部分を切断し除去する事を可能にする。
例えば、余白ボタンでユーザーが希望する紙端から切断位置までの余白巾をｍｍ単位の数値で入力し、切断位置の制御装置に伝達する事により、デジタル操作が可能な切断情報を備える情報の収納具から余白部分を除去したユーザーが希望する切断位置の切断情報を取り出す事を可能にする。
取り出した切断情報は、切断位置に移動させる為の動力を制御して切断具等を切断位置に移動し、切断具等は、予め設けられた切断の為のコンピューター等の制御によるプログラム等に従い切断を実施し、余白を除去する。
【０２８８】
更に、余白ボタンと等間隔に連動のボタンを合わせて使用する事により、前記のそれぞれの要領で、余白を除いた部分を複数の同一サイズの単体サイズに切断する事を可能にする。
【０２８９】
同一供給紙内で異なるサイズの切断を希望する場合は、等間隔に連動のボタンをオフにして、切断位置を示す個々のバーをユーザーが希望するそれぞれの切断位置に移動する。
【０２９０】
更に、等間隔に連動する切断具等の稼働範囲を限定したい場合は、図３２（３２−４Ａ）の操作ボタンの等間隔に連動のボタンの上に設けた等間隔に連動する切断具等を限定する為のボタンでこの範囲を指定する。
【０２９１】
その他、デジタル操作が可能な切断情報を備える請求項２０の発明装置は、使用頻度の高い切断情報を情報の選択具に登録し、目盛りとして他の目盛りの表示時に同時に表示し、切断位置を示すバーをこの目盛りの切断位置に停止する事により、いつでも取り出す事ができる機能を設ける事を可能する。又、一度登録した使用頻度の高い切断情報の登録を取り消す事ができる機能を設ける事を可能にする。
【０２９２】
請求項２７の発明は、例えば請求項８の形態で示す自動切断の制御装置をコンピュータシステムにする事により実施可能にする。
【０２９３】
請求項２８の発明は、例えば、本発明の紙の切断装置とパソコンやコピー機やプリンタや複合機等の事務用家庭用紙に情報を写す機器やその他を有線や無線ＬＡＮ等のネットワークで結び、本発明の紙の切断装置に設けた情報の収納具、情報の選択具の全て或いはいずれか或いは一部をパソコンやコピー機やプリンタや複合機等の事務用家庭用紙に情報を写す機器やその他の切断装置の外部に移す事が可能である。
【０２９４】
例えば、パソコンで原稿や原画を作成時に、パソコン側から本発明の紙の切断装置側に原稿サイズや原画サイズに合わせた切断サイズを指定する事を可能にする。
或いは、コピー機やプリンタや複合機等の事務用家庭用紙に情報を写す機器で原稿や原画のコピー時やプリント時に、コピー機やプリンタや複合機等の事務用家庭用紙に情報を写す機器側から本発明の紙の切断装置側に原稿サイズや原画サイズに合わせた切断サイズを指定する事を可能にする。
或いは、パソコンや手作業等で原稿や原画を作成時に、切断個所を本発明の紙の切断装置のスキャナー等のセンサー等が認識できるマーキングを行なう事を可能にする。
【０２９５】
請求項３４の発明は、切断位置の制御装置により、情報の収納具からユーザーが選択した加工サイズに関する切断情報（即ち加工情報）を取り出し、加工具等を切断位置（即ち加工位置）に自動でセットし、更にこの切断位置（即ち加工位置）に沿って、例えば、加工具で紙を加圧する事により折り目を付ける事を可能にする。
更に紙を切断する為の切断具と折り目を作る加工具を取り替え可能、又は併設して切り替え可能にして、各サイズの切断や折り目を作る事を可能にする。
この加工具の加圧部分は、例えば、裁縫用のヘラのヘラ先やボールペンのペン先の様な小さな球体を回転させる形体等の紙の接触面との滑りが良く強く加圧してもスムーズに作用する形体が適している。
更にこの加工具の形体は、切断具と加工具の取り換えや切り替えを容易にして装置構造を簡単にする場合は、切断具の形状に合わせて形成する。例えば、切断具が丸刃の場合なら加工具の形体は、円板状の形体にしこの外周部分を滑り易くする為に丸くする。
又、加工具等の加工時の設置位置は、加工具で紙を加圧出来る様にする為に切断具が入る為の溝或いは隙間を避けた位置、或いは切断具が入る為の溝上或いは隙間上に設ける場合は、切断具が入る為の溝或いは隙間を埋める事ができる機能を設けこれを調節する。
その他の形態の概要は、本発明の紙の切断装置に準じた要領で実施可能である。
【０２９６】
請求項３５の発明は、切断位置の制御装置により、情報の収納具からユーザーが選択した加工サイズに関する切断情報（即ち加工情報）を取り出し、加工具等を切断位置（即ち加工位置）に自動でセットし、更にこの切断位置（即ち加工位置）に沿って、例えば、加工具で紙にミシン目を付ける事により、切り取り線を付ける事を可能にする。
更に紙を切断する為の切断具とミシン目を作る加工具を取り替え可能、又は併設して切り替え可能にして、各サイズの切断や切り取り線を作る事を可能にする。
この加工具は、例えば、ミシン目の間隔に合わせた断続的で先の尖った歯を備えた刃物やミシン動作をする一本の平針（一本の平針を上下に稼働させ切り目を入れ、紙の送りに応じて切り目と切り目の間隔を決定する）やその他が適している。
更にこの加工具の形体は、切断具と加工具の取り換えや切り替えを容易にして装置構造を簡単にする場合は、切断具の形状に合わせて形成する。例えば、切断具が丸刃の場合なら加工具の形体は、円板状の形体にしこの外周部分にミシン目の間隔に合わせた断続的で先の尖った歯を設ける。
その他の形態の概要は、本発明の紙の切断装置に準じた要領で実施可能である。
【０２９７】
請求項３６の発明は、切断位置の制御装置により、情報の収納具からユーザーが選択した切断サイズに関する切断情報を取り出し、紙以外用の切断具或いは紙用と紙以外用を兼用出来る切断具を切断位置に自動でセットし、更にこの切断位置に沿って紙以外用の切断具或いは紙用と紙以外用を兼用出来る切断具で切断する事により、紙に加えて例えば薄く伸ばした平板状や箔状の合成樹脂材や金属材や木材や繊維材や複合材やその他の材料の切断を可能にする。
この紙以外用の切断具或いは紙用と紙以外用を兼用出来る切断具は、例えば、紙以外の材料が硬質材であれば、ダイヤモンドカッターや超硬合金やその他の硬質材やその他の刃物が適している。
この紙以外用の切断具或いは紙用と紙以外用を兼用出来る切断具の形体は、紙用切断具と紙以外用の切断具或いは紙用と紙以外用を兼用出来る切断具の取り換えや切り替えを容易にして装置構造を簡単にする場合は、紙用切断具の形状に合わせて形成する。例えば、紙用切断具が丸刃の場合なら紙以外用の切断具或いは紙用と紙以外用を兼用出来る切断具の形体は、丸刃を設ける。
その他の形態の概要は、本発明の紙の切断装置に準じた要領で実施可能である。
【０２９８】
更に、紙を切断する為の切断具と折り目を作る加工具とミシン目を作る加工具と紙以外用の切断具或いは紙用と紙以外用を兼用出来る切断具を取り替え可能、又は併設して切り替え可能にする事により、各サイズの紙の切断が出来、各サイズの折り目や切り取り線を作り、各サイズの多種な素材の切断を可能にする。
【０２９９】
請求項９の発明の定型用紙サイズの各サイズを各等分にして出来る定型サイズの各サイズの各等分とは、例えば、２等分、４等分、８等分、１６等分、３２等分等である。
【０３００】
以上、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の発明を実施する為の最良の形態に関して主に示したが、次に、これらの発明の形態に関する概要を示す代表例をその他の実施例又は実施例として示す。
【実施例９】
【０３０１】
図３３は、請求項１、２、３、４、５、６、７、８、２７、その他に関するその他の実施例であり、実寸に配した切断情報をセンサー３の作用により切断具１ｔ等を切断位置に移動する装置の形態を示す。
（尚、図例は、図２、３、４のその他の実施例として示す。）
即ち、この実施例が示す情報の収納具に備えた切断情報（図例では、切断位置を示す切断番号Ｔ５１からＴ５６）は、切断具１ｔ等が切断位置を取り出す為に移動する軌道に沿って実寸に配して設けており、記憶装置である情報の収納具内に長さの情報の起点から各切断位置までの長さ（数字ｍｍ）を格納し保持する必要がない。具体的には、この切断情報（切断位置を示す切断番号Ｔ５１からＴ５６）の中からユーザーが決定したサイズの切断情報（図例では、切断位置を示す切断番号Ｔ５４）を取り出し切断具１ｔ等を切断位置にセットにする為にセンサー３を切断具１ｔ等に取り付けて設け、情報の選択具により伝達された情報を基にセンサー３が起点Ｐ１より該当する切断情報（切断位置を示す切断番号Ｔ５４）の検索を開始し、切断情報（切断位置を示す切断番号Ｔ５４）を感知し、センサー３が該当する切断情報（切断位置を示す切断番号Ｔ５４）を取り出すと同時に切断具１ｔ等を切断位置（切断位置を示す切断番号Ｔ５４）に運ぶ、自動切断の制御装置である。
【０３０２】
この切断情報（切断位置を示す切断番号Ｔ５１からＴ５６）は、各々の配置位置を示すそれぞれの異なる形態の信号を備え、情報の選択具から情報を受信したセンサー３が、該当する切断情報（切断位置を示す切断番号Ｔ５４）の情報を基に該当する形状の信号を感知し、該当する切断情報（切断位置を示す切断番号Ｔ５４）を取り出す。
【０３０３】
或いは、この切断情報（切断位置を示す切断番号Ｔ５１からＴ５６）は、各々の配置位置を示すそれぞれの異なる形態の信号を備え、情報の選択具から情報を受信した情報の保管具が、情報を基に該当する切断情報（切断位置を示す切断番号Ｔ５４）の信号を取り出し可能に変え、センサー３が、この信号を感知し、該当する切断情報（切断位置を示す切断番号Ｔ５４）を取り出す。
【０３０４】
或いは、この切断情報（切断位置を示す切断番号Ｔ５１からＴ５６）は、全て同じ形態の信号を備え、情報の選択具から情報を受信したセンサー３が、情報を基に該当する切断情報（切断位置を示す切断番号Ｔ５４）の配置の順番が何番目の信号であるかを数え、センサー３が該当する切断情報（切断位置を示す切断番号Ｔ５４）を感知し、取り出す。
【０３０５】
或いは、この切断情報（切断位置を示す切断番号Ｔ５１からＴ５６）は、全て同じ形態の信号を備え、情報の選択具から情報を受信した情報の収納具が、情報を基に該当する切断情報（切断位置を示す切断番号Ｔ５４）の配置の順番が何番目の信号であるかを数え、該当する切断情報（切断位置を示す切断番号Ｔ５４）の信号を取り出し可能に変え、センサー３が該当する切断情報（切断位置を示す切断番号Ｔ５４）を感知し、取り出す。
【０３０６】
尚、代表例に適したセンサー３は、電流の断続や強さを探知検出する電気センサーや、光の断続や強さを探知検出し電気信号に変換する光センサーや、圧力や振動の断続や強さを探知検出し電気信号に変換する圧力センサー、その他広く一般的に使用されている情報を探知検出するための周知技術を示す事が出来る。
【実施例１０】
【０３０７】
図３４は、片側寄せで給紙し切断する装置に関して、起点位置と切断情報の長さの情報の関係を示すその他の実施例である。
（尚、図例は、図２、３、４のその他の実施例として示す。）
即ち、起点をＰ１１とした場合は、起点Ｐ１から起点Ｐ１１までの長さを切断情報の長さの情報より差し引き、起点をＰ１２とした場合は、起点Ｐ１から起点Ｐ１２までの長さを切断情報の長さの情報に加える。
【実施例１１】
【０３０８】
図３５は、中央寄せで給紙し切断する装置に関して、起点位置と切断情報の長さの情報の関係を示すその他の実施例である。
｛尚、図例は、図１５の横方向に向けて４等分にする切断情報、図１６（１６‐１）のその他の実施例として示す。｝
図例は、起点Ｐ５を各サイズの中心線に設けている。
即ち、切断番号Ｕ３１からＵ３６の切断情報の長さの情報は、０ｍｍである。（切断時に切断具等を移動する必要がない。）
切断番号Ｔ３１からＴ３６の切断情報の長さの情報は、＝＋（正の方向）×各用紙サイズ（Ａ３、Ｂ４、Ａ４、Ｂ５、Ａ５、Ｂ６）の長辺の長さ（ｍｍ）×１／４の概数を規格に合わせた数（正数）である。
切断番号Ｗ３１からＷ３６の切断情報の長さの情報は、＝−（負の方向）×各用紙サイズ（Ａ３、Ｂ４、Ａ４、Ｂ５、Ａ５、Ｂ６）の長辺の長さ（ｍｍ）×１／４の概数を規格に合わせた数（負数）である。
【実施例１２】
【０３０９】
図３６は、供給場所と切断場所が異なる装置に関して、切断情報の長さの情報の関係を示す実施例である。
尚、図３６（３６‐１）（３６‐２）の図例は、図５、６、７のＢ５サイズ及びＢ６サイズの切断に係わる実施例として示す。
又、図３６（３６‐３）の図例は、図２、３、４のＢ５サイズ及びＢ６サイズの切断に係わる実施例として示す。
図３６（３６‐１）は、給紙方向と直角に交差する方向に切断する場合であり、紙の切断線（紙の中心線）と直角に供給場所から切断場所に給紙し、片側端寄せで供給場所に供給した紙を一定長Ｆ１で送り切断場所に片側端寄せで供給している。
即ち、この切断場所に移動後の切断情報の長さの情報は、供給場所の切断情報の長さの情報と同じである。（切断場所及び供給場所の切断情報の長さの情報は、共に切断番号Ｓ３４、Ｓ３６である。）
図３６（３６‐２）は、給紙方向と直角に交差する方向に切断する場合であり、紙の切断線（紙の中心線）と直角に供給場所から切断場所に給紙し、片側端寄せで供給場所に供給した紙の送り長をＦ２１、Ｆ２２で送り、切断場所に中央寄せで供給している。
即ち、移動後の切断番号Ｓ３４、Ｓ３６の長さの情報は、０ｍｍである。（紙の切断線を起点Ｐ２２に揃えている為、切断時に切断具等を移動する必要がない。）
用紙の送り長Ｆ２１は、一定長Ｆ２＋移動前の切断番号Ｓ３６の切断情報の長さの情報である。
用紙の送り長Ｆ２２は、一定長Ｆ２＋移動前の切断番号Ｓ３４の切断情報の長さの情報である。
即ち、図３６（３６‐２）は、段落番号０１１９を具体的に示す実施例の一例である。
図３６（３６‐３）は、給紙方向に切断する場合であり、紙の切断線（紙の中心線）と平行に供給場所から切断場所に給紙し、片側端寄せで供給場所に供給した紙を切断場所に片側端寄せで供給している。
即ち、この切断場所に移動後の切断情報の長さの情報は、供給場所の切断情報と同じである。（切断場所及び供給場所の切断情報の長さの情報は、共に切断番号Ｔ４、Ｔ６である。）
【実施例１３】
【０３１０】
図３７は、省エネや危険防止に関して、切断具の駆動の開始位置（Ｅ１、Ｅ２、Ｅ３、Ｅ４、Ｅ５）に関する実施例である。
（尚、図例は、図２、３、４のＡ３サイズ用紙及びＢ６サイズ用紙に関する実施例として示す。）
Ｅ１は、Ａ３サイズ用紙及びＢ６サイズ用紙の切断具１ｔ等の起点である。
即ち、Ｅ１よりの丸刃の回転等の切断具１ｔの駆動の開始は、切断番号Ｔ１の切断位置より遠く、動力を多く要し、危険要因を大きくする。又、Ｂ６サイズ用紙より遠く、動力を多く要し、危険要因を大きくする。
Ｅ２は、切断番号Ｔ１の切断軌道上に在り又Ａ３サイズ用紙の近くに在り、Ａ３サイズ用紙の切断に適する。
即ち、Ｅ２よりの丸刃の回転等の切断具１ｔの駆動の開始は、動力を節約し、危険要因を小さくする。
Ｅ３は、切断番号Ｔ６の切断軌道上に在り又Ｂ６サイズ用紙の近くに在り、Ｂ６サイズ用紙の切断に適する。
即ち、Ｅ３よりの丸刃の回転等の切断具１ｔの駆動の開始は、動力を節約し、危険要因を小さくする。
Ｅ４は、切断番号Ｔ６の切断軌道上に在り又Ｂ６サイズ用紙より遠くの位置に在り、更に切断具１ｔ等が切断番号Ｔ１の切断位置を選択し取り出す為に移動する軌道にある。
即ち、Ｅ４よりのＢ６サイズ用紙やＡ３サイズ用紙の切断の為の丸刃の回転等の切断具１ｔの駆動の開始は、機械構造を簡単にするが、動力を多く要し、危険要因を大きくする。
Ｅ５は、Ｂ６サイズ用紙の切断具１ｔ等の起点である。
即ち、Ｅ５よりの丸刃の回転等の切断具１ｔの駆動の開始は、切断番号Ｔ６の切断位置より遠く、動力を多く要し、危険要因を大きくする。
【実施例１４】
【０３１１】
図３８は、複数の切断具等と起点位置に関するその他の実施例である。
（尚、図例は、図１０、１１、１２等のその他の実施例として示す。）
図３８（３８‐１）は、図例では三組の切断具１ｔ、１ｕ、１ｗ等を図の左右方向に並べて設けている。
即ち、この三組の切断具１ｔ、１ｕ、１ｗ等の起点は、共通の起点Ｐ１を設ける事が可能である。
図３８（３８‐２）は、図例では三組の切断具１ｔ、１ｕ、１ｗ等を図の高さ方向に高低差を付け重ねて設けている。
即ち、この三組の切断具１ｔ、１ｕ、１ｗ等の起点は、共通の起点Ｐ１を設ける事が可能である。
図３８（３８‐３）は、図例では三組の切断具１ｔ、１ｕ、１ｗ等を図の上下方向に並べて設けている。
即ち、この三組の切断具１ｔ、１ｕ、１ｗ等の起点は、それぞれの起点をＰ１、Ｐ１８、Ｐ１９を設ける
【０３１２】
その他、本発明は、負荷の大きさ（例えば、供給紙の枚数等）に応じて出力を調節してエネルギーを節約し消費電力を抑制する事が可能である。
【０３１３】
更に、本発明は、小サイズの用紙切れ時にこれを表示し、表示後に大サイズの用紙を切断して充てる事をユーザーに尋ねたり、用紙を切断して充てる為のボタンやパネル等の手段を設ける事が可能である。
【０３１４】
更に、本発明は、情報の選択具にエコサイズと表示するボタンやパネル等の手段を設ける事が可能である。
例えば、パソコン等で原稿や原画等を作成時に、エコサイズボタン等の選択により自動的に原稿や原画を供給紙の１／２のサイズで作り、ネットワークで結んだ本発明の切断装置で自動的に原稿や原画を供給紙の１／２サイズに切断する機能を設ける事を可能にする。
例えば、コピー機やプリンタ等で原稿や原画等の情報を紙に写す時に、エコサイズボタン等の選択により自動的に原稿や原画を供給紙の１／２のサイズで情報を紙に写し、ネットワークで結んだ本発明の切断装置で自動的に原稿や原画を供給紙の１／２サイズに切断する機能を設ける事を可能にする。
例えば、エコサイズボタン等の選択により本発明の切断装置で自動的に原稿や原画を供給紙の１／２サイズに切断する機能を設ける事を可能にする。
【実施例１５】
【０３１５】
以上、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の発明の紙の切断装置に関して主に示したが、次に、請求項３７、３８、３９、４０、４１、４２、４３、４４、４５、４６、４７、４８、４９、５０、５１、５２、５３の発明の紙の切断装置に関して主に示す。
【０３１６】
図３９は、請求項２９、３０の紙の切断装置を備えた請求項３７、３８の事務用家庭用紙の切断装置を説明の軸として、その他の発明に関する代表例を示す。
（尚、図例は、図２、３、４に係わる実施例として示す。）
図例は、供給場所に片側端寄せで（片側の壁等２１ｇに側面紙押さえで供給方向と直角方向に寄せて）供給した紙を、ピックアップローラー、さばきローラー等により一枚毎にさばき（これらの装置は図示を省略する）、供給ローラー６１ａ、６１ｂ等と共に切断場所に連続的に供給し、更に切断時に紙９１を上面より押さえる紙面押さえローラー５１ａと紙を下面より押さえる紙面押さえローラー５１ｂで紙面を挟み固定しながら、（紙面押さえローラー５１ｂには切断具が入る溝或いは隙間４１が設けてあり、紙面押さえローラー５１ａには切断具１２ｔが設けてあり、）通過させる事で紙を供給方向に向けて切断し、切断された紙を排出ローラー６２ａ、６２ｄで排出する紙の切断装置に関して示している。
【０３１７】
更に、この切断装置には、本発明の装置を備えており、図例では切断情報（切断番号Ｔ１からＴ６）の中より、ユーザーの希望するサイズの切断位置である切断番号Ｔ３（切断内容は、Ａ４サイズを２等分に切断してＡ５サイズを作る）で切断が行われる事を示す。
【０３１８】
即ち、図３９（３９−１）は、給紙前であり、切断具１２ｔ等（一体化して移動する切断具１２ｔと紙面押さえローラー５１ａ等）が起点Ｐ１に駐具した状態を示す。
【０３１９】
図３９（３９−２）は、切断具１２ｔ等（一体化して移動する切断具１２ｔと紙面押さえローラー５１ａ等）が、記憶装置等の情報の収納具に設けられた切断情報（切断番号Ｔ１からＴ６）（請求項４等に関する）の中から、ユーザーの希望する切断位置の切断情報（切断番号Ｔ３）を情報の選択具により取り出し（請求項５等に関する）、切断具１２ｔ等を起点Ｐ１から切断番号Ｔ３の切断位置に自動でセットし（請求項６等に関する）（請求項７等に関する）、切断が自動で行われている事を示す。（請求項８等に関する）
尚、紙面押さえローラー５１ｂには、切断具が入る溝或いは隙間４１を、切断情報の切断番号（Ｔ１からＴ６）の切断位置に実寸で設けている。
【実施例１６】
【０３２０】
図４０は、請求項２９、３０の紙の切断装置を備えた請求項３７、３９の事務用家庭用紙の切断装置を説明の軸として、その他の発明に関する代表例を示す。
（尚、図例は、図５、６、７に係わる実施例として示す。）
図例は、供給場所に片側端寄せで（片側の壁等に側面紙押さえで供給方向に寄せて）供給した紙を、ピックアップローラー、さばきローラー等により一枚毎にさばき（これらの装置は図示を省略する）、供給ローラー６３ａ、６３ｃや供給ベルト６３等と共に切断場所に連続的に供給し、一定位置で停止させ（図例では各供給紙の先端を起点Ｐ２に合わせて停止させ）、切断時に紙９１を上面より押さえる紙面押さえ５２ａとこれを紙の下面で受け止める紙面押さえ５２ｂで紙面を挟み、固定し、紙の上方より下方に移動する切断具１３ｓと紙の下に固定した切断具１３ｓａが交差し、供給方向と直角に交差する方向に切断し、切断後、切断された紙を排出ローラー６４ａや排出ベルト６４等で排出する紙の切断装置に関して示している。
【０３２１】
更に、この切断装置には、本発明の装置を備えており、図例では、切断情報（切断番号Ｓ３１からＳ３６）により、ユーザーの希望するサイズの切断位置である切断番号Ｓ３３（切断内容はＡ４サイズを２等分に切断してＡ５サイズを作る）で切断が行われる事を示す。
【０３２２】
即ち、図４０（４０−１）は、給紙前であり、切断具１３ｓ等（一体化して移動する切断具１３ｓ、１３ｓａと紙面押さえ５２ａ、５２ｂと切断具が入る溝或いは隙間４２と供給ローラー６３ｃ、６３ｄと排出ローラー６４ａ、６４ｂ等）が起点Ｐ２に駐具した状態を示す。
【０３２３】
図４０（４０−２）は、切断具１３ｓ等（一体化して移動する切断具１３ｓ、１３ｓａと紙面押さえ５２ａ、５２ｂと切断具が入る溝或いは隙間４２と供給ローラー６３ｃ、６３ｄと排出ローラー６４ａ、６４ｂ等）が、記憶装置等の情報の収納具に設けられた切断情報（切断番号Ｓ３１からＳ３６）（請求項４等に関する）の中から、ユーザーの希望する切断位置の切断情報（切断番号Ｓ３３）を情報の選択具により取り出し（請求項５等に関する）切断具１３ｓ等を起点Ｐ２から切断番号Ｓ３３の切断位置に自動でセットし（請求項６等に関する）（請求項７等に関する）、切断が自動で行われている事を示す（請求項８等に関する）。
尚、供給ベルト６３の調整（供給ローラー６３ｄの切断サイズに応じた左右の移動時に発生する供給ベルト６３の張りや弛みを吸収する為の供給ローラー６３ｅの上下の移動等）も、切断の情報の取り出し等により実施される。或いは供給ローラー６３ｅの上下の移動を重力の作用に頼る事により、切断情報を用いる事無く実施される。
排出ベルト６４の調整も、同様に、供給ベルト６３の調整要領に準じて行なわれる。
【０３２４】
請求項３１に関する請求項３７、３８、３９、４０の発明は、例えば、図３９、４０の発明装置を併設する紙の切断装置を設けて、図３９、４０に準じた要領で実施する事を可能にする。
又は、図８、９の切断情報を備えた切断装置により、実施する事を可能にする。
【実施例１７】
【０３２５】
図４１は、請求項２９、３０の紙の切断装置を備えた請求項３７、４１の事務用家庭用紙の切断装置を説明の軸として、その他の発明に関する代表例を示す。
（尚、図例は、図２、３、４に係わる実施例として示す。又、図例は、図３の７５％の大きさで示す。）
図例は、切断場所に供給した一枚あるいは複数枚（少量から大量）の紙９１を切断場所でまとめて一度に切断する紙の切断装置であり、切断場所に片側端寄せで（片側の壁等２１ｉに側面紙押さえ２ｐで）寄せて給紙した紙９１を、切断時に紙９１を上面より押さえる紙面押さえ５３で台８１の上に置かれた紙の紙面を押さえながら、アーム部７１内又は紙面押さえ５３内に設けた切断のガイドにより紙を横断往復移動する回転する切断具１４ｔ等で紙を切断する紙の切断装置に関して示している。
尚、図４１（４１−１）では、切断具１４ｔは、アーム部７１内や紙面押さえ５３内に駐具された状態にあり、図示されていない。
【０３２６】
更に、この切断装置には、本発明の装置を備えており、図例では、切断情報（切断番号Ｔ１からＴ６）の中より、ユーザーの希望するサイズの切断位置である切断番号Ｔ３（切断内容は、Ａ４サイズを２等分に切断してＡ５サイズを作る）で切断が行われる事を示す。
【０３２７】
即ち、図４１（４１−１）は、給紙前であり、切断具１４ｔ等（一体化して移動する切断具１４ｔと紙面押さえ５３とアーム部７１等）が起点Ｐ１に駐具した状態を示す。
【０３２８】
図４１（４１−２）は、切断具１４ｔ等（一体化して移動する切断具１４ｔと紙面押さえ５３とアーム部７１等）が、記憶装置等の情報の収納具に設けられた切断情報（切断番号Ｔ１からＴ６）（請求項４等に関する）の中から、ユーザーの希望する切断位置の切断情報（切断番号Ｔ３）を情報の選択具により取り出し（請求項５等に関する）、切断具１４ｔ等を起点Ｐ１から切断番号Ｔ３の切断位置に自動でセットし（請求項６等に関する）（請求項７等に関する）自動で切断が行われている事を示す（請求項８等に関する）。
尚、台８１には、切断具が入る溝或いは隙間４３を、切断情報（切断番号Ｔ１からＴ６）の切断位置に実寸で設けている。
請求項３１に関する請求項３７、４１の発明は、例えば、図４１に準じた要領で切断具等や切断情報を縦横のそれぞれの方向に設け、図４１の発明装置準じた要領で縦横のそれぞれの切断を実施する。
又は、図８、９の切断情報を備えた切断装置により実施する事を可能にする。
【実施例１８】
【０３２９】
図４２は、請求項２９、３２、３３の紙の切断装置を備えた請求項３７、３８の事務用家庭用紙の切断装置を説明の軸として、その他の発明に関する代表例を示す。
（尚、図例は、図１０の横方向に向けての切断、図１１（１１−１）、図１２、図３４、３８に係わる実施例として示す。）
図例は、供給場所に片側端寄せで（片側の壁等２１ｈに側面紙押さえで供給方向と直角方向に寄せ）供給した紙を、ピックアップローラー、さばきローラー等により一枚毎にさばき（これらの装置は図示を省略する）、供給ローラー６５ａ、６５ｂ等と共に切断場所に連続的に供給し、更に切断時に紙９１を上面より押さえる紙面押さえローラー５４ｔ、５４ｕ、５４ｗと紙を下面より押さえる紙面押さえローラー５４ｔａ、５４ｕａ、５４ｗａで紙面を挟み固定しながら、（紙面押さえローラー５４ｔａ、５４ｕａ、５４ｗａには切断具が入る溝或いは隙間４４ｔ、４４ｕ、４４ｗが設けてあり、紙面押さえローラー５４ｔ、５４ｕ、５４ｗには切断具１５ｔ、１５ｕ、１５ｗが設けてあり、）通過させる事で紙を供給方向に向けて切断し、切断された紙を排出ローラー６６ａ、６６ｂで排出する紙の切断装置に関して示している。
【０３３０】
更に、この切断装置には、本発明の装置を備えており、図例では、切断情報（切断番号Ｔ４１からＴ４６、及びＵ１からＵ６、及びＷ１からＷ６）の中より、ユーザーの希望するサイズの切断位置である切断番号Ｔ４３、及びＵ３、及びＷ３（切断内容は、Ａ４サイズを四等分に切断する）で切断が行われる事を示す。
【０３３１】
即ち、図４２（４２−１）は、給紙前であり、三組の切断具１５ｔ等、１５ｕ等、１５ｗ等が（一体化して移動する切断具１５ｔ、紙面押さえローラー５４ｔ、５４ｔａ、切断具が入る溝或いは隙間４４ｔが起点Ｐ１に、更に一体化して移動する切断具１５ｕ、紙面押さえローラー５４ｕ、５４ｕａ、切断具が入る溝或いは隙間４４ｕが起点Ｐ５８に、更に一体化して移動する切断具１５ｗ、紙面押さえローラー５４ｗ、５４ｗａ、切断具が入る溝或いは隙間４４ｗが起点Ｐ５９に、）駐具した状態を示す。
尚、起点位置と長さの情報の関係は、図３４の要領に準じて設定する。
【０３３２】
図４２（４２−２）は、切断具１５ｔ等と切断具１５ｕ等と切断具１５ｗ等の三組の切断具等が、記憶装置等の情報の収納具に設けられたそれぞれの切断情報（切断番号Ｔ４１からＴ４６と切断番号Ｕ１からＵ６と切断番号Ｗ１からＷ６）（請求項４等に関する）の中から、ユーザーの希望する切断位置の切断情報（切断番号Ｔ４３、Ｕ３、Ｗ３）を情報の選択具により取り出し（請求項５等に関する）、切断具１５ｔ等を起点Ｐ１から切断番号Ｔ４３の切断位置に自動でセットし、更に切断具１５ｕ等を起点Ｐ５８から切断番号Ｕ３の切断位置に自動でセットし、更に切断具１５ｗ等を起点Ｐ５９から切断番号Ｗ３の切断位置に自動でセットし（請求項６等に関する）（請求項７等に関する）、自動で切断が行われている事を示す（請求項８等に関する）。
【０３３３】
尚、請求項２９、３２、３３に関する請求項３７、４０等の紙の切断装置は、例えば、八等分に切断して定型用紙サイズの紙を作る為の紙の切断装置に関しては、図４２と図４０の発明装置を併設する紙の切断装置を設けて、それぞれ（図４２と図４０）の紙の発明装置の要領に準じて実施する。
又は、図１０、１１の切断情報を備えた切断装置により実施する事を可能にする。
図４２と図４０の紙の切断装置の縦方向の作業と横方向の作業の継続方法は、従来の切断装置の構造に応じて行なう事が可能である。
【実施例１９】
【０３３４】
図４３は、請求項２９、３２、３３の紙の切断装置を備えた請求項３７、４１の事務用家庭用紙の切断装置を説明の軸として、その他の発明に関する代表例を示す。
（尚、図例は、図３５を用いた四等分の切断に係わる切断情報と、図１７を用いた四等分の切断を行なう為の切断手順に係わる実施例として示す。更に、図３５、図１６（１６‐２）を用いた八等分の切断に係わる切断情報と、図１７、１２、１３の切断手順に係わる実施例として示す。又、図例は、図３５の７５％の大きさで示す。）
図例は、切断場所に供給した一枚あるいは複数枚（少量から大量）の紙９１を切断場所でまとめて一度に切断する紙の切断装置であり、縦横双方の方向を中央寄せで（図の上下方向の側面紙押さえ２ｑ、２ｒと図の左右方向の側面紙押さえ２ｓ、２ｔで中央に）寄せて給紙した紙を切断時に紙９１を上面より押さえる紙面押さえ５５ｔ、５５ｕ、５５ｗ、５５ｓで台８２の上に置かれた紙の紙面を押さえながら、アーム部７２ｔ、７２ｕ、７２ｗ、７２ｓ内又は紙面押さえ５５ｔ、５５ｕ、５５ｗ、５５ｓ内に設けた切断のガイドにより紙を横断往復移動する回転する切断具１６ｔ等、１６ｕ等、１６ｗ等、１６ｓ等で紙を切断する紙の切断装置に関して示している。
尚、図４３（４３−１）では、切断具１６ｔ、１６ｕ、１６ｗは、アーム部７２ｔ、７２ｕ、７２ｗ内や紙面押さえ５５ｔ、５５ｕ、５５ｗ内に駐具された状態にあり、図示されていない。
【０３３５】
更に、この切断装置には、本発明の切断装置を備えており、図例では、切断情報（切断番号Ｔ３１からＴ３６、及び切断番号Ｕ３１からＵ３６、及び切断番号Ｗ３１からＷ３６）の中より、ユーザーの希望するサイズの切断位置である切断番号Ｔ３３、及びＵ３３、及びＷ３３（切断内容は、Ａ４サイズを四等分にする）で切断が行われ、更に切断情報（切断番号Ｓ１３からＳ１８）の中より、ユーザーの希望するサイズの切断位置である切断番号Ｓ１５（切断内容は、Ａ４サイズを四等分に切断した紙を、更に二等分にして、Ａ７サイズの定型用紙を作る）で切断が行われる事を示す。
【０３３６】
即ち、図４３（４３−１）は、給紙前であり、切断具１６ｔ等（一体化して移動する切断具１６ｔと紙面押さえ５５ｔとアーム部７２ｔ等）が起点Ｐ５１に駐具した状態を示す。
更に、切断具１６ｕ等（一体化して移動する切断具１６ｕと紙面押さえ５５ｕとアーム部７２ｕ等）が起点Ｐ５に駐具した状態を示す。
更に、切断具１６ｗ等（一体化して移動する切断具１６ｗと紙面押さえ５５ｗとアーム部７２ｗ等）が起点Ｐ５２に駐具した状態を示す。
更に、切断具１６ｓ等（一体化して移動する切断具１６ｓと紙面押さえ５５ｓとアーム部７２ｓ等）が起点Ｐ４１に駐具した状態を示す。
尚、起点Ｐ５１、Ｐ５、Ｐ５２の位置と長さの情報の関係は、図３４、図３８（３８−３）の要領に準じて設定する。
【０３３７】
図４３（４３−２）は、図の横方向に向けての四等分の切断の最中を示しており、切断具１６ｔ等、切断具１６ｕ等、切断具１６ｗ等が、記憶装置等の情報の収納具に設けられた切断情報（切断番号Ｔ３１からＴ３６、及び切断番号Ｕ３１からＵ３６、及び切断番号Ｗ３１からＷ３６）（請求項４等に関する）の中から、ユーザーの希望する切断位置の切断情報（切断番号Ｔ３３、及びＵ３３、及びＷ３３）を情報の選択具により、取り出し（請求項５等に関する）切断具１６ｔ等を起点Ｐ５１から切断番号Ｔ３３の切断位置に自動でセットし、更に切断具１６ｗ等を起点Ｐ５２から切断番号Ｗ３３の切断位置に自動でセットし（請求項６等に関する）（請求項７等に関する）、自動で切断が行なわれている事を示す（請求項８等に関する）。
尚、切断具１６ｕ等は、切断番号Ｕ３１からＵ３６の切断情報の長さの情報が０ｍｍである為切断時に移動する必要はない。
【０３３８】
図４３（４３−２）の切断の終了後、次に、図１６（１６‐２）の切断情報を用いて、図の縦方向に向けての二等分の切断を行ない、八等分にする切断が行われる。
即ち、切断具１６ｓ等が、記憶装置等の情報の収納具に設けられた切断情報（切断番号Ｓ１３からＳ１８）（請求項４等に関する）の中から、ユーザーの希望する切断位置の切断情報（切断番号Ｓ１５）を情報の選択具により取り出し（請求項５に関する）、切断具１６ｓ等を起点Ｐ４１から切断番号Ｓ１５の切断位置に自動でセットし（請求項６、７等に関する）、自動で切断が行なわれ事を示す（請求項８等に関する）。
【０３３９】
尚、台８２及び側面紙押さえ２ｑ、２ｒ、２ｓ、２ｔには、切断具が入る溝或いは隙間４４が、切断情報の切断位置（切断番号Ｔ３１からＴ３６、及び切断番号Ｕ３１からＵ３６、及び切断番号Ｗ３１からＷ３６、及び切断番号Ｓ１３からＳ１８）に実寸で設けている。
尚、長さの情報は、切断番号Ｕ３１＝Ｕ３２＝Ｕ３３＝Ｕ３４＝Ｕ３５＝Ｕ３６＝０ｍｍであり、切断情報の長さの情報の設置を省略する事が可能である。
又、長さの情報は、切断番号Ｓ１３＝Ｓ１４＝Ｓ１５＝Ｓ１６＝Ｓ１７＝Ｓ１８＝許容供給最大用紙サイズの短辺×１／２＋許容供給最大用紙サイズの紙端から起点Ｐ４１までの長さであり、個々の切断番号を一つの切断番号で設置する事が可能である。
【実施例２０】
【０３４０】
請求項３７の前記の代表例以外の実施例は、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置を事務用家庭用紙の切断装置に備える事により実施可能である。
【０３４１】
請求項３８の前記の代表例以外の実施例は、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置を連続して送られる紙を切断具により供給方向に切断する事ができる事務用家庭用紙の切断装置に備える事により実施可能である。
【０３４２】
請求項３９の前記の代表例以外の実施例は、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置を連続して送られる紙を切断具により供給方向と直角に交差する方向に切断する事ができる事務用家庭用紙の切断装置に備える事により実施可能である。
【０３４３】
請求項４０の前記の代表例以外の実施例は、請求項１、２、３、４、５、６、７、８、９、１０、１１、１２、１３、１４、１５、１６、１７、１８、１９、２０、２１、２２、２３、２４、２５、２６、２７、２８、２９、３１、３２、３３、３４、３５、３６の紙の切断装置を請求項３８の切断装置と請求項３９の切断装置を併設する事務用家庭用紙の切断装置に備える事により実施可能である。
【０３４４】
請求項４１の前記の代表例以外の実施例は、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置を切断場所に大量に積まれた紙を切断する事ができる事務用家庭用紙の切断装置に備える事により実施可能である。
【０３４５】
請求項３７、３８、３９、４０、４１の発明装置は、例えば、具体的には、次の多種な技術を備える事務用家庭用紙の切断装置に備える事が可能である。
可動刃と固定刃の間に紙が食い込むのを防止する技術。（周知技術）
切断具の紙食い込みを簡単に復旧する技術。（周知技術）
用紙送り時の用紙の斜行を防止する技術。（周知技術）
静電気が帯電するのを防止する技術。（周知技術）
定期的に切断具等を清掃する技術。（周知技術）
定期的な切断具の刃の自動研磨の技術。（周知技術）
切断具の刃を長寿命化する技術。（周知技術）
簡単な切断具の刃の交換技術。（周知技術）
切断しにくい材質を容易に切断する技術。（周知技術）
切断具時の位置ずれを防止する技術。（周知技術）
切断の誤操作を防止する技術。（周知技術）
移動する切断具の移動距離を調節可能にして、無駄な動きを少なくする技術（周知技術）
加工位置の自動認識の技術。（周知技術）
切断具の刃がむき出しになるのを防止又は抑え、安全性を確保する技術。（周知技術）
切断具や動力部の異物等による負荷を感知して、緊急停止して、安全性を確保する技術。（周知技術）
カバーの開放やカセットの取り出しを感知して、稼働を禁止して、安全性を確保する技術。（周知技術）
その他の安全性を確保する技術。（周知技術）
供給した紙を供給場所と反対側に排出する技術。（周知技術）
供給した紙をＵターンさせ供給場所と同じ側に排出する技術。（周知技術）
その他の事務用家庭用紙の切断装置の技術。
【実施例２１】
【０３４６】
請求項４２の発明は、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置を事務用家庭用コピー機に備える事により実施可能である。
【０３４７】
請求項４３の発明は、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置を事務用製版印刷機に備える事により実施可能である。
【０３４８】
請求項４４の発明は、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置を事務用家庭用プリンタに備える事により実施可能である。
【０３４９】
請求項４５の発明は、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置をコピー機能を装備した事務用家庭用複合機に備える事により実施可能である。
【０３５０】
請求項４６の発明は、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置をプリント機能を装備した事務用家庭用複合機に備える事により実施可能である。
【０３５１】
請求項４７の発明は、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置を事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器に備える事により実施可能である。
【０３５２】
請求項４８の発明は、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置をユニットシステムにして事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器に備える事により実施可能である。
【０３５３】
請求項４２、４３、４４、４５、４６、４７、４８の発明装置は、例えば、具体的には、次の多種な技術を備える事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器、ユニットシステムにして事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器に備える事が可能である。
手差し供給とカセット供給の二ウエイ給紙方式の技術。
収納可能なトレイ等の給紙部や収納可能なトレイ等の排紙部の技術。（周知技術）
伸縮可能なトレイ等の給紙部や伸縮可能なトレイ等の排紙部の技術。（周知技術）
取り付け取り外し可能なトレイ等の給紙部や取り付け取り外し可能なトレイ等の排紙部の技術。（周知技術）
開閉可能なトレイ等の給紙部や開閉可能なトレイ等の排紙部の技術。（周知技術）
カセットやトレイ等の給紙部の側面紙押さえに紙が乗り上げるのを防止する技術。（周知技術）
カセットやトレイ等の給紙部の供給紙を一枚毎に供給する技術。（周知技術）
カセットやトレイ等の給紙部から加工場所に、紙を一定長で送る技術。（周知技術）
紙の排出を確実にする技術。（周知技術。）
排出した紙を整然とした状態で排出部に積載する技術。（周知技術）
情報を紙に写す作業或いは紙を切断する作業或いは情報を紙に写す作業と紙を切断する作業が継続する作業のいずれかを選択する技術。（周知技術）
紙送りのタイミングを同じにして、紙の滞留や重なり合いを防止する事が出来る情報を紙に写す作業と紙を切断する作業が継続する作業の技術。（周知技術）
紙の切断装置と情報を紙に移す機器の動力や電力の共有、紙の供給場所や排出場所や軌道等のスペースの共有、用紙サイズや用紙枚数等の情報の共有、パネルやスイッチやボタン等の情報伝達手段の共有等の技術。（周知技術）
加工枚数を自動カウントする技術。（周知技術）
加工枚数の表示技術。（周知技術）
指定した加工枚数を加工する技術。（周知技術）
動力に係わる節電技術。（周知技術）
長時間使用しない時の節電技術。（周知技術）
省エネモードによる節電技術。（周知技術）
表示画面に係わる節電技術。（周知技術）
その他の節電技術。（周知技術）
装置内の紙詰まりを知らせる技術。（周知技術）
装置内の紙詰まりを解除できる技術。（周知技術）
紙の厚さを指定して、加工条件を決定する技術。（周知技術）
装置の振動を防止する技術。（周知技術）
装置の振動を吸収する技術。（周知技術）
装置の移動を容易にする技術。（周知技術）
多種な切断具に対応した技術。（周知技術。）
供給紙が切れた時の自動停止技術。（周知技術）
用紙サイズの自動認識技術。（周知技術）
有線、無線ＬＡＮ等で連結したパソコンや電話等の外部よりの作業指示技術。（周知技術）
パネルによる情報の表示技術。（周知技術）
パネルによる情報の指示技術。（周知技術）
収納式のパネル（周知技術）
見やすい角度に調節可能なパネル（周知技術）
コンピューターによる制御技術。（周知技術）
その他の事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器の技術。
その他の本発明装置をユニットシステムにした事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器の技術。
【実施例２２】
【０３５４】
請求項４９の発明は、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１の紙の切断装置を事務用家庭用シュレッターに備える事により実施可能である。
【０３５５】
請求項４９の発明は、例えば、具体的には、次の多種な技術を備える事務用家庭用シュレッダーに備える事が可能である。
幼児の指が投入口に入らないようにして、幼児の安全を守る技術。（周知技術）
投入口周辺に指が触れると稼働がストップする安全技術。（周知技術）
不用意にスイッチが入らないようにするセーフティロックの技術。（周知技術）
警告ランプ、警告ブザーの設置の技術（紙詰まりを知らせる。半ドアーを知らせる。切断した紙が満杯になった事を知らせる。作業の終了を知らせる。その他を知らせる。）（周知技術）
一枚から裁断可能枚数を超えない複数枚の紙を投入できる技術。（周知技術）
一度に投入できる紙の量を確認出来る加工枚数ゲージの技術。（周知技術）
自動注油の技術。（周知技術）
注油を必要としない技術。（周知技術）
シュレッター用の供給口と等分の切断用の供給口を別々に設置した技術。（周知技術）
シュレッター用の供給口と等分の切断用の供給口を一つに兼用し、切断時にそれぞれの加工場所に通じる通路の切りかえ技術。（周知技術）
シュレッター用の供給口と等分の切断用の供給口を一つに兼用し、切断時のそれぞれの刃の切り替え技術。（周知技術）
切断素材を分類別に排出する技術。（周知技術）
切断くずが散らばるのを防止する技術。（周知技術）
ペーパーホルダー、ポケット、キャビネット等の物を入れる技術。（周知技術）
その他のシュレッター技術
【０３５６】
以上、実施例２０、２１、２２の技術は、各段落間（段落番号０３４５、段落番号０３５３、段落番号０３５５）で重複する技術に関しては、いずれか一つの段落を代表技術として示す。
【実施例２３】
【０３５７】
請求項５０の発明は、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置に事務用家庭用紙の切断装置の全て或いは一部を備える事により実施可能である。
【０３５８】
例えば、請求項５０の発明は、例えば、段落番号０３４５の全て或いは一部の技術を請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置に備える事により実施可能である。
【実施例２４】
【０３５９】
請求項５１の発明は、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置に事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す機器の全て或いは一部を備える事により実施可能である。
【０３６０】
請求項５１の発明は、例えば、段落番号０３５３の全て或いは一部の技術を請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置に備える事により実施可能である。
【実施例２５】
【０３６１】
請求項５２の発明は、請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置に事務用家庭用シュレッターの全て或いは一部を備える事により実施可能である。
【０３６２】
請求項５２の発明は、例えば、段落番号０３５５の全て或いは一部の技術を請求項１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６の紙の切断装置に備える事により実施可能である。
【実施例２６】
【０３６３】
請求項５３の発明は、紙の切断のみを行なう事が出来る機能を請求項４２、４３、４４、４５、４６、４７、４８の紙の切断装置に備える事により実施可能である。
【０３６４】
例えば、請求項５３の発明は、情報を写す工程と切断を行なう工程を別々に設け、切断を行なう工程に紙を供給し切断を行なう事により実施可能にする。
或いは、例えば、情報を写す工程と切断を行なう工程を継続する様に設け、工程の切り替え機能を設け、情報を写す作業をオフにし、情報を写す工程を素通りさせ、供給紙の切断を行なう作業を行なう事により実施可能にする。
或いは、例えば、情報を写す工程と切断を行なう工程を継続する様に設け、工程の切り替え機能を設け、情報を写す作業をオフにし、情報を写す工程を省略して、直接供給紙を切断を行なう工程に送り供給紙の切断を行なう作業を行なう事により実施可能にする。
【０３６５】
尚、紙に情報を写す作業と紙の切断を行なう作業を継続して行う場合は、紙送りのタイミングを同じにする事により管理を容易にする。
例えば、切断装置や該当機器の紙送りのスピードを同じにし、切断装置や該当機器の停止時間を同じにして紙の滞留や重なり合いを防止する。
或いは、停止時間の無い切断装置や停止時間の少ない切断装置又は該当機器は、スピードを落として、所要時間を最長停止時間の切断装置又は該当機器の所要時間と同じにして
紙の滞留や重なり合いを防止する。
【符号の説明】
【０３６６】
１で始まる符号（１ｔ、１ｕ、１ｗ、１ｓ、１ｖ、１１、１２ｔ、他）    切断具
２で始まる符号（２ａ、２ｂ、２ｃ、２ｄ、２ｅ、２ｆ、２ｇ、他）    側面紙押さえ
２１で始まる符号（２１ａ、２１ｂ、２１ｃ、２１ｄ、２１ｅ、２１ｆ、他）    壁等
３      センサー
４で始まる符号（４１、４２、４３、４４ｔ、他）    切断具が入る溝或いは隙間
５で始まる符号（５１ａ、５２ａ、５３、５４ｔ、他）    紙面押さえ（ローラー）
６で始まる符号（６１ａ、６１ｂ、６３ａ、６３ｂ、６５ａ、他）    供給ローラー
６で始まる符号（６２ａ、６２ｂ、６４ａ、６４ｂ、６６ａ、他）    排出ローラー
６で始まる符号（６３）    供給ベルト
６で始まる符号（６４）    排出ベルト
７で始まる符号（７１、７２ｔ、７２ｕ、７２ｗ、７２ｓ）    アーム部
８で始まる符号（８１、８２、８３）    台
９で始まる符号（９１、９２）    紙
Ｄで始まる符号（Ｄ１、Ｄ２）    給紙方向
Ｅで始まる符号（Ｅ１、Ｅ２、Ｅ３、Ｅ４、Ｅ５）    切断の開始位置
Ｆで始まる符号（Ｆ１、Ｆ２、Ｆ２１、Ｆ２２）    紙の送り長
Ｏ    目盛り
Ｐで始まる符号（Ｐ１、Ｐ２、Ｐ３、Ｐ４、Ｐ５、Ｐ１１、Ｐ２１、他）    起点
Ｔで始まる符号（Ｔ１、Ｔ２、Ｔ３、Ｔ１１、Ｔ２１、Ｔ３１、他）    切断番号
Ｕで始まる符号（Ｕ１、Ｕ２、Ｕ３、Ｕ１１、Ｕ２１、Ｕ３１、他）    切断番号
Ｗで始まる符号（Ｗ１、Ｗ２、Ｗ３、Ｗ１１、Ｗ１２、Ｗ３１、他）    切断番号
Ｘで始まる符号（ＸＬ、Ｘクレ、Ｘ四号、Ｘ官製、他）    切断番号
Ｚで始まる符号（Ｚクレ、Ｚ四号）    切断番号
Ｓで始まる符号（Ｓ３、Ｓ４、Ｓ５、Ｓ１３、Ｓ２３、Ｓ３１、他）    切断番号
Ｖで始まる符号（Ｖ２３、Ｖ２４、Ｖ２３、ＶＬ、ＶＥ、Ｖ四号、他）    切断番号
Ｙで始まる符号（ＹＬ、ＹＥ、Ｙクレ）    切断番号
【図１】
2012143826.tif 000003
【図２】
2012143826.tif 000004
【図３】
2012143826.tif 000005
【図４】
2012143826.tif 000006
【図５】
2012143826.tif 000007
【図６】
2012143826.tif 000008
【図７】
2012143826.tif 000009
【図８】
2012143826.tif 000010
【図９】
2012143826.tif 000011
【図１０】
2012143826.tif 000012
【図１１】
2012143826.tif 000013
【図１２】
2012143826.tif 000014
【図１３】
2012143826.tif 000015
【図１４】
2012143826.tif 000016
【図１５】
2012143826.tif 000017
【図１６】
2012143826.tif 000018
【図１７】
2012143826.tif 000019
【図１８】
2012143826.tif 000020
【図１９】
2012143826.tif 000021
【図２０】
2012143826.tif 000022
【図２１】
2012143826.tif 000023
【図２２】
2012143826.tif 000024
【図２３】
2012143826.tif 000025
【図２４】
2012143826.tif 000026
【図２５】
2012143826.tif 000027
【図２６】
2012143826.tif 000028
【図２７】
2012143826.tif 000029
【図２８】
2012143826.tif 000030
【図２９】
2012143826.tif 000031
【図３０】
2012143826.tif 000032
【図３１】
2012143826.tif 000033
【図３２】
2012143826.tif 000034
【図３３】
2012143826.tif 000035
【図３４】
2012143826.tif 000036
【図３５】
2012143826.tif 000037
【図３６】
2012143826.tif 000038
【図３７】
2012143826.tif 000039
【図３８】
2012143826.tif 000040
【図３９】
2012143826.tif 000041
【図４０】
2012143826.tif 000042
【図４１】
2012143826.tif 000043
【図４２】
2012143826.tif 000044
【図４３】
2012143826.tif 000045